(57)【要約】各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された総和を表示する第一表示手段及び前記その他多数総和計算手段により計算された総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有する。
2003030076.tif 000002
【特許請求の範囲】
【請求項１】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示システム。
【請求項２】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示装置。
【請求項３】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有することを特徴とする状況解析表示プログラム。
【請求項４】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有する状況解析表示プログラムを記録した記録媒体。
【請求項５】
各一定期間毎の複数の対象及び当該複数の対象に各々対応した複数の対応数値を有する状況を解析表示する複数の頁からなる状況解析表示書籍において、各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し、各頁における前記所定数の値を変動させていることを特徴とする状況解析表示書籍。
【請求項６】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程を有することを特徴とする状況解析表示方法。
【請求項７】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示システム。
【請求項８】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示装置。
【請求項９】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラム。
【請求項１０】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラムを記録した記録媒体。
【請求項１１】
各一定期間毎の複数の対象及び当該複数の対象に各々対応した複数の対応数値を有する状況を解析表示する複数の頁からなる状況解析表示書籍において、各頁は前記第一関係値計算手段により計算された前記所定数の対象の各一定期間毎の対応数値の総和に関係する第一関係値及び前記第二関係値計算手段により計算された前記所定数の対象を除くその他多数の対象の各一定期間毎の対応数値の総和に関係する第二関係値を示す図表を有し、各頁における前記所定数の値を変動させていることを特徴とする状況解析表示書籍。
【請求項１２】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程を有することを特徴とする状況解析表示方法。
【請求項１３】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段を有することを特徴とする状況解析表示システム。
【請求項１４】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段を有することを特徴とする状況解析表示装置。
【請求項１５】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラムを有することを特徴とする状況解析表示プログラム。
【請求項１６】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラムを有することを特徴とする状況解析表示プログラムを記録した記録媒体。
【請求項１７】
各一定期間毎の複数の対象及び当該複数の対象に各々対応した複数の第一種対応数値及び第二種対応数値を有する状況を解析表示する状況解析表示書籍において、各頁は前記所定数総和計算手段により計算された前記所定数の対象の各一定期間毎の第一種対応数値及び第二種対応数値の各々の総和及び前記その他多数総和計算手段により計算された前記所定数の対象を除くその他多数の対象の各一定期間毎の第一種対応数値及び第二種対応数値の各々の総和を示す図表を有し、各頁における前記所定数の値を変動させていることを特徴とする状況解析表示書籍。
【請求項１８】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程を有することを特徴とする状況解析表示方法。
【請求項１９】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示システム。
【請求項２０】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示装置。
【請求項２１】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラム。
【請求項２２】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラムを記録した記録媒体。
【請求項２３】
各一定期間毎の複数の対象及び当該複数の対象に各々対応した複数の第一種対応数値及び第二種対応数値を有する状況を解析表示する状況解析表示書籍において、各頁は前記第一関係値計算手段により計算された前記所定数の対象の各一定期間毎の第一種対応数値及び第二種対応数値の各々の総和に関係する第一関係値及び前記第二関係値計算手段により計算された前記所定数の対象を除くその他多数の対象の各一定期間毎の第一種対応数値及び第二種対応数値の各々の総和に関係する第二関係値を示す図表を有し、各頁における前記所定数の値を変動させていることを特徴とする状況解析表示書籍。
【請求項２４】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程を有することを特徴とする状況解析表示方法。
【請求項２５】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示システム。
【請求項２６】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示装置。
【請求項２７】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有することを特徴とする状況解析表示プログラム。
【請求項２８】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有する状況解析表示プログラムを記録した記録媒体。
【請求項２９】
各一定期間毎の複数の対象及び当該複数の対象に各々対応した複数の対応数値を有する状況を解析表示する複数の頁からなる状況解析表示書籍において、各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し、各頁における前記一定期間の値を変動させていることを特徴とする状況解析表示書籍。
【請求項３０】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程を有することを特徴とする状況解析表示方法。
【請求項３１】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示システム。
【請求項３２】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示装置。
【請求項３３】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラム。
【請求項３４】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラムを記録した記録媒体。
【請求項３５】
各一定期間毎の複数の対象及び当該複数の対象に各々対応した複数の対応数値を有する状況を解析表示する複数の頁からなる状況解析表示書籍において、各頁は前記第一関係値計算手段により計算された前記所定数の対象の各一定期間毎の対応数値の総和に関係する第一関係値及び前記第二関係値計算手段により計算された前記所定数の対象を除くその他多数の対象の各一定期間毎の対応数値の総和に関係する第二関係値を示す図表を有し、各頁における前記特定期間の値を変動させていることを特徴とする状況解析表示書籍。
【請求項３６】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程を有することを特徴とする状況解析表示方法。
【請求項３７】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示システム。
【請求項３８】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示装置。
【請求項３９】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラム。
【請求項４０】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラムを記録した記録媒体。
【請求項４１】
各一定期間毎の複数の対象及び当該複数の対象に各々対応した複数の第一種対応数値及び第二種対応数値を有する状況を解析表示する状況解析表示書籍において、各頁は前記所定数総和計算手段により計算された前記所定数の対象の各一定期間毎の第一種対応数値及び第二種対応数値の各々の総和及び前記その他多数総和計算手段により計算された前記所定数の対象を除くその他多数の対象の各一定期間毎の第一種対応数値及び第二種対応数値の各々の総和を示す図表を有し、各頁における前記特定期間の値を変動させていることを特徴とする状況解析表示書籍。
【請求項４２】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程を有することを特徴とする状況解析表示方法。
【請求項４３】
各一定期間毎の複数の対象及び当該複数の対象に各々対応した複数の第一種対応数値及び第二種対応数値を有する状況を解析表示する状況解析表示システムにおいて、特定期間に、おける第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示システム。
【請求項４４】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示装置。
【請求項４５】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラム。
【請求項４６】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラムを記録した記録媒体。
【請求項４７】
各一定期間毎の複数の対象及び当該複数の対象に各々対応した複数の第一種対応数値及び第二種対応数値を有する状況を解析表示する状況解析表示書籍において、各頁は前記第一関係値計算手段により計算された前記所定数の対象の各一定期間毎の第一種対応数値及び第二種対応数値の各々の総和に関係する第一関係値及び前記第二関係値計算手段により計算された前記所定数の対象を除くその他多数の対象の各一定期間毎の第一種対応数値及び第二種対応数値の各々の総和に関係する第二関係値を示す図表を有し、各頁における前記特定期間の値を変動させていることを特徴とする状況解析表示書籍。
【請求項４８】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程を有することを特徴とする状況解析表示方法。
【請求項４９】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システム。
【請求項５０】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置。
【請求項５１】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラム。
【請求項５２】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体。
【請求項５３】
各一定期間毎の複数の対象及び当該複数の対象に各々対応した複数の対応数値を有する状況を解析表示する複数の頁からなる状況解析表示書籍において、各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し、各頁における前記一定期間の値を変動させていることを特徴とする状況解析表示書籍。
【請求項５４】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法。
【請求項５５】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示システム。
【請求項５６】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示装置。
【請求項５７】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第一関係値及び第二関係値を変動させる一定期間変動プログラムを有することを特徴とする状況解析表示プログラム。
【請求項５８】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項５９】
各一定期間毎の複数の対象及び当該複数の対象に各々対応した複数の対応数値を有する状況を解析表示する複数の頁からなる状況解析表示書籍において、各頁は前記第一関係値計算手段により計算された前記所定数の対象の各一定期間毎の対応数値の総和に関係する第一関係値及び前記第二関係値計算手段により計算された前記所定数の対象を除くその他多数の対象の各一定期間毎の対応数値の総和に関係する第二関係値を示す図表を有し、各頁における前記一定期間の値を変動させていることを特徴とする状況解析表示書籍。
【請求項６０】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記一定期間の値を変動させることにより前記関係値表示過程により表示された第一関係値及び第二関係値を変動させる一定期間変動過程を有することを特徴とする状況解析表示方法。
【請求項６１】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システム。
【請求項６２】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置。
【請求項６３】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラム。
【請求項６４】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体。
【請求項６５】
各一定期間毎の複数の対象及び当該複数の対象に各々対応した複数の第一種対応数値及び第二種対応数値を有する状況を解析表示する状況解析表示書籍において、各頁は前記所定数総和計算手段により計算された前記所定数の対象の各一定期間毎の第一種対応数値及び第二種対応数値の各々の総和及び前記その他多数総和計算手段により計算された前記所定数の対象を除くその他多数の対象の各一定期間毎の第一種対応数値及び第二種対応数値の各々の総和を示す図表を有し、各頁における前記一定期間の値を変動させていることを特徴とする状況解析表示書籍。
【請求項６６】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法。
【請求項６７】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示システム。
【請求項６８】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示装置。
【請求項６９】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第一関係値及び第二関係値を変動させる一定期間変動プログラムを有することを特徴とする状況解析表示プログラム。
【請求項７０】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項７１】
各一定期間毎の複数の対象及び当該複数の対象に各々対応した複数の第一種対応数値及び第二種対応数値を有する状況を解析表示する状況解析表示書籍において、各頁は前記第一関係値計算手段により計算された前記所定数の対象の各一定期間毎の第一種対応数値及び第二種対応数値の各々の総和に関係する第一関係値及び前記第二関係値計算手段により計算された前記所定数の対象を除くその他多数の対象の各一定期間毎の第一種対応数値及び第二種対応数値の各々の総和に関係する第二関係値を示す図表を有し、各頁における前記一定期間の値を変動させていることを特徴とする状況解析表示書籍。
【請求項７２】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記一定期間の値を変動させることにより前記関係値表示過程により表示された第一関係値及び第二関係値を変動させる一定期間変動過程を有することを特徴とする状況解析表示方法。
【請求項７３】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示システム。
【請求項７４】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示装置。
【請求項７５】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有することを特徴とする状況解析表示プログラム。
【請求項７６】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有する状況解析表示プログラムを記録した記録媒体。
【請求項７７】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程及び前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程を有することを特徴とする状況解析表示方法。
【請求項７８】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示システム。
【請求項７９】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示装置。
【請求項８０】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記特定期間の値を変動させることにより前記関係値表示プログラムにより表示された第一関係値及び第二関係値を変動させる特定期間変動プログラムを有することを特徴とする状況解析表示プログラム。
【請求項８１】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム前記特定期間の値を変動させることにより前記関係値表示プログラムにより表示された第一関係値及び第二関係値を変動させる特定期間変動プログラムを有することを特徴とする状況解析表示プログラムを記録した記録媒体。
【請求項８２】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記特定期間の値を変動させることにより前記関係値表示過程により表示された第一関係値及び第二関係値を変動させる特定期間変動過程を有することを特徴とする状況解析表示方法。
【請求項８３】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示システム。
【請求項８４】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示装置。
【請求項８５】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラム。
【請求項８６】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラムを記録した記録媒体。
【請求項８７】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程及び前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程を有することを特徴とする状況解析表示方法。
【請求項８８】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示システム。
【請求項８９】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示装置。
【請求項９０】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記特定期間の値を変動させることにより前記関係値表示プログラムにより表示された第一関係値及び第二関係値を変動させる特定期間変動プログラムを有することを特徴とする状況解析表示プログラム。
【請求項９１】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記特定期間の値を変動させることにより前記関係値表示プログラムにより表示された第一関係値及び第二関係値を変動させる特定期間変動プログラムを有することを特徴とする状況解析表示プログラムを記録した記録媒体。
【請求項９２】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記特定期間の値を変動させることにより前記関係値表示過程により表示された第一関係値及び第二関係値を変動させる特定期間変動過程を有することを特徴とする状況解析表示方法。
【請求項９３】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システム。
【請求項９４】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置。
【請求項９５】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラム。
【請求項９６】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体。
【請求項９７】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程及び前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法。
【請求項９８】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示システム。
【請求項９９】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示装置。
【請求項１００】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラム。
【請求項１０１】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項１０２】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記一定期間の値を変動させることにより前記関係値表示過程により表示された第一関係値及び第二関係値を変動させる一定期間変動過程を有することを特徴とする状況解析表示方法。
【請求項１０３】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システム。
【請求項１０４】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置。
【請求項１０５】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラム。
【請求項１０６】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体。
【請求項１０７】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程及び前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法。
【請求項１０８】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示システム。
【請求項１０９】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示装置。
【請求項１１０】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラム。
【請求項１１１】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項１１２】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記一定期間の値を変動させることにより前記関係値表示過程により表示された第一関係値及び第二関係値を変動させる一定期間変動過程を有することを特徴とする状況解析表示方法。
【請求項１１３】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システム。
【請求項１１４】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置。
【請求項１１５】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラム。
【請求項１１６】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体。
【請求項１１７】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程及び前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法。
【請求項１１８】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システム。
【請求項１１９】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置。
【請求項１２０】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラム。
【請求項１２１】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項１２２】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法。
【請求項１２３】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システム。
【請求項１２４】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置。
【請求項１２５】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラム。
【請求項１２６】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体。
【請求項１２７】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程及び前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法。
【請求項１２８】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システム。
【請求項１２９】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置。
【請求項１３０】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラム。
【請求項１３１】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項１３２】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法。
【請求項１３３】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段、前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システム。
【請求項１３４】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段、前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置。
【請求項１３５】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム、前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラム。
【請求項１３６】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム、前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体。
【請求項１３７】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程、前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程及び前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法。
【請求項１３８】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システム。
【請求項１３９】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置。
【請求項１４０】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラム。
【請求項１４１】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項１４２】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程、前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法。
【請求項１４３】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段、前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システム。
【請求項１４４】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段、前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置。
【請求項１４５】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム、前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラム。
【請求項１４６】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム、前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体。
【請求項１４７】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程、前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程及び前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法。
【請求項１４８】
各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システム。
【請求項１４９】
各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置。
【請求項１５０】
各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラム。
【請求項１５１】
各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体。
【請求項１５２】
各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程、前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法。
【請求項１５３】
前記第一関係値は前記所定数総和計算手段により計算された前記所定数の対象の各一定期間毎の対応数値の総和と前記その他多数総和計算手段により計算された前記所定数の対象を除くその他多数の対象の各一定期間毎の対応数値の総和の全総和のうち前記所定数の対象の各一定期間毎の対応数値の総和の占める比率及び前記第二関係値は前記全総和のうち前記所定数の対象を除くその他多数の対象の各一定期間毎の対応数値の総和の占める比率であることを特徴とする請求の範囲第７項、第３１項、第５５項、第７８項、第９８項、第１１８項又は第１３８項記載の状況解析表示システム。
【請求項１５４】
前記第一関係値は前記所定数総和計算手段により計算された前記所定数の対象の各一定期間毎の対応数値の総和と前記その他多数総和計算手段により計算された前記所定数の対象を除くその他多数の対象の各一定期間毎の対応数値の総和の全総和のうち前記所定数の対象の各一定期間毎の対応数値の総和の占める比率及び前記第二関係値は前記全総和のうち前記所定数の対象を除くその他多数の対象の各一定期間毎の対応数値の総和の占める比率であることを特徴とする請求の範囲第８項、第３２項、第５６項、第７９項、第９９項、第１１９項又は第１３９項記載の状況解析表示装置。
【請求項１５５】
前記第一関係値は前記所定数総和計算手段により計算された前記所定数の対象の各一定期間毎の対応数値の総和と前記その他多数総和計算手段により計算された前記所定数の対象を除くその他多数の対象の各一定期間毎の対応数値の総和の全総和のうち前記所定数の対象の各一定期間毎の対応数値の総和の占める比率及び前記第二関係値は前記全総和のうち前記所定数の対象を除くその他多数の対象の各一定期間毎の対応数値の総和の占める比率であることを特徴とする請求の範囲第９項、第３３項、第５７項、第８０項、第１００項、第１２０項又は第１４０項記載の状況解析表示プログラム。
【請求項１５６】
前記第一関係値は前記所定数総和計算手段により計算された前記所定数の対象の各一定期間毎の対応数値の総和と前記その他多数総和計算手段により計算された前記所定数の対象を除くその他多数の対象の各一定期間毎の対応数値の総和の全総和のうち前記所定数の対象の各一定期間毎の対応数値の総和の占める比率及び前記第二関係値は前記全総和のうち前記所定数の対象を除くその他多数の対象の各一定期間毎の対応数値の総和の占める比率であることを特徴とする請求の範囲第１０項、第３４項、第５８項、第８１項、第１０１項、第１２１項又は第１４１項記載の状況解析表示プログラムを記録した記録媒体。
【請求項１５７】
前記第一関係値は前記所定数総和計算手段により計算された前記所定数の対象の各一定期間毎の対応数値の総和と前記その他多数総和計算手段により計算された前記所定数の対象を除くその他多数の対象の各一定期間毎の対応数値の総和の全総和のうち前記所定数の対象の各一定期間毎の対応数値の総和の占める比率及び前記第二関係値は前記全総和のうち前記所定数の対象を除くその他多数の対象の各一定期間毎の対応数値の総和の占める比率であることを特徴とする請求の範囲第１１項、第３５項又は第５９項記載の状況解析表示書籍。
【請求項１５８】
前記第一関係値は前記所定数総和計算過程により計算された前記所定数の対象の各一定期間毎の対応数値の総和と前記その他多数総和計算過程により計算された前記所定数の対象を除くその他多数の対象の各一定期間毎の対応数値の総和の全総和のうち前記所定数の対象の各一定期間毎の対応数値の総和の占める比率及び前記第二関係値は前記全総和のうち前記所定数の対象を除くその他多数の対象の各一定期間毎の対応数値の総和の占める比率であることを特徴とする請求の範囲第１２項、第３６項、第６０項、第８２項、第１０２項、第１２２項又は第１４２項記載の状況解析表示方法。
【請求項１５９】
前記第一関係値は前記所定数総和計算手段により計算された前記所定数の対象の各一定期間毎の第一種対応数値の総和と第二種対応数値の総和の全総和のうち第一種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第一種対応数値の総和の占める比率であることを特徴とする請求の範囲第１９項，第４３項，第６７項、第８８項、第１０８項、第１２８項又は第１４８項記載の状況解析表示システム。
【請求項１６０】
前記第一関係値は前記所定数総和計算手段により計算された前記所定数の対象の各一定期間毎の第一種対応数値の総和と第二種対応数値の総和の全総和のうち第一種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第一種対応数値の総和の占める比率であることを特徴とする請求の範囲第２０項，第４４項，第６８項、第８９項、第１０９項、第１２９項又は第１４９項記載の状況解析表示装置。
【請求項１６１】
前記第一関係値は前記所定数総和計算プログラムにより計算された前記所定数の対象の各一定期間毎の第一種対応数値の総和と第二種対応数値の総和の全総和のうち第一種対応数値の総和の占める比率及び前記第二関係値は前記その他多数総和計算プログラムにより計算された前記所定数の対象を除くその他多数の対象の各一定期間毎の第一種対応数値の総和と第二種対応数値の総和の全総和のうち第一種対応数値の総和の占める比率であることを特徴とする請求の範囲第２１項，第４５項，第６９項、第９０項、第１１０項、第１３０項又は第１５０項記載の状況解析表示プログラム。
【請求項１６２】
前記第一関係値は前記所定数総和計算プログラムにより計算された前記所定数の対象の各一定期間毎の第一種対応数値の総和と第二種対応数値の総和の全総和のうち第一種対応数値の総和の占める比率及び前記第二関係値は前記その他多数総和計算プログラムにより計算された前記所定数の対象を除くその他多数の対象の各一定期間毎の第一種対応数値の総和と第二種対応数値の総和の全総和のうち第一種対応数値の総和の占める比率であることを特徴とする請求の範囲第２２項，第４６項，第７０項、第９１項、第１１１項、第１３１項又は第１５１項記載の状況解析表示プログラムを記録した記録媒体。
【請求項１６３】
前記第一関係値は前記所定数総和計算手段により計算された前記所定数の対象の各一定期間毎の第一種対応数値の総和と第二種対応数値の総和の全総和のうち第一種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第一種対応数値の総和の占める比率であることを特徴とする請求の範囲第２３項，第４７項又は第７１項記載の状況解析表示書籍。
【請求項１６４】
前記第一関係値は前記所定数総和計算過程により計算された前記所定数の対象の各一定期間毎の第一種対応数値の総和と第二種対応数値の総和の全総和のうち第一種対応数値の総和の占める比率及び前記第二関係値は前記その他多数総和計算過程により計算された前記所定数の対象を除くその他多数の対象の各一定期間毎の第一種対応数値の総和と第二種対応数値の総和の全総和のうち第一種対応数値の総和の占める比率であることを特徴とする請求の範囲第２４項，第４８項，第７２項、第９２項、第１１２項、第１３２項又は第１５２項記載の状況解析表示方法。
【請求項１６５】
前記第一関係値は前記所定数総和計算手段により計算された前記所定数の対象の各一定期間毎の第一種対応数値の総和と第二種対応数値の総和の全総和のうち第二種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第二種対応数値の総和の占める比率であることを特徴とする請求の範囲第１９項，第４３項，第６７項、第８８項、第１０８項、第１２８項又は第１４８項記載の状況解析表示システム。
【請求項１６６】
前記第一関係値は前記所定数総和計算手段により計算された前記所定数の対象の各一定期間毎の第一種対応数値の総和と第二種対応数値の総和の全総和のうち第二種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第二種対応数値の総和の占める比率であることを特徴とする請求の範囲第２０項，第４４項，第６８項、第８９項、第１０９項、第１２９項又は第１４９項記載の状況解析表示装置。
【請求項１６７】
前記第一関係値は前記所定数総和計算プログラムにより計算された前記所定数の対象の各一定期間毎の第一種対応数値の総和と第二種対応数値の総和の全総和のうち第二種対応数値の総和の占める比率及び前記第二関係値は前記その他多数総和計算プログラムにより計算された前記所定数の対象を除くその他多数の対象の各一定期間毎の第一種対応数値の総和と第二種対応数値の総和の全総和のうち第二種対応数値の総和の占める比率であることを特徴とする請求の範囲第２１項，第４５項，第６９項、第９０項、第１１０項、第１３０項又は第１５０項記載の状況解析表示プログラム。
【請求項１６８】
前記第一関係値は前記所定数総和計算プログラムにより計算された前記所定数の対象の各一定期間毎の第一種対応数値の総和と第二種対応数値の総和の全総和のうち第二種対応数値の総和の占める比率及び前記第二関係値は前記その他多数総和計算プログラムにより計算された前記所定数の対象を除くその他多数の対象の各一定期間毎の第一種対応数値の総和と第二種対応数値の総和の全総和のうち第二種対応数値の総和の占める比率であることを特徴とする請求の範囲第２２項，第４６項，第７０項、第９１項、第１１１項、第１３１項又は第１５１項記載の状況解析表示プログラムを記録した記録媒体。
【請求項１６９】
前記第一関係値は前記所定数総和計算手段により計算された前記所定数の対象の各一定期間毎の第一種対応数値の総和と第二種対応数値の総和の全総和のうち第二種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第二種対応数値の総和の占める比率であることを特徴とする請求の範囲第２３項，第４７項又は第７１項記載の状況解析表示書籍。
【請求項１７０】
前記第一関係値は前記所定数総和計算過程により計算された前記所定数の対象の各一定期間毎の第一種対応数値の総和と第二種対応数値の総和の全総和のうち第二種対応数値の総和の占める比率及び前記第二関係値は前記その他多数総和計算過程により計算された前記所定数の対象を除くその他多数の対象の各一定期間毎の第一種対応数値の総和と第二種対応数値の総和の全総和のうち第二種対応数値の総和の占める比率であることを特徴とする請求の範囲第２４項，第４８項，第７２項、第９２項、第１１２項、第１３２項又は第１５２項記載の状況解析表示方法。
【請求項１７１】
前記所定数変動手段は前記所定数を当該所定数毎に変動させる所定数毎変動手段であることを特徴とする請求の範囲第１項、第７項、第１３項、第１９項、第７３項、第７８項、第８３項、第８８項、第９３項、第９８項、第１０３項、第１０８項、第１３３項、第１３８項、第１４３項又は第１４８項記載の状況解析表示システム。
【請求項１７２】
前記所定数変動手段は前記所定数を当該所定数毎に変動させる所定数毎変動手段であることを特徴とする請求の範囲第２項、第８項、第１４項、第２０項、第７４項、第７９項、第８４項、第８９項、第９４項、第９９項、第１０４項、第１０９項、第１３４項、第１３９項、第１４４項又は第１４９項記載の状況解析表示装置。
【請求項１７３】
前記所定数変動プログラムは前記所定数を当該所定数毎に変動させる所定数毎変動プログラムであることを特徴とする請求の範囲第３項、第９項、第１５項、第２１項、第７５項、第８０項、第８５項、第９０項、第９５項、第１００項、第１０５項、第１１０項、第１３５項、第１４０項、第１４５項又は第１５０項記載の状況解析表示プログラム。
【請求項１７４】
前記所定数変動プログラムは前記所定数を当該所定数毎に変動させる所定数毎変動プログラムであることを特徴とする請求の範囲第４項、第１０項、第１６項、第２２項、第７６項、第８１項、第８６項、第９１項、第９６項、第１０１項、第１０６項、第１１１項、第１３６項、第１４１項、第１４６項又は第１５１項記載の状況解析表示プログラムを記録した記録媒体。
【請求項１７５】
前記所定数を当該所定数毎に変動させていることを特徴とする請求の範囲第５項、第１１項、第１７項又は第２３項記載の状況解析表示書籍。
【請求項１７６】
前記所定数変動過程は前記所定数を当該所定数毎に変動させる所定数毎変動過程であることを特徴とする請求の範囲第６項、第１２項、第１８項、第２４項、第７７項、第８２項、第８７項、第９２項、第９７項、第１０２項、第１０７項、第１１２項、第１３７項、第１４２項、第１４７項又は第１５２項記載の状況解析表示方法。
【請求項１７７】
前記所定数変動手段は前記所定数を連続的に変動させる連続的変動手段であることを特徴とする請求の範囲第１項、第７項、第１３項、第１９項、第７３項、第７８項、第８３項、第８８項、第９３項、第９８項、第１０３項、第１０８項、第１３３項、第１３８項、第１４３項又は第１４８項記載の状況解析表示システム。
【請求項１７８】
前記所定数変動手段は前記所定数を連続的に変動させる連続的変動手段であることを特徴とする請求の範囲第２項、第８項、第１４項、第２０項、第７４項、第７９項、第８４項、第８９項、第９４項、第９９項、第１０４項、第１０９項、第１３４項、第１３９項、第１４４項又は第１４９項記載の状況解析表示装置。
【請求項１７９】
前記所定数変動プログラムは前記所定数を連続的に変動させる連続的変動プログラムであることを特徴とする請求の範囲第３項、第９項、第１５項、第２１項、第７５項、第８０項、第８５項、第９０項、第９５項、第１００項、第１０５項、第１１０項、第１３５項、第１４０項、第１４５項又は第１５０項記載の状況解析表示プログラム。
【請求項１８０】
前記所定数変動プログラムは前記所定数を連続的に変動させる連続的変動プログラムであることを特徴とする請求の範囲第４項、第１０項、第１６項、第２２項、第７６項、第８１項、第８６項、第９１項、第９６項、第１０１項、第１０６項、第１１１項、第１３６項、第１４１項、第１４６項又は第１５１項記載の状況解析表示プログラムを記録した記録媒体。
【請求項１８１】
前記所定数を当該特別定数毎に変動させていることを特徴とする請求の範囲第５項、第１１項、第１７項又は第２３項記載の状況解析表示書籍。
【請求項１８２】
前記所定数変動過程は前記所定数を連続的に変動させる連続的変動過程であることを特徴とする請求の範囲第６項、第１２項、第１８項、第２４項、第７７項、第８２項、第８７項、第９２項、第９７項、第１０２項、第１０７項、第１１２項、第１３７項、第１４２項、第１４７項又は第１５２項記載の状況解析表示方法。
【発明の詳細な説明】
技術分野
この発明は、例えば、各年毎の特許出願人の特許出願件数の特許出願状況等の各一定期間毎の複数の対象及び当該複数の対象に各々対応した複数の対応数値を有する状況を解析表示する状況解析表示のためのシステム、装置、プログラム、記録媒体及び書籍並びに状況解析表示方法に関する。
背景技術
従来、各一定期間毎の複数の対象及び当該複数の対象に各々対応した複数の対応数値を有する状況、例えば、各年毎の特許出願人の特許出願件数等の特許出願状況を解析表示するための工夫として次のようなものが存在する。
「工業所有権制度この１０年の歩み」（平成７年３月３０日発行、特許庁編集、社団法人発明協会発行）２５０頁には、第２２２図に示されるように、特許・実用新案の出願件数を、内国法人、内国個人、官庁及び外国人の各グループに分けて、その経時的変化を示したグラフが開示されている。また、内国法人においては、出願上位１００社のグループとそれ以外のグループに分けて示されている。即ち、出願上位１００社のグループのグラフは２つの基準軸である横軸と縦軸との交点を基準点てして図表化し、それ以外のグループのグラフの基準点は、この出願上位１００社のグループのグラフ上に上乗せする形で置かれている。このグラフにより、「昭和５０年代から６０年代初頭にかけての出願件数の急増は、全出願人が等しく出願を増やした結果ではなく、主として出願件数上位企業が、大きく出願を増加させた結果である」（２５０頁右欄５行目−−２５１頁左欄２行目）という状況解析を行うことができる。
また、「とっきょＮｏ．５３」（昭和５１年８月３１日発行、特許庁総務課編集）２頁には、第２２３図に示されるように、法人出願上位企業の出願件数の推移を示す図が開示されている。この図では、特許と実用新案の各年毎の全出願件数とともに、内国法人の出願件数、内国法人上位１００社、上位５０社、上位１０社の各出願件数が図示されている。この図により、出願件数において「特に伸び率の高いのは法人出願であり、１０年間で２．２倍の増加をみた」（同１頁左欄下から１行目から右欄１行目）という状況解析を行うことができる。
また、「とっきょ（昭和５６年４月号）（Ｎｏ．１０３）」１０頁には、第２２４図に示されるように、法人出願上位別出願の伸びが開示されている。この図においては、法人をコンタクト対象企業、コンタクト対象外企業（出願上位９８社以内）及び上記以外の全法人と三分類して図示している。この図により、「コンタクト対象企業の出願の伸びの低下は、コンタクト対象外企業のそれに比し、かなり大きい」（同第１０頁左欄１行目から第３行目）という状況解析を行うことができる。ここで、「コンタクト」とは、昭和５１年（１９７６年）から始められた出願等の適正化施策において、特許庁が出願大手企業に対して組織的に行った行政指導をいう。
また、特開２０００−１１０７８号公報には、電子データの集計方法やデータのグラフ化に関する技術が開示されている。また、特開２００１−９２８５１号公報には、特許分析用データ加工に関する技術が開示されている。
しかし、上記した出願状況等の状況の解析表示では状況の全体構造が今ひとつ把握しにくいという問題点があった。
そこで、本発明は、上記問題点を解決するためになされたもので、状況の全体構造を明確に把握することのできる状況解析表示するたものシステム、装置、プログラム、記録媒体及び書籍並びに状況解析表示方法を提供することを目的とする。
発明の開示
本発明は、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示システムを提供する。上記した「その他多数の対象」や「その他多数総和計算手段」における「多数」の意は、単に「その他」であることを強調するためのもので、対象の数が「絶対的に多数」であることを意味するものではない。即ち、場合によっては、対象の所定数よりも少数になることもありうる。単に「その他」であることを強調するためのものである。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有する状況解析表示プログラムを記録した記録媒体を提供する。
また、各一定期間毎の複数の対象及び当該複数の対象に各々対応した複数の対応数値を有する状況を解析表示する複数の頁からなる状況解析表示書籍において、各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し、各頁における前記所定数の値を変動させていることを特徴とする状況解析表示書籍を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラムを記録した記録媒体を提供する。
また、各一定期間毎の複数の対象及び当該複数の対象に各々対応した複数の対応数値を有する状況を解析表示する複数の頁からなる状況解析表示書籍において、各頁は前記第一関係値計算手段により計算された前記所定数の対象の各一定期間毎の対応数値の総和に関係する第一関係値及び前記第二関係値計算手段により計算された前記所定数の対象を除くその他多数の対象の各一定期間毎の対応数値の総和に関係する第二関係値を示す図表を有し、各頁における前記所定数の値を変動させていることを特徴とする状況解析表示書籍を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示書籍において、各頁は前記所定数総和計算手段により計算された前記所定数の対象の各一定期間毎の第一種対応数値及び第二種対応数値の各々の総和及び前記その他多数総和計算手段により計算された前記所定数の対象を除くその他多数の対象の各一定期間毎の第一種対応数値及び第二種対応数値の各々の総和を示す図表を有し、各頁における前記所定数の値を変動させていることを特徴とする状況解析表示書籍を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示書籍において、各頁は前記第一関係値計算手段により計算された前記所定数の対象の各一定期間毎の第一種対応数値及び第二種対応数値の各々の総和に関係する第一関係値及び前記第二関係値計算手段により計算された前記所定数の対象を除くその他多数の対象の各一定期間毎の第一種対応数値及び第二種対応数値の各々の総和に関係する第二関係値を示す図表を有し、各頁における前記所定数の値を変動させていることを特徴とする状況解析表示書籍を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示システムを提供する。「特定期間変動手段」としては、例えば、特定期間を１９６３年、１９６４年、１９６５年、１９６６年という具合に連続的に規則的に変動するものが考えられる。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有する状況解析表示プログラムを記録した記録媒体を提供する。
また、各一定期間毎の複数の対象及び当該複数の対象に各々対応した複数の対応数値を有する状況を解析表示する複数の頁からなる状況解析表示書籍において、各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し、各頁における前記一定期間の値を変動させていることを特徴とする状況解析表示書籍を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラムを記録した記録媒体を提供する。
また、各一定期間毎の複数の対象及び当該複数の対象に各々対応した複数の対応数値を有する状況を解析表示する複数の頁からなる状況解析表示書籍において、各頁は前記第一関係値計算手段により計算された前記所定数の対象の各一定期間毎の対応数値の総和に関係する第一関係値及び前記第二関係値計算手段により計算された前記所定数の対象を除くその他多数の対象の各一定期間毎の対応数値の総和に関係する第二関係値を示す図表を有し、各頁における前記特定期間の値を変動させていることを特徴とする状況解析表示書籍を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示書籍において、各頁は前記所定数総和計算手段により計算された前記所定数の対象の各一定期間毎の第一種対応数値及び第二種対応数値の各々の総和及び前記その他多数総和計算手段により計算された前記所定数の対象を除くその他多数の対象の各一定期間毎の第一種対応数値及び第二種対応数値の各々の総和を示す図表を有し、各頁における前記特定期間の値を変動させていることを特徴とする状況解析表示書籍を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示書籍において、各頁は前記第一関係値計算手段により計算された前記所定数の対象の各一定期間毎の第一種対応数値及び第二種対応数値の各々の総和に関係する第一関係値及び前記第二関係値計算手段により計算された前記所定数の対象を除くその他多数の対象の各一定期間毎の第一種対応数値及び第二種対応数値の各々の総和に関係する第二関係値を示す図表を有し、各頁における前記特定期間の値を変動させていることを特徴とする状況解析表示書籍を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システムを提供する。「一定期間変動手段」としては、例えば、１０年、５年、１年、６月、１月、１週間、１日という具合に変動するものが考えられる。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体を提供する。
また、各一定期間毎の複数の対象及び当該複数の対象に各々対応した複数の対応数値を有する状況を解析表示する複数の頁からなる状況解析表示書籍において、各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し、各頁における前記一定期間の値を変動させていることを特徴とする状況解析表示書籍を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第一関係値及び第二関係値を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の対応数値を有する状況を解析表示する複数の頁からなる状況解析表示書籍において、各頁は前記第一関係値計算手段により計算された前記所定数の対象の各一定期間毎の対応数値の総和に関係する第一関係値及び前記第二関係値計算手段により計算された前記所定数の対象を除くその他多数の対象の各一定期間毎の対応数値の総和に関係する第二関係値を示す図表を有し、各頁における前記一定期間の値を変動させていることを特徴とする状況解析表示書籍を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記一定期間の値を変動させることにより前記関係値表示過程により表示された第一関係値及び第二関係値を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示書籍において、各頁は前記所定数総和計算手段により計算された前記所定数の対象の各一定期間毎の第一種対応数値及び第二種対応数値の各々の総和及び前記その他多数総和計算手段により計算された前記所定数の対象を除くその他多数の対象の各一定期間毎の第一種対応数値及び第二種対応数値の各々の総和を示す図表を有し、各頁における前記一定期間の値を変動させていることを特徴とする状況解析表示書籍を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第二関係値及び第二関係値を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示書籍において、各頁は前記第一関係値計算手段により計算された前記所定数の対象の各一定期間毎の第一種対応数値及び第二種対応数値の各々の総和に関係する第一関係値及び前記第二関係値計算手段により計算された前記所定数の対象を除くその他多数の対象の各一定期間毎の第一種対応数値及び第二種対応数値の各々の総和に関係する第二関係値を示す図表を有し、各頁における前記一定期間の値を変動させていることを特徴とする状況解析表示書籍を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記一定期間の値を変動させることにより前記関係値表示過程により表示された第一関係値及び第二関係値を変動させる一定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラムを有する状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程及び前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記特定期間の値を変動させることにより前記関係値表示プログラムにより表示された第一関係値及び第二関係値を変動させる特定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム前記特定期間の値を変動させることにより前記関係値表示プログラムにより表示された第一関係値及び第二関係値を変動させる特定期間変動プログラムを有することを特徴とする状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記特定期間の値を変動させることにより前記関係値表示過程により表示された第一関係値及び第二関係値を変動させる特定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程及び前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記特定期間の値を変動させることにより前記関係値表示手段により表示された第一関係値及び第二関係値を変動させる特定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記特定期間の値を変動させることにより前記関係値表示プログラムにより表示された第一関係値及び第二関係値を変動させる特定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記特定期間の値を変動させることにより前記関係値表示プログラムにより表示された第一関係値及び第二関係値を変動させる特定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記特定期間の値を変動させることにより前記関係値表示過程により表示された第一関係値及び第二関係値を変動させる特定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程及び前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記一定期間の値を変動させることにより前記関係値表示過程により表示された第一関係値及び第二関係値を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程及び前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段及び前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程及び前記一定期間の値を変動させることにより前記関係値表示過程により表示された第一関係値及び第二関係値を変動させる一定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程及び前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程及び前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段、前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段、前記特定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる特定期間変動手段及び前記一定期間の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム、前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラム、前記特定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる特定期間変動プログラム及び前記一定期間の値を変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる一定期間変動プログラムを有する状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程、前記特定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる特定期間変動過程及び前記一定期間の値を変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる一定期間変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和に関係する第一関係値を計算する第一関係値計算手段、前記その他多数総和計算手段により計算された前記所定数の対象を除くその他多数の対象の各一定期間毎の対応数値の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和に関係する第一関係値を計算する第一関係値計算プログラム、前記その他多数総和計算プログラムにより計算された前記所定数の対象を除くその他多数の対象の各一定期間毎の対応数値の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和に関係する第一関係値を計算する第一関係値計算過程、前記その他多数総和計算過程により計算された前記所定数の対象を除くその他多数の対象の各一定期間毎の対応数値の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程、前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段、前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和を表示する第一表示手段及び前記その他多数総和計算手段により計算された前記所定数の対象を除くその他多数の対象の各一定期間毎の第一種対応数値及び第二種対応数値の各々の総和を表示する第二表示手段並びに前記所定数の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる所定数変動手段、前記特定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる特定期間変動手段及び前記一定期間の値を変動させることにより前記第一表示手段により表示された前記所定数の対象の各一定期間毎の第一種対応数値及び第二種対応数値の各々の総和及び前記第二表示手段により表示された前記所定数の対象を除くその他多数の対象の各一定期間毎の第一種対応数値及び第二種対応数値の各々の総和を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム、前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和を表示する第一表示プログラム及び前記その他多数総和計算プログラムにより計算された前記所定数の対象を除くその他多数の対象の各一定期間毎の第一種対応数値及び第二種対応数値の各々の総和を表示する第二表示プログラム並びに前記所定数の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる所定数変動プログラム、前記特定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる特定期間変動プログラム及び前記一定期間の値を変動させることにより前記第一表示プログラムにより表示された前記所定数の対象の各一定期間毎の第一種対応数値及び第二種対応数値の各々の総和及び前記第二表示プログラムにより表示された前記所定数の対象を除くその他多数の対象の各一定期間毎の第一種対応数値及び第二種対応数値の各々の総和を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和を表示する第一表示過程及び前記その他多数総和計算過程により計算された前記所定数の対象を除くその他多数の対象の各一定期間毎の第一種対応数値及び第二種対応数値の各々の総和を表示する第二表示過程並びに前記所定数の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる所定数変動過程、前記特定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる特定期間変動過程及び前記一定期間の値を変動させることにより前記第一表示過程により表示された前記所定数の対象の各一定期間毎の第一種対応数値及び第二種対応数値の各々の総和及び前記第二表示過程により表示された前記所定数の対象を除くその他多数の対象の各一定期間毎の第一種対応数値及び第二種対応数値の各々の総和を変動させる一定期間変動過程を有することを特徴とする状況解析表示方法を提供する。
また、各一定期間毎の複数の対象及び当該複数の対象に各々対応した複数の第一種対応数値及び第二種対応数値を有する状況を解析表示する状況解析表示システムにおいて、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示システムを提供する。
また、各一定期間毎の複数の対象及び当該複数の対象に各々対応した複数の第一種対応数値及び第二種対応数値を有する状況を解析表示する状況解析表示装置において、特定期間における第一種対応数値の大きい順に所定数の対象を選択する選択手段、当該選択手段により選択された所定数の対象の各一定期間毎の第一種対応数値及び第二種対応数値の各々の総和を計算する所定数総和計算手段、前記所定数の対象を除くその他多数の対象の各一定期間毎の第一種対応数値及び第二種対応数値の各々の総和を計算するその他多数総和計算手段、前記所定数総和計算手段により計算された前記所定数の対象の各一定期間毎の第一種対応数値及び第二種対応数値の各々の総和に関係する第一関係値を計算する第一関係値計算手段、前記その他多数総和計算手段により計算された前記所定数の対象を除くその他多数の対象の各一定期間毎の第一種対応数値及び第二種対応数値の各々の総和に関係する第二関係値を計算する第二関係値計算手段及び前記第一関係値及び第二関係値を表示する関係値表示手段並びに前記所定数の値を変動させることにより前記関係値表示手段により表示された第一関係値及び第二関係値を変動させる所定数変動手段、前記特定期間の値を変動させることにより前記関係値表示手段により表示された第一関係値及び第二関係値を変動させる特定期間変動手段及び前記一定期間の値を変動させることにより前記関係値表示手段により表示された第一関係値及び第二関係値を変動させる一定期間変動手段を有することを特徴とする状況解析表示装置を提供する。
また、各一定期間毎の複数の対象及び当該複数の対象に各々対応した複数の第一種対応数値及び第二種対応数値を有する状況を解析表示する状況解析表示プログラムにおいて、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを提供する。
また、各一定期間毎の複数の対象及び当該複数の対象に各々対応した複数の第一種対応数値及び第二種対応数値を有する状況を解析表示する状況解析表示プログラムを記録した記録媒体において、特定期間における第一種対応数値の大きい順に所定数の対象を選択する選択プログラム、当該選択プログラムにより選択された所定数の対象の各一定期間毎の第一種対応数値及び第二種対応数値の各々の総和を計算する所定数総和計算プログラム、前記所定数の対象を除くその他多数の対象の各一定期間毎の第一種対応数値及び第二種対応数値の各々の総和を計算するその他多数総和計算プログラム、前記所定数総和計算プログラムにより計算された前記所定数の対象の各一定期間毎の第一種対応数値及び第二種対応数値の各々の総和に関係する第一関係値を計算する第一関係値計算プログラム、前記その他多数総和計算プログラムにより計算された前記所定数の対象を除くその他多数の対象の各一定期間毎の第一種対応数値及び第二種対応数値の各々の総和に関係する第二関係値を計算する第二関係値計算プログラム及び前記第一関係値及び第二関係値を表示する関係値表示プログラム並びに前記所定数の値を変動させることにより前記関係値表示プログラムにより表示された第一関係値及び第二関係値を変動させる所定数変動プログラム、前記特定期間の値を変動させることにより前記関係値表示プログラムにより表示された第一関係値及び第二関係値を変動させる特定期間変動プログラム及び前記一定期間の値を変動させることにより前記関係値表示プログラムにより表示された第一関係値及び第二関係値を変動させる一定期間変動プログラムを有することを特徴とする状況解析表示プログラムを記録した記録媒体を提供する。
また、各一定期間毎の複数の対象及び当該複数の対象に各々対応した複数の第一種対応数値及び第二種対応数値を有する状況を解析表示する状況解析表示方法において、特定期間における第一種対応数値の大きい順に所定数の対象を選択する選択過程、当該選択過程により選択された所定数の対象の各一定期間毎の第一種対応数値及び第二種対応数値の各々の総和を計算する所定数総和計算過程、前記所定数の対象を除くその他多数の対象の各一定期間毎の第一種対応数値及び第二種対応数値の各々の総和を計算するその他多数総和計算過程、前記所定数総和計算過程により計算された前記所定数の対象の各一定期間毎の第一種対応数値及び第二種対応数値の各々の総和に関係する第一関係値を計算する第一関係値計算過程、前記その他多数総和計算過程により計算された前記所定数の対象を除くその他多数の対象の各一定期間毎の第一種対応数値及び第二種対応数値の各々の総和に関係する第二関係値を計算する第二関係値計算過程及び前記第一関係値及び第二関係値を表示する関係値表示過程並びに前記所定数の値を変動させることにより前記関係値表示過程により表示された第一関係値及び第二関係値を変動させる所定数変動過程、前記特定期間の値を変動させることにより前記関係値表示過程により表示された第一関係値及び第二関係値を変動させる特定期間変動過程及び前記一定期間の値を変動させることにより前記関係値表示過程により表示された第一関係値及び第二関係値を変動させる一定期間変動過程を有することを特徴とする状況解析表示方法を提供する。
また、前記第一関係値は前記所定数総和計算手段により計算された前記所定数の対象の各一定期間毎の対応数値の総和と前記その他多数総和計算手段により計算された前記所定数の対象を除くその他多数の対象の各一定期間毎の対応数値の総和の全総和のうち前記所定数の対象の各一定期間毎の対応数値の総和の占める比率及び前記第二関係値は前記全総和のうち前記所定数の対象を除くその他多数の対象の各一定期間毎の対応数値の総和の占める比率であることが好ましい。
また、前記第一関係値は前記所定数総和計算手段により計算された前記所定数の対象の各一定期間毎の第一種対応数値の総和と第二種対応数値の総和の全総和のうち第一種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第一種対応数値の総和の占める比率であることが好ましい。
また、前記第一関係値は前記所定数総和計算手段により計算された前記所定数の対象の各一定期間毎の第一種対応数値の総和と第二種対応数値の総和の全総和のうち第二種対応数値の総和の占める比率及び前記第二関係値は前記その他多数総和計算手段により計算された前記所定数の対象を除くその他多数の対象の各一定期間毎の第一種対応数値の総和と第二種対応数値の総和の全総和のうち第二種対応数値の総和の占める比率であることが好ましい。
また、前記所定数変動手段は前記所定数を当該所定数毎に変動させる所定数毎変動手段であることが好ましい。
また、前記所定数変動手段は前記所定数を連続的に変動させる連続的変動手段であることが好ましい。
また、前記所定数変動プログラムは、前記所定数を連続的に変動させる連続的変動プログラムであることが好ましい。
また、前記所定数変動過程は前記所定数を連続的に変動させる連続的変動過程であることが好ましい。
また、前記所定数を当該特別定数毎に変動させている状況解析表示書籍が好ましい。「特別定数」とは、所定数以外の定数をいう。
発明を実施するための最良の形態
本発明をより詳細に添付の図面に従って説明する。
第１図は、本発明の第一実施例に係る状況解析表示システムの機能ブロック図を示す。第１図に示されるように、本発明に係る状況解析表示システムの第一実施例は、中央処理装置（ＣＰＵ）やＲＡＭやＲＯＭと回線を介して接続されている手段として、選択手段、所定数総和計算手段、その他多数総和計算手段、第一表示手段、第二表示手段及び所定数変動手段を有している。また、本実施例においては、各一定期間毎の複数の対象及び当該複数の対象に各々対応した複数の第一種対応数値及び第二種対応数値を有する状況の１つとして、各一定期間毎の対象が各年毎の出願人であり、対応数値はこれらの出願人の実用新案登録出願件数（第一種対応数値）及び特許出願件数（第二種対応数値）であるという出願状況を取扱い、そのための状況（出願状況）データベースに接続されている。
次に、本発明の第一実施例に係る状況解析表示システムにおける各手段の具体的機能を説明する。
第２図は、上記手段を有する本発明の第一実施例に係る状況解析表示システムにおける処理の流れ即ちフローチャートを示す図である。
パソコン画面等の画面を表示した後、状況（出願状況）データベースから各一定期間毎の複数の対象及び複数の対応数値を受け付ける。
その後、第２図に示すフローチャートに記載のように、選択手段は、特定期間における対応数値の大きい順に所定数の対象を選択するためのもので、所定数総和計算手段は、この選択手段により選択された所定数の対象の各一定期間毎の対応数値の総和を計算する機能を有している。その他多数総和計算手段は、前記所定数の対象を除くその他多数の対象の各一定期間毎の対応数値の総和を計算するための機能を有し、本実施例においては、各一定期間毎の全ての対応数値の総和から前記所定数の対象の各一定期間毎の対応数値の総和を差し引く差引手段である。
第一表示手段は、所定数総和計算手段により計算された前記所定数の対象の各一定期間毎の対応数値の総和を表示するためのもので、第二表示手段は、その他多数総和計算手段により計算された前記所定数の対象を除くその他多数の対象の各一定期間毎の対応数値の総和を表示するためのものである。所定数変動手段は、上記所定数を変動させることにより、第一表示手段により表示された前記所定数の対象の各一定期間毎の対応数値の総和及び前記第二表示手段により表示された所定数の対象を除くその他多数の対象の各一定期間毎の対応数値の総和を変動させるためのものである。
次に、上記構成（機能ブロック）を有する状況解析表示システムについての作用・効果を説明する。
まず、状況（出願状況）データベースから各一定期間毎の複数の対象及び複数の対応数値を受け付けた後、ＣＰＵからの指令に基づき、選択手段により、状況（出願状況）データベースから、特定期間における対応数値の大きい順に所定数の対象を選択する。本実施例においては、実用新案登録出願件数（第一種対応数値）の多い（大きい）順に出願人を選択する。具体的には、昭和６２年（１９８７年）中に出願公開された実用新案登録出願件数は２０４，６０８件（特許協力条約に基づく公表、再公表も含む。）であるが、この公開件数の多い順に所定数（本実施例においては１０社毎３００社まで）の対象を選択する。即ち、出願公開される時期が昭和６２年（１９８７年）中になるような出願期間つまり当時の日本実用新案法の規定上公開時期は出願日から１年６月経過後であるので、原則として昭和６０年（１９８５年）７月１日から昭和６１年（１９８６年）６月３０日を特定期間としていることになる。具体的に、実用新案登録出願件数順に１社から３００社までを並べると第３図乃至第６図のようになる。即ち、第３図は、上位１位社から上位９０位社までの出願人の社名と出願件数を示す図である。第４図は、上位９１位社から上位１８０位社までの出願人の社名と出願件数を示す図である。第５図は、上位１８１位社から上位２７０位社までの出願人の社名と出願件数を示す図である。第６図は、上位２７１位社から上位３００位社までの出願人の社名と出願件数を示す図である。尚、出願件数が同じ件数の場合、出願人の出願順位は便宜上五十音順に並べている。尚、第３図乃至第６図における数値自体は、既に、日本特許庁又は社団法人発明協会が発行した刊行物に開示されている。
まず、選択手段により、第７図及び第８図に示されるように、所定数（１０）の上位出願人が選択される。その後、所定数総和計算手段により、各出願人の実用新案登録出願件数（第一種対応数値）及び特許出願件数（第二種対応数値）の各一定期間（本実施例においては暦年）毎の総和が計算される。第７図に示す表において、２列目と３列目の特許及び実用新案は日本国における各暦年毎の全特許出願件数及び全実用新案登録出願件数を指す。
尚、第７図及び第８図における１行目の１社、２社、等は各々、第３図乃至第６図における出願順位に該当する出願人を指す。例えば、三菱電機を１社、日本電気を３社、日産自動車を６社、松下電工を９社という。また、第７図及び第８図における１行目中の特願及び実願は各々、特許出願件数及び実用新案登録出願件数を指す。例えば、２社特願とは、２社（三菱重工業）の特許出願件数、２社実願とは、２社（三菱重工業）の実用新案登録出願件数を指す。第７図においては、１社から８社まで各々、各暦年毎の特許出願件数及び実用新案登録出願件数が示されている。
尚、空白欄は不明又は不存在等の理由でデータを入手できなかった個所で、本実施例においては便宜上数値（件数）０として取り扱っている。これらの点は第７図乃至第６６図まで同様である。
第８図の表の右から４列目及び３列目の「１−１０社特願」及び「１−１０社実願」は、各々、上記１社から１０社までの各暦年毎の特許出願件数の合計件数及び実用新案登録出願件数の合計件数を指す。また、第８図の右から２列目及び１列目の「１０社徐特願」及び「１０社徐実願」は、各々、各暦年毎の特許出願件数の全合計件数及び実用新案登録出願件数の全合計件数から上記１位社から１０位社までの各暦年毎の特許出願件数の合計件数及び実用新案登録出願件数の合計件数を差し引いた、即ち、上位１０社を除くその他多数の出願人による特許及び実用新案の出願件数を指す。この上位１０社を除く出願人による出願件数は、その他多数総和計算手段により計算されるが、本実施例においては、全出願件数から上位１０社の出願件数を差し引く差引手段を用いている。即ち、第７図における第２列目の数値即ち各暦年毎の全特許出願件数から第８図における右から４列目の数値即ち上位１０社（１位社から１０位社まで）の各暦年毎の特許出願件数の合計件数を差し引くことにより、第８図における右から２列目の数値即ち上位１０社を除くその他多数の出願人による特許出願件数を計算している。同様に、第７図における第３列目の数値即ち各暦年毎の全実用新案登録出願件数から第８図における右から３列目の数値即ち上位１０社（１位社から１０位社まで）の各暦年毎の実用新案登録出願件数の合計件数を差し引くことにより、第８図における右から１列目の数値即ち上位１０社を除くその他多数の出願人による実用新案登録出願件数を計算している。
この第８図における右から４列目の上位１０社の各暦年毎の特許出願件数の合計、右から３列目の上位１０社の各暦年毎の実用新案登録出願件数の合計、右から２列目の上位１０社を除くその他多数の出願人の各暦年毎の特許出願件数の合計及び右から１列目の上位１０社を除くその他多数の出願人の各暦年毎の実用新案登録出願件数の合計を図示したものが第６７図である。第６７図は、横軸に暦年（１９５５年乃至１９９８年）及び縦軸に出願件数を示している。尚、上記図示は、第一表示手段及び第二表示手段によりなされる。即ち、第一表示手段により第８図における右から４列目の上位１０社の各暦年毎の特許出願件数の合計及び右から３列目の上位１０社の各暦年毎の実用新案登録出願件数の合計が表示され、第二表示手段により第８図における右から２列目の上位１０社を除くその他多数の出願人の各暦年毎の特許出願件数の合計及び右から１列目の上位１０社を除くその他多数の出願人の各暦年毎の実用新案登録出願件数の合計が表示される。この点は、第７図乃至第６６図においても同様である。第６７図において、「１−１０社特願」とは上位１０社（１位社から１０位社まで）の各暦年毎の特許出願件数の合計件数、「１−１０社実願」とは上位１０社（１位社から１０位社まで）の各暦年毎の実用新案登録出願件数の合計件数、「１０社徐特願」とは上位１０社を除くその他多数の出願人の各暦年毎の特許出願件数の合計件数及び「１０社徐実願」とは上位１０社を除くその他多数の出願人の各暦年毎の実用新案登録出願件数の合計件数を指す。
次に、第９図及び第１０図に示されるように、上位２０社の各暦年毎の特許出願件数の合計、上位２０社の各暦年毎の実用新案登録出願件数の合計、上位２０社を除くその他多数の出願人の各暦年毎の特許出願件数の合計及び上位２０社を除くその他多数の出願人の各暦年毎の実用新案登録出願件数の合計が計算される。即ち、所定数変動手段により、所定数を「１０」から「２０」に変更する。従って、選択手段により、上位２０社が選択されることになる。第９図及び第１０図における第１行目の１１社特願、１１社実願、１２社特願、１２社実願等は、前述した第７図及び第８図と同様に、例えば、各々、１１社（松下電器産業）の特許出願件数、１１社の実用新案登録出願件数、１２社（本田技研工業）の特許出願件数、１２社の実用新案登録出願件数等を指す。第１０図の右から７列目及び６列目の「１１−２０社特願」及び「１１−２０社実願」は、各々、１１社から２０社までの特許出願件数の合計及び実用新案登録出願件数の合計を表示している。第１０図の右から４列目及び３列目は、各々、上位１位社（１社）から上位２０位社（２０社）までの各暦年毎の特許出願件数の合計件数及び実用新案登録出願件数の合計件数を指す。本実施例においては、第１０図の右から７列目の数値即ち上位１１位社から上位２０位社までの各暦年毎の特許出願件数の合計件数を第８図の右から４列目の数値即ち上位１位社から上位１０位社までの各暦年毎の特許出願件数の合計件数に加えることにより、第１０図の右から４列目の数値即ち上位２０社の特許出願件数の合計件数が計算される。
また、同様に、第１０図における右から６列目の数値即ち上位１１位社から上位２０位社までの各暦年毎の実用新案登録出願件数の合計件数を第８図の右から３列目の数値即ち上位１位社から上位１０位社までの各暦年毎の実用新案登録出願件数の合計件数に加えることにより第１０図の右から３列目の数値即ち上位２０社の実用新案登録出願件数の合計件数を計算している。尚、これらの計算は、所定数総和計算手段によりなされる。
第１０図における右から２列目及び１列目は、各々、各暦年毎の特許出願件数の全合計件数及び実用新案登録出願件数の全合計件数から上記１位社から２０位社までの各暦年毎の特許出願件数の合計件数及び実用新案登録出願件数の合計件数を差し引いた、即ち、上位２０社を除く出願人による出願件数を指す。本実施例においては、第１０図における右から４列目の数値即ち上位２０社（上位１位社から上位２０位社まで）の各暦年毎の特許出願件数の合計件数を第７図における第２列目の数値即ち各暦年毎の全特許出願件数から差し引くことにより、第１０図における右から２列目の数値即ち上位２０社の出願人を除くその他多数の出願人の特許出願件数の合計を計算している。
また、同様に、第１０図における右から３列目の数値即ち上位２０社（上位１位社から上位２０位社まで）の各暦年毎の実用新案登録出願件数の合計件数を第７図における第３列目の数値即ち各暦年毎の全実用新案登録出願件数から差し引くことにより、第１０図における右から１列目の数値即ち上位２０社の出願人を除くその他多数の出願人の実用新案登録出願件数の合計件数を計算している。尚、これらの計算は、その他多数総和計算手段である差引手段によりなされる。
この第１０図における右から４列目の上位２０社の特許出願件数の合計、右から３列目の上位２０社の実用新案登録出願件数の合計、右から２列目の上位２０社を除くその他多数の出願人の特許出願件数の合計及び右から１列目の上位２０社を除くその他多数の出願人の実用新案登録出願件数の合計を図示したものが第６８図である。第６８図は、横軸に暦年（１９５５年乃至１９９８年）及び縦軸に出願件数を示している。第６８図において、「１−２０社特願」とは上位２０社（１位社から２０位社まで）の各暦年毎の特許出願件数の合計件数、「１−２０社実願」とは上位２０社（１位社から２０位社まで）の各暦年毎の実用新案登録出願件数の合計件数、「２０社徐特願」とは上位２０社を除くその他多数の出願人の各暦年毎の特許出願件数の合計件数及び「２０社徐実願」とは上位２０社を除くその他多数の出願人の各暦年毎の実用新案登録出願件数の合計件数を指す。
次に、第１１図及び第１２図に示されるように、上位３０社の特許出願件数の合計、上位３０社の実用新案登録出願件数の合計、上位３０社を除くその他多数の出願人の特許出願件数の合計及び上位３０社を除くその他多数の出願人の実用新案登録出願件数の合計が計算される。即ち、所定数変動手段により、所定数を「２０」から「３０」に変更する。従って、選択手段により、上位３０社が選択されることになる。第１１図及び第１２図における第１行目の２１社特願、２１社実願、２２社特願、２２社実願等は、各々、上位２１位社（２１社（富士通））の特許出願件数、上位２１位社の実用新案登録出願件数、上位２２位社（２２社（ソニー））の特許出願件数、上位２２位社の実用新案登録出願件数等を指す。第１２図の右から７列目及び６列目の「２１−３０社特願」及び「２１−３０社実願」は、各々、上位２１位社から上位３０位社までの特許出願件数の合計及び実用新案登録出願件数の合計を表示している。第１２図の右から４列目及び３列目の「１−３０社特願」及び「１−３０社実願」は、各々、上位１位社から上位３０位社までの各暦年毎の特許出願件数の合計件数及び実用新案登録出願件数の合計件数を指す。本実施例においては、第１２図の右から７列目の数値「２１−３０社特願」即ち上位２１位社から上位３０位社までの各暦年毎の特許出願件数の合計件数を第１０図の右から４列目の数値「１−２０社特願」即ち上位１位社から上位２０位社までの各暦年毎の特許出願件数の合計件数に加えることにより、第１２図の右から４列目の数値「１−３０社特願」即ち上位３０社の特許出願件数の合計件数が計算される。
また、同様に、第１２図の右から６列目の数値「２１−３０社実願」即ち上位２１位社から上位３０位社までの各暦年毎の実用新案登録出願件数の合計件数を第１０図の右から３列目の数値「１−２０社実願」即ち上位１位社から上位２０位社までの各暦年毎の実用新案登録出願件数の合計件数に加えることにより第１２図の右から３列目の数値「１−３０社実願」即ち上位３０社の実用新案登録出願件数の合計件数を計算している。尚、これらの計算は、所定数総和計算手段によりなされる。
第１２図における右から２列目及び１列目のは、各々、各暦年毎の特許出願件数の全合計件数及び実用新案登録出願件数の全合計件数から上記１位社から３０位社までの各暦年毎の特許出願件数の合計件数及び実用新案登録出願件数の合計件数を差し引いた、即ち、上位３０社を除く出願人による出願件数を指す。本実施例においては、第１２図における右から４列目の数値即ち上位３０社（上位１位社から上位３０位社まで）の各暦年毎の特許出願件数の合計件数を第７図における第２列目の数値即ち各暦年毎の全特許出願件数から差し引くことにより、第１２図における右から２列目の数値即ち上位３０社の出願人を除くその他多数の出願人の特許出願件数の合計を計算している。
また、同様に、第１２図における右から３列目の数値「１−３０社実願」即ち上位３０社（上位１位社から上位３０位社まで）の各暦年毎の実用新案登録出願件数の合計件数を第７図における第３列目の数値「実用新案」即ち各暦年毎の全実用新案登録出願件数から差し引くことにより、第１２図における右から１列目の数値「３０社徐実願」即ち上位３０社の出願人を除くその他多数の出願人の実用新案登録出願件数の合計件数を計算している。尚、これらの計算は、その他多数総和計算手段である差引手段によりなされる。
この第１２図における右から４列目の上位３０社の特許出願件数の合計、右から３列目の上位３０社の実用新案登録出願件数の合計、右から２列目の上位３０社を除くその他多数の出願人の特許出願件数の合計及び右から１列目の上位３０社を除くその他多数の出願人の実用新案登録出願件数の合計を図示したものが第６９図である。第６９図は、横軸に暦年（１９５５年乃至１９９８年）及び縦軸に出願件数を示している。第６９図において、「１−３０社特願」とは上位３０社（１位社から３０位社まで）の各暦年毎の特許出願件数の合計件数、「１−３０社実願」とは上位３０社（１位社から３０位社まで）の各暦年毎の実用新案登録出願件数の合計件数、「３０社徐特願」とは上位３０社を除くその他多数の出願人の各暦年毎の特許出願件数の合計件数及び「３０社徐実願」とは上位３０社を除くその他多数の出願人の各暦年毎の実用新案登録出願件数の合計件数を指す。
上述してきた如く、所定数変動手段により、所定数を「１０」ずづ変動させていき、以下、同様にして、「１−４０社」「１−５０社」「１−６０社」・・・・・・・「１−２９０社」「１−３００社」についても、同様の図表を作成し画面表示していく。
具体的には、第１４図は、４０社の各暦年毎の特許・実用新案の各出願件数及び上位３１社から４０社までの各暦年毎の特許・実用新案の各合計出願件数並びに上位４０社の特許・実用新案の各暦年毎の各合計出願件数及び上位４０社を除くその他多数の出願人の特許・実用新案の各暦年毎の各合計出願件数を示す図で、第７０図は、この第１４図における上位４０社の特許・実用新案の各暦年毎の各合計出願件数及び上位４０社を除くその他多数の出願人の特許・実用新案の各暦年毎の各合計出願件数を示す図である。
第１６図は、５０社の各暦年毎の特許・実用新案の各出願件数及び上位４１社から５０社までの各暦年毎の特許・実用新案の各合計出願件数並びに上位５０社の特許・実用新案の各暦年毎の各合計出願件数及び上位５０社を除くその他多数の出願人の特許・実用新案の各暦年毎の各合計出願件数を示す図で、第７１図は、この第１６図における上位５０社の特許・実用新案の各暦年毎の各合計出願件数及び上位５０社を除くその他多数の出願人の特許・実用新案の各暦年毎の各合計出願件数を示す図である。
第１８図は、６０社の各暦年毎の特許・実用新案の各出願件数及び上位５１社から６０社までの各暦年毎の特許・実用新案の各合計出願件数並びに上位６０社の特許・実用新案の各暦年毎の各合計出願件数及び上位６０社を除くその他多数の出願人の特許・実用新案の各暦年毎の各合計出願件数を示す図で、第７２図は、この第１８図における上位６０社の特許・実用新案の各暦年毎の各合計出願件数及び上位６０社を除くその他多数の出願人の特許・実用新案の各暦年毎の各合計出願件数を示す図である。
第２０図は、７０社の各暦年毎の特許・実用新案の各出願件数及び上位６１社から７０社までの各暦年毎の特許・実用新案の各合計出願件数並びに上位７０社の特許・実用新案の各暦年毎の各合計出願件数及び上位７０社を除くその他多数の出願人の特許・実用新案の各暦年毎の各合計出願件数を示す図で、第７３図は、この第２０図における上位７０社の特許・実用新案の各暦年毎の各合計出願件数及び上位７０社を除くその他多数の出願人の特許・実用新案の各暦年毎の各合計出願件数を示す図である。
第２２図は、８０社の各暦年毎の特許・実用新案の各出願件数及び上位７１社から８０社までの各暦年毎の特許・実用新案の各合計出願件数並びに上位８０社の特許・実用新案の各暦年毎の各合計出願件数及び上位８０社を除くその他多数の出願人の特許・実用新案の各暦年毎の各合計出願件数を示す図で、第７４図は、この第２２図における上位８０社の特許・実用新案の各暦年毎の各合計出願件数及び上位８０社を除くその他多数の出願人の特許・実用新案の各暦年毎の各合計出願件数を示す図である。
第２４図は、９０社の各暦年毎の特許・実用新案の各出願件数及び上位８１社から９０社までの各暦年毎の特許・実用新案の各合計出願件数並びに上位９０社の特許・実用新案の各暦年毎の各合計出願件数及び上位９０社を除くその他多数の出願人の特許・実用新案の各暦年毎の各合計出願件数を示す図で、第７５図は、この第２４図における上位９０社の特許・実用新案の各暦年毎の各合計出願件数及び上位９０社を除くその他多数の出願人の特許・実用新案の各暦年毎の各合計出願件数を示す図である。
第２６図は、１００社の各暦年毎の特許・実用新案の各出願件数及び上位９１社から１００社までの各暦年毎の特許・実用新案の各合計出願件数並びに上位１００社の特許・実用新案の各暦年毎の各合計出願件数及び上位１００社を除くその他多数の出願人の特許・実用新案の各暦年毎の各合計出願件数を示す図で、第７６図は、この第２６図における上位１００社の特許・実用新案の各暦年毎の各合計出願件数及び上位１００社を除くその他多数の出願人の特許・実用新案の各暦年毎の各合計出願件数を示す図である。
第２８図は、１１０社の各暦年毎の特許・実用新案の各出願件数及び上位１０１社から１１０社までの各暦年毎の特許・実用新案の各合計出願件数並びに上位１１０社の特許・実用新案の各暦年毎の各合計出願件数及び上位１１０社を除くその他多数の出願人の特許・実用新案の各暦年毎の各合計出願件数を示す図で、第７７図は、この第２８図における上位１１０社の特許・実用新案の各暦年毎の各合計出願件数及び上位１１０社を除くその他多数の出願人の特許・実用新案の各暦年毎の各合計出願件数を示す図である。
第３０図は、１２０社の各暦年毎の特許・実用新案の各出願件数及び上位１１１社から１２０社までの各暦年毎の特許・実用新案の各合計出願件数並びに上位１２０社の特許・実用新案の各暦年毎の各合計出願件数及び上位１２０社を除くその他多数の出願人の特許・実用新案の各暦年毎の各合計出願件数を示す図で、第７８図は、この第３０図における上位１２０社の特許・実用新案の各暦年毎の各合計出願件数及び上位１２０社を除くその他多数の出願人の特許・実用新案の各暦年毎の各合計出願件数を示す図である。
第３２図は、１３０社の各暦年毎の特許・実用新案の各出願件数及び上位１２１社から１３０社までの各暦年毎の特許・実用新案の各合計出願件数並びに上位１３０社の特許・実用新案の各暦年毎の各合計出願件数及び上位１３０社を除くその他多数の出願人の特許・実用新案の各暦年毎の各合計出願件数を示す図で、第７９図は、この第３２図における上位１３０社の特許・実用新案の各暦年毎の各合計出願件数及び上位１３０社を除くその他多数の出願人の特許・実用新案の各暦年毎の各合計出願件数を示す図である。
第３４図は、１４０社の各暦年毎の特許・実用新案の各出願件数及び上位１３１社から１４０社までの各暦年毎の特許・実用新案の各合計出願件数並びに上位１４０社の特許・実用新案の各暦年毎の各合計出願件数及び上位１４０社を除くその他多数の出願人の特許・実用新案の各暦年毎の各合計出願件数を示す図で、第８０図は、この第３４図における上位１４０社の特許・実用新案の各暦年毎の各合計出願件数及び上位１４０社を除くその他多数の出願人の特許・実用新案の各暦年毎の各合計出願件数を示す図である。
第３６図は、１５０社の各暦年毎の特許・実用新案の各出願件数及び上位１４１社から１５０社までの各暦年毎の特許・実用新案の各合計出願件数並びに上位１５０社の特許・実用新案の各暦年毎の各合計出願件数及び上位１５０社を除くその他多数の出願人の特許・実用新案の各暦年毎の各合計出願件数を示す図で、第８１図は、この第３６図における上位１５０社の特許・実用新案の各暦年毎の各合計出願件数及び上位１５０社を除くその他多数の出願人の特許・実用新案の各暦年毎の各合計出願件数を示す図である。
第３８図は、１６０社の各暦年毎の特許・実用新案の各出願件数及び上位１５１社から１６０社までの各暦年毎の特許・実用新案の各合計出願件数並びに上位１６０社の特許・実用新案の各暦年毎の各合計出願件数及び上位１６０社を除くその他多数の出願人の特許・実用新案の各暦年毎の各合計出願件数を示す図で、第８２図は、この第３８図における上位１６０社の特許・実用新案の各暦年毎の各合計出願件数及び上位１６０社を除くその他多数の出願人の特許・実用新案の各暦年毎の各合計出願件数を示す図である。
第４０図は、１７０社の各暦年毎の特許・実用新案の各出願件数及び上位１６１社から１７０社までの各暦年毎の特許・実用新案の各合計出願件数並びに上位１７０社の特許・実用新案の各暦年毎の各合計出願件数及び上位１７０社を除くその他多数の出願人の特許・実用新案の各暦年毎の各合計出願件数を示す図で、第８３図は、この第４０図における上位１７０社の特許・実用新案の各暦年毎の各合計出願件数及び上位１７０社を除くその他多数の出願人の特許・実用新案の各暦年毎の各合計出願件数を示す図である。
第４２図は、１８０社の各暦年毎の特許・実用新案の各出願件数及び上位１７１社から１８０社までの各暦年毎の特許・実用新案の各合計出願件数並びに上位１８０社の特許・実用新案の各暦年毎の各合計出願件数及び上位１８０社を除くその他多数の出願人の特許・実用新案の各暦年毎の各合計出願件数を示す図で、第８４図は、この第４２図における上位１８０社の特許・実用新案の各暦年毎の各合計出願件数及び上位１８０社を除くその他多数の出願人の特許・実用新案の各暦年毎の各合計出願件数を示す図である。
第４４図は、１９０社の各暦年毎の特許・実用新案の各出願件数及び上位１８１社から１９０社までの各暦年毎の特許・実用新案の各合計出願件数並びに上位１９０社の特許・実用新案の各暦年毎の各合計出願件数及び上位１９０社を除くその他多数の出願人の特許・実用新案の各暦年毎の各合計出願件数を示す図で、第８５図は、この第４４図における上位１９０社の特許・実用新案の各暦年毎の各合計出願件数及び上位１９０社を除くその他多数の出願人の特許・実用新案の各暦年毎の各合計出願件数を示す図である。
第４６図は、２００社の各暦年毎の特許・実用新案の各出願件数及び上位１９１社から２００社までの各暦年毎の特許・実用新案の各合計出願件数並びに上位２００社の特許・実用新案の各暦年毎の各合計出願件数及び上位２００社を除くその他多数の出願人の特許・実用新案の各暦年毎の各合計出願件数を示す図で、第８６図は、この第４６図における上位２００社の特許・実用新案の各暦年毎の各合計出願件数及び上位２００社を除くその他多数の出願人の特許・実用新案の各暦年毎の各合計出願件数を示す図である。
第４８図は、２１０社の各暦年毎の特許・実用新案の各出願件数及び上位２０１社から２１０社までの各暦年毎の特許・実用新案の各合計出願件数並びに上位２１０社の特許・実用新案の各暦年毎の各合計出願件数及び上位２１０社を除くその他多数の出願人の特許・実用新案の各暦年毎の各合計出願件数を示す図で、第８７図は、この第４８図における上位２１０社の特許・実用新案の各暦年毎の各合計出願件数及び上位２１０社を除くその他多数の出願人の特許・実用新案の各暦年毎の各合計出願件数を示す図である。
第５０図は、２２０社の各暦年毎の特許・実用新案の各出願件数及び上位２１１社から２２０社までの各暦年毎の特許・実用新案の各合計出願件数並びに上位２２０社の特許・実用新案の各暦年毎の各合計出願件数及び上位２２０社を除くその他多数の出願人の特許・実用新案の各暦年毎の各合計出願件数を示す図で、第８８図は、この第５０図における上位２２０社の特許・実用新案の各暦年毎の各合計出願件数及び上位２２０社を除くその他多数の出願人の特許・実用新案の各暦年毎の各合計出願件数を示す図である。
第５２図は、２３０社の各暦年毎の特許・実用新案の各出願件数及び上位２２１社から２３０社までの各暦年毎の特許・実用新案の各合計出願件数並びに上位２３０社の特許・実用新案の各暦年毎の各合計出願件数及び上位２３０社を除くその他多数の出願人の特許・実用新案の各暦年毎の各合計出願件数を示す図で、第８９図は、この第５２図における上位２３０社の特許・実用新案の各暦年毎の各合計出願件数及び上位２３０社を除くその他多数の出願人の特許・実用新案の各暦年毎の各合計出願件数を示す図である。
第５４図は、２４０社の各暦年毎の特許・実用新案の各出願件数及び上位２３１社から２４０社までの各暦年毎の特許・実用新案の各合計出願件数並びに上位２４０社の特許・実用新案の各暦年毎の各合計出願件数及び上位２４０社を除くその他多数の出願人の特許・実用新案の各暦年毎の各合計出願件数を示す図で、第９０図は、この第５４図における上位２４０社の特許・実用新案の各暦年毎の各合計出願件数及び上位２４０社を除くその他多数の出願人の特許・実用新案の各暦年毎の各合計出願件数を示す図である。
第５６図は、２５０社の各暦年毎の特許・実用新案の各出願件数及び上位２４１社から２５０社までの各暦年毎の特許・実用新案の各合計出願件数並びに上位２５０社の特許・実用新案の各暦年毎の各合計出願件数及び上位２５０社を除くその他多数の出願人の特許・実用新案の各暦年毎の各合計出願件数を示す図で、第９１図は、この第５６図における上位２５０社の特許・実用新案の各暦年毎の各合計出願件数及び上位２５０社を除くその他多数の出願人の特許・実用新案の各暦年毎の各合計出願件数を示す図である。
第５８図は、２６０社の各暦年毎の特許・実用新案の各出願件数及び上位２５１社から２６０社までの各暦年毎の特許・実用新案の各合計出願件数並びに上位２６０社の特許・実用新案の各暦年毎の各合計出願件数及び上位２６０社を除くその他多数の出願人の特許・実用新案の各暦年毎の各合計出願件数を示す図で、第９２図は、この第５８図における上位２６０社の特許・実用新案の各暦年毎の各合計出願件数及び上位２６０社を除くその他多数の出願人の特許・実用新案の各暦年毎の各合計出願件数を示す図である。
第６０図は、２７０社の各暦年毎の特許・実用新案の各出願件数及び上位２６１社から２７０社までの各暦年毎の特許・実用新案の各合計出願件数並びに上位２７０社の特許・実用新案の各暦年毎の各合計出願件数及び上位２７０社を除くその他多数の出願人の特許・実用新案の各暦年毎の各合計出願件数を示す図で、第９３図は、この第６０図における上位２７０社の特許・実用新案の各暦年毎の各合計出願件数及び上位２７０社を除くその他多数の出願人の特許・実用新案の各暦年毎の各合計出願件数を示す図である。
第６２図は、２８０社の各暦年毎の特許・実用新案の各出願件数及び上位２７１社から２８０社までの各暦年毎の特許・実用新案の各合計出願件数並びに上位２８０社の特許・実用新案の各暦年毎の各合計出願件数及び上位２８０社を除くその他多数の出願人の特許・実用新案の各暦年毎の各合計出願件数を示す図で、第９４図は、この第６２図における上位２８０社の特許・実用新案の各暦年毎の各合計出願件数及び上位２８０社を除くその他多数の出願人の特許・実用新案の各暦年毎の各合計出願件数を示す図である。
第６４図は、２９０社の各暦年毎の特許・実用新案の各出願件数及び上位２８１社から２９０社までの各暦年毎の特許・実用新案の各合計出願件数並びに上位２９０社の特許・実用新案の各暦年毎の各合計出願件数及び上位２９０社を除くその他多数の出願人の特許・実用新案の各暦年毎の各合計出願件数を示す図で、第９５図は、この第６４図における上位２９０社の特許・実用新案の各暦年毎の各合計出願件数及び上位２９０社を除くその他多数の出願人の特許・実用新案の各暦年毎の各合計出願件数を示す図である。
第６６図は、３００社の各暦年毎の特許・実用新案の各出願件数及び上位２９１社から３００社までの各暦年毎の特許・実用新案の各合計出願件数並びに上位３００社の特許・実用新案の各暦年毎の各合計出願件数及び上位３００社を除くその他多数の出願人の特許・実用新案の各暦年毎の各合計出願件数を示す図で、第９６図は、この第６６図における上位３００社の特許・実用新案の各暦年毎の各合計出願件数及び上位３００社を除くその他多数の出願人の特許・実用新案の各暦年毎の各合計出願件数を示す図である。
このように、本発明の第一実施例に係る状況解析表示システムにおいては、状況（出願状況）を対応数値（出願件数）の大きい（多い）順に所定数の対象（出願人）を選択していき、その所定数の出願人の出願件数の合計件数とその所定数の出願人を除く他の出願人の出願件数の合計件数とに二分し、かつ、この所定数を所定数（１０）毎変動していったので、状況（出願状況）を安定的に多角的に分析することが可能となる。例えば、本実施例では、第６７図から第９６図まで、順に見ていくことにより、即ち、マンガのコマ送りの要領で見ていくことにより、過去から現在までの出願状況を総合的に把握し、特許法や実用新案法の法律改正の影響や特許庁の行政指導の効果を立体的に知ることができる。
具体的には、第９６図を見ることにより、昭和６０年（１９８５年）頃の上位３００社は、昭和３０年（１９５５年）頃は、全出願の占有率は極めて小さく、昭和４５年（１９７０年）改正後即ち、出願公開制度等の導入後の特許・実用新案の出願件数の加速度的な増加により、上位出願人になったことがわかる。このような実態を第６７図から順次、所定数を所定数（１０）毎変えつつ第９６図まで見ることにより、立体的に的確にかつ連続的に把握することができる。尚、これらの計算過程で、適宜必要な情報がＲＡＭに読み書きされるとともに、ＲＯＭから必要な情報が読み出される。
また、法改正の効果も的確に把握することができる。例えば、昭和４５年改正により、出願公開制度とともに出願審査請求制度が導入されたが、この制度趣旨として、出願のなかには多くの防衛出願や権利化を欲しない出願があることから真に権利化を欲する出願を出願審査請求を待って実体審査を行うことが挙げられている。しかし、第９６図においては、昭和４５年改正が施行された昭和４６年になり、上位３００社の出願が特許も実用新案もともに急増している。逆に、上位３００社を除くその他多数の出願人の出願件数が特許も実用新案もともに急減している。この結果から、昭和４５年改正により、上位３００社のいわゆる出願大手企業の防衛出願や件数ノルマに追い立てられた出願を強く誘発させたと推定できる。即ち、昭和４５年改正趣旨における「出願のなかには多くの防衛出願や権利化を欲しない出願がある」というのは、その趣旨というよりも、昭和４５年改正の結果又はその効果として、「大企業を中心に多くの防衛出願や権利化を欲しない出願を誘発させた」と分析することができる。逆に、上位３００社を除くその他多数の出願人の出願件数が特許も実用新案もともに急減していることから、「昭和４５年改正は、一時的にせよ、上位３００社を除くその他多数の出願人即ち中小企業や個人の出願意欲を減少させる効果をもっていた」という分析をすることができる。このような実態を第６７図から順次、所定数を所定数（１０）毎変えつつ第９６図まで見ることにより、立体的に的確にかつ連続的に把握することができる。
また、昭和６３年（１９８８年）から、実用新案登録出願件数が全体で急減し始めたが、その内容は、主に、上位３００社の出願大手企業の実用新案登録出願の直線的な急減によるもので、これら上位３００社の出願大手企業を除く他の出願人である中小企業や個人の実用新案登録出願は漸減傾向を保っていることがわかる。これに伴い、平成３年（１９９１年）に、上位３００社の出願大手企業の実用新案登録出願件数が、これら上位３００社の出願大手企業を除く他の出願人である中小企業や個人の実用新案登録出願件数を下回ったことが明確に読み取ることができる。これにより、昭和６３年（１９８８年）からの実用新案登録出願件数の急減は、例えば、昭和５１年（１９７６年）からなされている日本国特許庁の出願等の適正化施策の抜本的な強化に伴う強力な行政指導が上位３００社の出願大手企業になされた結果であるという一応の推定をすることができる。
また、平成５年実用新案法改正により、無審査登録主義が導入され、平成６年から施行され、実用新案登録出願の件数が全体で約６万件減少したが、この急減の具体的内容は、第９６図から明らかなように、上位３００社のいわゆる大企業の実用新案登録出願が約２５，０００件が約０件に急減及び上位３００社を除くその他多数の出願人即ち中小企業や個人の実用新案登録出願が約５０、０００件から約１５，０００件に急減した結果であると分析できる。このような実態を出願状況を対応数値出願件数の多い順に所定数の出願人を選択していき、その所定数の出願人の出願件数の合計件数とその所定数の出願人を除く他の出願人の出願件数の合計件数とに二分し、かつ、この所定数を所定数（１０）毎変動していったので、出願状況を安定的に多角的に分析することが可能になり、出願状況を立体的に的確にかつ連続的に把握することができる。
尚、上記分析が真に妥当なものであるかどうかは、上位３００社の企業の暦年毎の入れ替わり等を含めて検討することが必要であるが、上記した一応の推定・分析をすることが可能である。
次に、本発明の第二実施例に係る状況解析表示システムを説明する。第一実施例においては、各一定期間毎の複数の対象及び当該複数の対象に各々対応した複数の第一種対応数値及び第二種対応数値を有する状況の１つとして、各一定期間毎の対象が各年毎の出願人であり、対応数値はこれらの出願人の実用新案登録出願件数（第一種対応数値）及び特許出願件数（第二種対応数値）であるという出願状況を取扱い、実用新案登録出願件数（第一種対応数値）及び特許出願件数（第二種対応数値）を各々区別して考えたが、この第二実施例においては、実用新案登録出願件数（第一種対応数値）及び特許出願件数（第二種対応数値）を区別せずに、即ち、実用新案登録出願件数（第一種対応数値）と特許出願件数（第二種対応数値）の総和を一つの対応数値としたものである。他の要素である特定期間や一定期間等又はシステム構成は第一実施例と同様である。
第９７図は、上位１０社の出願人の各暦年毎の特許・実用新案の出願件数の合計件数と上位１０社を除く他の出願人の各暦年毎の特許・実用新案の出願件数の合計件数を図示したものである。具体的には、上位１０社の出願人の各暦年毎の特許・実用新案の出願件数の合計件数は第８図の右から４列目及び３列目の各暦年毎の数値の総和であり、上位１０社を除く他の出願人の各暦年毎の特許・実用新案の出願件数の合計件数は第８図の右から２列目及び１列目の各暦年毎の数値の総和である。
第９８図は、上位２０社の出願人の各暦年毎の特許・実用新案の出願件数の合計件数と上位２０社を除く他の出願人の各暦年毎の特許・実用新案の出願件数の合計件数を図示したものである。具体的には、上位２０社の出願人の各暦年毎の特許・実用新案の出願件数の合計件数は第１０図の右から４列目及び３列目の各暦年毎の数値の総和であり、上位２０社を除く他の出願人の各暦年毎の特許・実用新案の出願件数の合計件数は第１０図の右から２列目及び１列目の各暦年毎の数値の総和である。
第９９図は、上位３０社の出願人の各暦年毎の特許・実用新案の出願件数の合計件数と上位３０社を除く他の出願人の各暦年毎の特許・実用新案の出願件数の合計件数を図示したものである。具体的には、上位３０社の出願人の各暦年毎の特許・実用新案の出願件数の合計件数は第１２図の右から４列目及び３列目の各暦年毎の数値の総和であり、上位３０社を除く他の出願人の各暦年毎の特許・実用新案の出願件数の合計件数は第１２図の右から２列目及び１列目の各暦年毎の数値の総和である。
第１００図は、上位４０社の出願人の各暦年毎の特許・実用新案の出願件数の合計件数と上位４０社を除く他の出願人の各暦年毎の特許・実用新案の出願件数の合計件数を図示したものである。具体的には、上位４０社の出願人の各暦年毎の特許・実用新案の出願件数の合計件数は第１４図の右から４列目及び３列目の各暦年毎の数値の総和であり、上位４０社を除く他の出願人の各暦年毎の特許・実用新案の出願件数の合計件数は第１４図の右から２列目及び１列目の各暦年毎の数値の総和である。
第１０１図は、上位５０社の出願人の各暦年毎の特許・実用新案の出願件数の合計件数と上位５０社を除く他の出願人の各暦年毎の特許・実用新案の出願件数の合計件数を図示したものである。具体的には、上位５０社の出願人の各暦年毎の特許・実用新案の出願件数の合計件数は第１６図の右から４列目及び３列目の各暦年毎の数値の総和であり、上位５０社を除く他の出願人の各暦年毎の特許・実用新案の出願件数の合計件数は第１６図の右から２列目及び１列目の各暦年毎の数値の総和である。
第１０２図は、上位６０社の出願人の各暦年毎の特許・実用新案の出願件数の合計件数と上位６０社を除く他の出願人の各暦年毎の特許・実用新案の出願件数の合計件数を図示したものである。具体的には、上位６０社の出願人の各暦年毎の特許・実用新案の出願件数の合計件数は第１８図の右から４列目及び３列目の各暦年毎の数値の総和であり、上位６０社を除く他の出願人の各暦年毎の特許・実用新案の出願件数の合計件数は第１８図の右から２列目及び１列目の各暦年毎の数値の総和である。
第１０３図は、上位７０社の出願人の各暦年毎の特許・実用新案の出願件数の合計件数と上位７０社を除く他の出願人の各暦年毎の特許・実用新案の出願件数の合計件数を図示したものである。具体的には、上位７０社の出願人の各暦年毎の特許・実用新案の出願件数の合計件数は第２０図の右から４列目及び３列目の各暦年毎の数値の総和であり、上位７０社を除く他の出願人の各暦年毎の特許・実用新案の出願件数の合計件数は第２０図の右から２列目及び１列目の各暦年毎の数値の総和である。
第１０４図は、上位８０社の出願人の各暦年毎の特許・実用新案の出願件数の合計件数と上位８０社を除く他の出願人の各暦年毎の特許・実用新案の出願件数の合計件数を図示したものである。具体的には、上位８０社の出願人の各暦年毎の特許・実用新案の出願件数の合計件数は第２２図の右から４列目及び３列目の各暦年毎の数値の総和であり、上位８０社を除く他の出願人の各暦年毎の特許・実用新案の出願件数の合計件数は第２２図の右から２列目及び１列目の各暦年毎の数値の総和である。
第１０５図は、上位９０社の出願人の各暦年毎の特許・実用新案の出願件数の合計件数と上位９０社を除く他の出願人の各暦年毎の特許・実用新案の出願件数の合計件数を図示したものである。具体的には、上位９０社の出願人の各暦年毎の特許・実用新案の出願件数の合計件数は第２４図の右から４列目及び３列目の各暦年毎の数値の総和であり、上位９０社を除く他の出願人の各暦年毎の特許・実用新案の出願件数の合計件数は第２４図の右から２列目及び１列目の各暦年毎の数値の総和である。
第１０６図は、上位１００社の出願人の各暦年毎の特許・実用新案の出願件数の合計件数と上位１００社を除く他の出願人の各暦年毎の特許・実用新案の出願件数の合計件数を図示したものである。具体的には、上位１００社の出願人の各暦年毎の特許・実用新案の出願件数の合計件数は第２６図の右から４列目及び３列目の各暦年毎の数値の総和であり、上位１００社を除く他の出願人の各暦年毎の特許・実用新案の出願件数の合計件数は第２６図の右から２列目及び１列目の各暦年毎の数値の総和である。
第１０７図は、上位１１０社の出願人の各暦年毎の特許・実用新案の出願件数の合計件数と上位１１０社を除く他の出願人の各暦年毎の特許・実用新案の出願件数の合計件数を図示したものである。具体的には、上位１１０社の出願人の各暦年毎の特許・実用新案の出願件数の合計件数は第２８図の右から４列目及び３列目の各暦年毎の数値の総和であり、上位１１０社を除く他の出願人の各暦年毎の特許・実用新案の出願件数の合計件数は第２８図の右から２列目及び１列目の各暦年毎の数値の総和である。
第１０８図は、上位１２０社の出願人の各暦年毎の特許・実用新案の出願件数の合計件数と上位１２０社を除く他の出願人の各暦年毎の特許・実用新案の出願件数の合計件数を図示したものである。具体的には、上位１２０社の出願人の各暦年毎の特許・実用新案の出願件数の合計件数は第３０図の右から４列目及び３列目の各暦年毎の数値の総和であり、上位１２０社を除く他の出願人の各暦年毎の特許・実用新案の出願件数の合計件数は第３０図の右から２列目及び１列目の各暦年毎の数値の総和である。
第１０９図は、上位１３０社の出願人の各暦年毎の特許・実用新案の出願件数の合計件数と上位１３０社を除く他の出願人の各暦年毎の特許・実用新案の出願件数の合計件数を図示したものである。具体的には、上位１３０社の出願人の各暦年毎の特許・実用新案の出願件数の合計件数は第３２図の右から４列目及び３列目の各暦年毎の数値の総和であり、上位１３０社を除く他の出願人の各暦年毎の特許・実用新案の出願件数の合計件数は第３２図の右から２列目及び１列目の各暦年毎の数値の総和である。
第１１０図は、上位１４０社の出願人の各暦年毎の特許・実用新案の出願件数の合計件数と上位１４０社を除く他の出願人の各暦年毎の特許・実用新案の出願件数の合計件数を図示したものである。具体的には、上位１４０社の出願人の各暦年毎の特許・実用新案の出願件数の合計件数は第３４図の右から４列目及び３列目の各暦年毎の数値の総和であり、上位１４０社を除く他の出願人の各暦年毎の特許・実用新案の出願件数の合計件数は第３４図の右から２列目及び１列目の各暦年毎の数値の総和である。
第１１１図は、上位１５０社の出願人の各暦年毎の特許・実用新案の出願件数の合計件数と上位１５０社を除く他の出願人の各暦年毎の特許・実用新案の出願件数の合計件数を図示したものである。具体的には、上位１５０社の出願人の各暦年毎の特許・実用新案の出願件数の合計件数は第３６図の右から４列目及び３列目の各暦年毎の数値の総和であり、上位１５０社を除く他の出願人の各暦年毎の特許・実用新案の出願件数の合計件数は第３６図の右から２列目及び１列目の各暦年毎の数値の総和である。
第１１２図は、上位１６０社の出願人の各暦年毎の特許・実用新案の出願件数の合計件数と上位１６０社を除く他の出願人の各暦年毎の特許・実用新案の出願件数の合計件数を図示したものである。具体的には、上位１６０社の出願人の各暦年毎の特許・実用新案の出願件数の合計件数は第３８図の右から４列目及び３列目の各暦年毎の数値の総和であり、上位１６０社を除く他の出願人の各暦年毎の特許・実用新案の出願件数の合計件数は第３８図の右から２列目及び１列目の各暦年毎の数値の総和である。
第１１３図は、上位１７０社の出願人の各暦年毎の特許・実用新案の出願件数の合計件数と上位１７０社を除く他の出願人の各暦年毎の特許・実用新案の出願件数の合計件数を図示したものである。具体的には、上位１７０社の出願人の各暦年毎の特許・実用新案の出願件数の合計件数は第４０図の右から４列目及び３列目の各暦年毎の数値の総和であり、上位１７０社を除く他の出願人の各暦年毎の特許・実用新案の出願件数の合計件数は第４０図の右から２列目及び１列目の各暦年毎の数値の総和である。
第１１４図は、上位１８０社の出願人の各暦年毎の特許・実用新案の出願件数の合計件数と上位１８０社を除く他の出願人の各暦年毎の特許・実用新案の出願件数の合計件数を図示したものである。具体的には、上位１８０社の出願人の各暦年毎の特許・実用新案の出願件数の合計件数は第４２図の右から４列目及び３列目の各暦年毎の数値の総和であり、上位１８０社を除く他の出願人の各暦年毎の特許・実用新案の出願件数の合計件数は第４２図の右から２列目及び１列目の各暦年毎の数値の総和である。
第１１５図は、上位１９０社の出願人の各暦年毎の特許・実用新案の出願件数の合計件数と上位１９０社を除く他の出願人の各暦年毎の特許・実用新案の出願件数の合計件数を図示したものである。具体的には、上位１９０社の出願人の各暦年毎の特許・実用新案の出願件数の合計件数は第４４図の右から４列目及び３列目の各暦年毎の数値の総和であり、上位１９０社を除く他の出願人の各暦年毎の特許・実用新案の出願件数の合計件数は第４４図の右から２列目及び１列目の各暦年毎の数値の総和である。
第１１６図は、上位２００社の出願人の各暦年毎の特許・実用新案の出願件数の合計件数と上位２００社を除く他の出願人の各暦年毎の特許・実用新案の出願件数の合計件数を図示したものである。具体的には、上位２００社の出願人の各暦年毎の特許・実用新案の出願件数の合計件数は第４６図の右から４列目及び３列目の各暦年毎の数値の総和であり、上位２００社を除く他の出願人の各暦年毎の特許・実用新案の出願件数の合計件数は第４６図の右から２列目及び１列目の各暦年毎の数値の総和である。
第１１７図は、上位２１０社の出願人の各暦年毎の特許・実用新案の出願件数の合計件数と上位２１０社を除く他の出願人の各暦年毎の特許・実用新案の出願件数の合計件数を図示したものである。具体的には、上位２１０社の出願人の各暦年毎の特許・実用新案の出願件数の合計件数は第４８図の右から４列目及び３列目の各暦年毎の数値の総和であり、上位２１０社を除く他の出願人の各暦年毎の特許・実用新案の出願件数の合計件数は第４８図の右から２列目及び１列目の各暦年毎の数値の総和である。
第１１８図は、上位２２０社の出願人の各暦年毎の特許・実用新案の出願件数の合計件数と上位２２０社を除く他の出願人の各暦年毎の特許・実用新案の出願件数の合計件数を図示したものである。具体的には、上位２２０社の出願人の各暦年毎の特許・実用新案の出願件数の合計件数は第５０図の右から４列目及び３列目の各暦年毎の数値の総和であり、上位２２０社を除く他の出願人の各暦年毎の特許・実用新案の出願件数の合計件数は第５０図の右から２列目及び１列目の各暦年毎の数値の総和である。
第１１９図は、上位２３０社の出願人の各暦年毎の特許・実用新案の出願件数の合計件数と上位２３０社を除く他の出願人の各暦年毎の特許・実用新案の出願件数の合計件数を図示したものである。具体的には、上位２３０社の出願人の各暦年毎の特許・実用新案の出願件数の合計件数は第５２図の右から４列目及び３列目の各暦年毎の数値の総和であり、上位２３０社を除く他の出願人の各暦年毎の特許・実用新案の出願件数の合計件数は第５２図の右から２列目及び１列目の各暦年毎の数値の総和である。
第１２０図は、上位２４０社の出願人の各暦年毎の特許・実用新案の出願件数の合計件数と上位２４０社を除く他の出願人の各暦年毎の特許・実用新案の出願件数の合計件数を図示したものである。具体的には、上位２４０社の出願人の各暦年毎の特許・実用新案の出願件数の合計件数は第５４図の右から４列目及び３列目の各暦年毎の数値の総和であり、上位２４０社を除く他の出願人の各暦年毎の特許・実用新案の出願件数の合計件数は第５４図の右から２列目及び１列目の各暦年毎の数値の総和である。
第１２１図は、上位２５０社の出願人の各暦年毎の特許・実用新案の出願件数の合計件数と上位２５０社を除く他の出願人の各暦年毎の特許・実用新案の出願件数の合計件数を図示したものである。具体的には、上位２５０社の出願人の各暦年毎の特許・実用新案の出願件数の合計件数は第５６図の右から４列目及び３列目の各暦年毎の数値の総和であり、上位２５０社を除く他の出願人の各暦年毎の特許・実用新案の出願件数の合計件数は第５６図の右から２列目及び１列目の各暦年毎の数値の総和である。
第１２２図は、上位２６０社の出願人の各暦年毎の特許・実用新案の出願件数の合計件数と上位２６０社を除く他の出願人の各暦年毎の特許・実用新案の出願件数の合計件数を図示したものである。具体的には、上位２６０社の出願人の各暦年毎の特許・実用新案の出願件数の合計件数は第５８図の右から４列目及び３列目の各暦年毎の数値の総和であり、上位２６０社を除く他の出願人の各暦年毎の特許・実用新案の出願件数の合計件数は第５８図の右から２列目及び１列目の各暦年毎の数値の総和である。
第１２３図は、上位２７０社の出願人の各暦年毎の特許・実用新案の出願件数の合計件数と上位２７０社を除く他の出願人の各暦年毎の特許・実用新案の出願件数の合計件数を図示したものである。具体的には、上位２７０社の出願人の各暦年毎の特許・実用新案の出願件数の合計件数は第６０図の右から４列目及び３列目の各暦年毎の数値の総和であり、上位２７０社を除く他の出願人の各暦年毎の特許・実用新案の出願件数の合計件数は第６０図の右から２列目及び１列目の各暦年毎の数値の総和である。
第１２４図は、上位２８０社の出願人の各暦年毎の特許・実用新案の出願件数の合計件数と上位２８０社を除く他の出願人の各暦年毎の特許・実用新案の出願件数の合計件数を図示したものである。具体的には、上位２８０社の出願人の各暦年毎の特許・実用新案の出願件数の合計件数は第６２図の右から４列目及び３列目の各暦年毎の数値の総和であり、上位２８０社を除く他の出願人の各暦年毎の特許・実用新案の出願件数の合計件数は第６２図の右から２列目及び１列目の各暦年毎の数値の総和である。
第１２５図は、上位２９０社の出願人の各暦年毎の特許・実用新案の出願件数の合計件数と上位２９０社を除く他の出願人の各暦年毎の特許・実用新案の出願件数の合計件数を図示したものである。具体的には、上位２９０社の出願人の各暦年毎の特許・実用新案の出願件数の合計件数は第６４図の右から４列目及び３列目の各暦年毎の数値の総和であり、上位２９０社を除く他の出願人の各暦年毎の特許・実用新案の出願件数の合計件数は第６４図の右から２列目及び１列目の各暦年毎の数値の総和である。
第１２６図は、上位３００社の出願人の各暦年毎の特許・実用新案の出願件数の合計件数と上位３００社を除く他の出願人の各暦年毎の特許・実用新案の出願件数の合計件数を図示したものである。具体的には、上位３００社の出願人の各暦年毎の特許・実用新案の出願件数の合計件数は第６６図の右から４列目及び３列目の各暦年毎の数値の総和であり、上位３００社を除く他の出願人の各暦年毎の特許・実用新案の出願件数の合計件数は第６６図の右から２列目及び１列目の各暦年毎の数値の総和である。
この第二実施例においては、実用新案登録出願件数（第一種対応数値）及び特許出願件数（第二種対応数値）を区別せずに、即ち、実用新案登録出願件数（第一種対応数値）と特許出願件数（第二種対応数値）の総和を一つの対応数値としたものであるが、実用新案登録出願件数（第一種対応数値）も特許出願件数（第二種対応数値）もその保護しようとしているものは技術的思想ということで共通しているので、第一実施例の異なる効果を見つけることができる。即ち、第１２６図では、上位３００社の出願人の特許・実用新案の合計出願件数は、昭和３０年頃から漸増及び昭和４５年頃からの急増さらに昭和６１年頃の出願件数のピークその後平成５年頃までの急減さらにその後の漸増という形で今日に至っている。これに対し、上位３００社を除くその他の出願人の特許・実用新案の合計出願件数は、昭和３０年頃から今日に至るまで、略一貫して漸増している。このような実態を出願状況を対応数値出願件数の多い順に所定数の出願人を選択していき、その所定数の出願人の出願件数の合計件数とその所定数の出願人を除く他の出願人の出願件数の合計件数とに二分し、かつ、この所定数を所定数（１０）毎変動していったので、出願状況を安定的に多角的に分析することが可能になり、出願状況を立体的に的確にかつ連続的に把握することができる。
尚、上記分析が真に妥当なものであるかどうかは、上位３００社の企業の暦年毎の入れ替わり等を含めて検討することが必要であるが、上記した一応の推定・分析をすることが可能である。
尚、本実施例においては、所定数の対象の各一定期間毎の第一種対応数値（実用新案登録出願件数）及び第二種対応数値（特許出願件数）の総和を対応数値として取扱い図示したが、総和自体でなくとも、総和に関係する関係値であっても特殊の効果を得ることができる。「総和に関係する関係値」とは、所定数の対象の各一定期間毎の第一種対応数値（実用新案登録出願件数）及び第二種対応数値（特許出願件数）の総和の値により変動する値をいう。
次に、本発明の第三実施例に係る状況解析表示システムを説明する。この第三実施例は、上記「総和に関係する第一関係値」として、所定数の対象の各一定期間毎の第一種対応数値（実用新案登録出願件数）及び第二種対応数値（特許出願件数）の総和のうちの第一種対応数値（実用新案登録出願件数）の比率とし、「総和に関係する第二関係値」として、上記所定数を除くその他多数の対象の各一定期間毎の第一種対応数値（実用新案登録出願件数）及び第二種対応数値（特許出願件数）の総和のうちの第一種対応数値（実用新案登録出願件数）の比率としたものである。
具体的に、第１２７図は、本発明の第三実施例に係る状況解析表示システムの機能ブロック図を示す。第１２７図に示されるように、本発明に係る状況解析表示システムの第三実施例は、中央処理装置（ＣＰＵ）やＲＡＭやＲＯＭと回線を介して接続されている手段として、選択手段、所定数総和計算手段、その他多数総和計算手段、第一関係値計算手段、第二関係値計算手段、関係値表示手段及び所定数変動手段を有している。
次に、本発明の第三実施例に係る状況解析表示システムにおける各手段の具体的機能を説明する。
第１２８図は、上記手段を有する本発明の第一実施例に係る状況解析表示システムにおける処理の流れ即ちフローチャートを示す図である。
パソコン画面等の画面を表示した後、状況（出願状況）データベースから各一定期間毎の複数の対象及び複数の対応数値を受け付ける。
その後、第１２８図に示すフローチャートに記載のように、選択手段は、特定期間における対応数値の大きい順に所定数の対象を選択するためのもので、所定数総和計算手段は、この選択手段により選択された所定数の対象の各一定期間毎の対応数値の総和を計算する機能を有している。その他多数総和計算手段は、前記所定数の対象を除くその他多数の対象の各一定期間毎の対応数値の総和を計算するための機能を有し、本実施例においては、各一定期間毎の全ての対応数値の総和から前記所定数の対象の各一定期間毎の対応数値の総和を差し引く差引手段である。第一関係値計算手段は、第一関係値として所定数の対象の各一定期間毎の特許・実用新案の全出願件数における実用新案の出願の比率を計算し、第二関係値計算手段は、第二関係値として前記所定数の対象を除くその他多数の対象の各一定期間毎の特許・実用新案の全出願件数における実用新案の出願の比率を計算するためのものである。
関係値表示手段は、上記第一関係値及び第二関係値を表示するたものものである。所定数変動手段は、上記所定数を変動させることにより、関係値表示手段により表示された上記第一関係値及び第二関係値を変更させるたものものである。
第１２９図は、上位１０社の出願人の各暦年毎の特許・実用新案の出願件数に占める実用新案の出願件数の比率と上位１０社を除くその他多数の出願人の各暦年毎の特許・実用新案の出願件数に占める実用新案の出願件数の比率を図示したものである。具体的には、上位１０社の出願人の各暦年毎の特許・実用新案の出願件数に占める実用新案の出願件数の比率は第８図の右から４列目及び３列目の各暦年毎の数値の総和のうち右から３列目の各暦年毎の数値の占める比率であり、上位１０社を除く他の出願人の各暦年毎の特許・実用新案の出願件数に占める実用新案の出願件数の比率は第８図の右から２列目及び１列目の各暦年毎の数値の総和のうち右から１列目の各暦年毎の数値の占める比率である。
第１３０図は、上位２０社の出願人の各暦年毎の特許・実用新案の出願件数に占める実用新案の出願件数の比率と上位２０社を除くその他多数の出願人の各暦年毎の特許・実用新案の出願件数に占める実用新案の出願件数の比率を図示したものである。具体的には、上位２０社の出願人の各暦年毎の特許・実用新案の出願件数に占める実用新案の出願件数の比率は第１０図の右から４列目及び３列目の各暦年毎の数値の総和のうち右から３列目の各暦年毎の数値の占める比率であり、上位２０社を除く他の出願人の各暦年毎の特許・実用新案の出願件数に占める実用新案の出願件数の比率は第１０図の右から２列目及び１列目の各暦年毎の数値の総和のうち右から１列目の各暦年毎の数値の占める比率である。
第１３１図は、上位３０社の出願人の各暦年毎の特許・実用新案の出願件数に占める実用新案の出願件数の比率と上位３０社を除くその他多数の出願人の各暦年毎の特許・実用新案の出願件数に占める実用新案の出願件数の比率を図示したものである。具体的には、上位３０社の出願人の各暦年毎の特許・実用新案の出願件数に占める実用新案の出願件数の比率は第１２図の右から４列目及び３列目の各暦年毎の数値の総和のうち右から３列目の各暦年毎の数値の占める比率であり、上位３０社を除く他の出願人の各暦年毎の特許・実用新案の出願件数に占める実用新案の出願件数の比率は第１２図の右から２列目及び１列目の各暦年毎の数値の総和のうち右から１列目の各暦年毎の数値の占める比率である。
第１３２図は、上位４０社の出願人の各暦年毎の特許・実用新案の出願件数に占める実用新案の出願件数の比率と上位４０社を除くその他多数の出願人の各暦年毎の特許・実用新案の出願件数に占める実用新案の出願件数の比率を図示したものである。具体的には、上位４０社の出願人の各暦年毎の特許・実用新案の出願件数に占める実用新案の出願件数の比率は第１４図の右から４列目及び３列目の各暦年毎の数値の総和のうち右から３列目の各暦年毎の数値の占める比率であり、上位４０社を除く他の出願人の各暦年毎の特許・実用新案の出願件数に占める実用新案の出願件数の比率は第１４図の右から２列目及び１列目の各暦年毎の数値の総和のうち右から１列目の各暦年毎の数値の占める比率である。
第１３３図は、上位５０社の出願人の各暦年毎の特許・実用新案の出願件数に占める実用新案の出願件数の比率と上位５０社を除くその他多数の出願人の各暦年毎の特許・実用新案の出願件数に占める実用新案の出願件数の比率を図示したものである。具体的には、上位５０社の出願人の各暦年毎の特許・実用新案の出願件数に占める実用新案の出願件数の比率は第１６図の右から４列目及び３列目の各暦年毎の数値の総和のうち右から３列目の各暦年毎の数値の占める比率であり、上位５０社を除く他の出願人の各暦年毎の特許・実用新案の出願件数に占める実用新案の出願件数の比率は第１６図の右から２列目及び１列目の各暦年毎の数値の総和のうち右から１列目の各暦年毎の数値の占める比率である。
第１３４図は、上位６０社の出願人の各暦年毎の特許・実用新案の出願件数に占める実用新案の出願件数の比率と上位６０社を除くその他多数の出願人の各暦年毎の特許・実用新案の出願件数に占める実用新案の出願件数の比率を図示したものである。具体的には、上位６０社の出願人の各暦年毎の特許・実用新案の出願件数に占める実用新案の出願件数の比率は第１８図の右から４列目及び３列目の各暦年毎の数値の総和のうち右から３列目の各暦年毎の数値の占める比率であり、上位６０社を除く他の出願人の各暦年毎の特許・実用新案の出願件数に占める実用新案の出願件数の比率は第１８図の右から２列目及び１列目の各暦年毎の数値の総和のうち右から１列目の各暦年毎の数値の占める比率である。
第１３５図は、上位７０社の出願人の各暦年毎の特許・実用新案の出願件数に占める実用新案の出願件数の比率と上位７０社を除くその他多数の出願人の各暦年毎の特許・実用新案の出願件数に占める実用新案の出願件数の比率を図示したものである。具体的には、上位７０社の出願人の各暦年毎の特許・実用新案の出願件数に占める実用新案の出願件数の比率は第２０図の右から４列目及び３列目の各暦年毎の数値の総和のうち右から３列目の各暦年毎の数値の占める比率であり、上位７０社を除く他の出願人の各暦年毎の特許・実用新案の出願件数に占める実用新案の出願件数の比率は第２０図の右から２列目及び１列目の各暦年毎の数値の総和のうち右から１列目の各暦年毎の数値の占める比率である。
第１３６図は、上位８０社の出願人の各暦年毎の特許・実用新案の出願件数に占める実用新案の出願件数の比率と上位８０社を除くその他多数の出願人の各暦年毎の特許・実用新案の出願件数に占める実用新案の出願件数の比率を図示したものである。具体的には、上位８０社の出願人の各暦年毎の特許・実用新案の出願件数に占める実用新案の出願件数の比率は第２２図の右から４列目及び３列目の各暦年毎の数値の総和のうち右から３列目の各暦年毎の数値の占める比率であり、上位８０社を除く他の出願人の各暦年毎の特許・実用新案の出願件数に占める実用新案の出願件数の比率は第２２図の右から２列目及び１列目の各暦年毎の数値の総和のうち右から１列目の各暦年毎の数値の占める比率である。
第１３７図は、上位９０社の出願人の各暦年毎の特許・実用新案の出願件数に占める実用新案の出願件数の比率と上位９０社を除くその他多数の出願人の各暦年毎の特許・実用新案の出願件数に占める実用新案の出願件数の比率を図示したものである。具体的には、上位９０社の出願人の各暦年毎の特許・実用新案の出願件数に占める実用新案の出願件数の比率は第２４図の右から４列目及び３列目の各暦年毎の数値の総和のうち右から３列目の各暦年毎の数値の占める比率であり、上位９０社を除く他の出願人の各暦年毎の特許・実用新案の出願件数に占める実用新案の出願件数の比率は第２４図の右から２列目及び１列目の各暦年毎の数値の総和のうち右から１列目の各暦年毎の数値の占める比率である。
第１３８図は、上位１００社の出願人の各暦年毎の特許・実用新案の出願件数に占める実用新案の出願件数の比率と上位１００社を除くその他多数の出願人の各暦年毎の特許・実用新案の出願件数に占める実用新案の出願件数の比率を図示したものである。具体的には、上位１００社の出願人の各暦年毎の特許・実用新案の出願件数に占める実用新案の出願件数の比率は第２６図の右から４列目及び３列目の各暦年毎の数値の総和のうち右から３列目の各暦年毎の数値の占める比率であり、上位１００社を除く他の出願人の各暦年毎の特許・実用新案の出願件数に占める実用新案の出願件数の比率は第２６図の右から２列目及び１列目の各暦年毎の数値の総和のうち右から１列目の各暦年毎の数値の占める比率である。
第１３９図は、上位１１０社の出願人の各暦年毎の特許・実用新案の出願件数に占める実用新案の出願件数の比率と上位１１０社を除くその他多数の出願人の各暦年毎の特許・実用新案の出願件数に占める実用新案の出願件数の比率を図示したものである。具体的には、上位１１０社の出願人の各暦年毎の特許・実用新案の出願件数に占める実用新案の出願件数の比率は第２８図の右から４列目及び３列目の各暦年毎の数値の総和のうち右から３列目の各暦年毎の数値の占める比率であり、上位１１０社を除く他の出願人の各暦年毎の特許・実用新案の出願件数に占める実用新案の出願件数の比率は第２８図の右から２列目及び１列目の各暦年毎の数値の総和のうち右から１列目の各暦年毎の数値の占める比率である。
第１４０図は、上位１２０社の出願人の各暦年毎の特許・実用新案の出願件数に占める実用新案の出願件数の比率と上位１２０社を除くその他多数の出願人の各暦年毎の特許・実用新案の出願件数に占める実用新案の出願件数の比率を図示したものである。具体的には、上位１２０社の出願人の各暦年毎の特許・実用新案の出願件数に占める実用新案の出願件数の比率は第３０図の右から４列目及び３列目の各暦年毎の数値の総和のうち右から３列目の各暦年毎の数値の占める比率であり、上位１２０社を除く他の出願人の各暦年毎の特許・実用新案の出願件数に占める実用新案の出願件数の比率は第３０図の右から２列目及び１列目の各暦年毎の数値の総和のうち右から１列目の各暦年毎の数値の占める比率である。
第１４１図は、上位１３０社の出願人の各暦年毎の特許・実用新案の出願件数に占める実用新案の出願件数の比率と上位１３０社を除くその他多数の出願人の各暦年毎の特許・実用新案の出願件数に占める実用新案の出願件数の比率を図示したものである。具体的には、上位１３０社の出願人の各暦年毎の特許・実用新案の出願件数に占める実用新案の出願件数の比率は第３２図の右から４列目及び３列目の各暦年毎の数値の総和のうち右から３列目の各暦年毎の数値の占める比率であり、上位１３０社を除く他の出願人の各暦年毎の特許・実用新案の出願件数に占める実用新案の出願件数の比率は第３２図の右から２列目及び１列目の各暦年毎の数値の総和のうち右から１列目の各暦年毎の数値の占める比率である。
第１４２図は、上位１４０社の出願人の各暦年毎の特許・実用新案の出願件数に占める実用新案の出願件数の比率と上位１４０社を除くその他多数の出願人の各暦年毎の特許・実用新案の出願件数に占める実用新案の出願件数の比率を図示したものである。具体的には、上位１４０社の出願人の各暦年毎の特許・実用新案の出願件数に占める実用新案の出願件数の比率は第３４図の右から４列目及び３列目の各暦年毎の数値の総和のうち右から３列目の各暦年毎の数値の占める比率であり、上位１４０社を除く他の出願人の各暦年毎の特許・実用新案の出願件数に占める実用新案の出願件数の比率は第３４図の右から２列目及び１列目の各暦年毎の数値の総和のうち右から１列目の各暦年毎の数値の占める比率である。
第１４３図は、上位１５０社の出願人の各暦年毎の特許・実用新案の出願件数に占める実用新案の出願件数の比率と上位１５０社を除くその他多数の出願人の各暦年毎の特許・実用新案の出願件数に占める実用新案の出願件数の比率を図示したものである。具体的には、上位１５０社の出願人の各暦年毎の特許・実用新案の出願件数に占める実用新案の出願件数の比率は第３６図の右から４列目及び３列目の各暦年毎の数値の総和のうち右から３列目の各暦年毎の数値の占める比率であり、上位１５０社を除く他の出願人の各暦年毎の特許・実用新案の出願件数に占める実用新案の出願件数の比率は第３６図の右から２列目及び１列目の各暦年毎の数値の総和のうち右から１列目の各暦年毎の数値の占める比率である。
第１４４図は、上位１６０社の出願人の各暦年毎の特許・実用新案の出願件数に占める実用新案の出願件数の比率と上位１６０社を除くその他多数の出願人の各暦年毎の特許・実用新案の出願件数に占める実用新案の出願件数の比率を図示したものである。具体的には、上位１６０社の出願人の各暦年毎の特許・実用新案の出願件数に占める実用新案の出願件数の比率は第３８図の右から４列目及び３列目の各暦年毎の数値の総和のうち右から３列目の各暦年毎の数値の占める比率であり、上位１６０社を除く他の出願人の各暦年毎の特許・実用新案の出願件数に占める実用新案の出願件数の比率は第３８図の右から２列目及び１列目の各暦年毎の数値の総和のうち右から１列目の各暦年毎の数値の占める比率である。
第１４５図は、上位１７０社の出願人の各暦年毎の特許・実用新案の出願件数に占める実用新案の出願件数の比率と上位１７０社を除くその他多数の出願人の各暦年毎の特許・実用新案の出願件数に占める実用新案の出願件数の比率を図示したものである。具体的には、上位１７０社の出願人の各暦年毎の特許・実用新案の出願件数に占める実用新案の出願件数の比率は第４０図の右から４列目及び３列目の各暦年毎の数値の総和のうち右から３列目の各暦年毎の数値の占める比率であり、上位１７０社を除く他の出願人の各暦年毎の特許・実用新案の出願件数に占める実用新案の出願件数の比率は第４０図の右から２列目及び１列目の各暦年毎の数値の総和のうち右から１列目の各暦年毎の数値の占める比率である。
第１４６図は、上位１８０社の出願人の各暦年毎の特許・実用新案の出願件数に占める実用新案の出願件数の比率と上位１８０社を除くその他多数の出願人の各暦年毎の特許・実用新案の出願件数に占める実用新案の出願件数の比率を図示したものである。具体的には、上位１８０社の出願人の各暦年毎の特許・実用新案の出願件数に占める実用新案の出願件数の比率は第４２図の右から４列目及び３列目の各暦年毎の数値の総和のうち右から３列目の各暦年毎の数値の占める比率であり、上位１８０社を除く他の出願人の各暦年毎の特許・実用新案の出願件数に占める実用新案の出願件数の比率は第４２図の右から２列目及び１列目の各暦年毎の数値の総和のうち右から１列目の各暦年毎の数値の占める比率である。
第１４７図は、上位１９０社の出願人の各暦年毎の特許・実用新案の出願件数に占める実用新案の出願件数の比率と上位１９０社を除くその他多数の出願人の各暦年毎の特許・実用新案の出願件数に占める実用新案の出願件数の比率を図示したものである。具体的には、上位１９０社の出願人の各暦年毎の特許・実用新案の出願件数に占める実用新案の出願件数の比率は第４４図の右から４列目及び３列目の各暦年毎の数値の総和のうち右から３列目の各暦年毎の数値の占める比率であり、上位１９０社を除く他の出願人の各暦年毎の特許・実用新案の出願件数に占める実用新案の出願件数の比率は第４４図の右から２列目及び１列目の各暦年毎の数値の総和のうち右から１列目の各暦年毎の数値の占める比率である。
第１４８図は、上位２００社の出願人の各暦年毎の特許・実用新案の出願件数に占める実用新案の出願件数の比率と上位２００社を除くその他多数の出願人の各暦年毎の特許・実用新案の出願件数に占める実用新案の出願件数の比率を図示したものである。具体的には、上位２００社の出願人の各暦年毎の特許・実用新案の出願件数に占める実用新案の出願件数の比率は第４６図の右から４列目及び３列目の各暦年毎の数値の総和のうち右から３列目の各暦年毎の数値の占める比率であり、上位２００社を除く他の出願人の各暦年毎の特許・実用新案の出願件数に占める実用新案の出願件数の比率は第４６図の右から２列目及び１列目の各暦年毎の数値の総和のうち右から１列目の各暦年毎の数値の占める比率である。
第１４９図は、上位２１０社の出願人の各暦年毎の特許・実用新案の出願件数に占める実用新案の出願件数の比率と上位２１０社を除くその他多数の出願人の各暦年毎の特許・実用新案の出願件数に占める実用新案の出願件数の比率を図示したものである。具体的には、上位２１０社の出願人の各暦年毎の特許・実用新案の出願件数に占める実用新案の出願件数の比率は第４８図の右から４列目及び３列目の各暦年毎の数値の総和のうち右から３列目の各暦年毎の数値の占める比率であり、上位２１０社を除く他の出願人の各暦年毎の特許・実用新案の出願件数に占める実用新案の出願件数の比率は第４８図の右から２列目及び１列目の各暦年毎の数値の総和のうち右から１列目の各暦年毎の数値の占める比率である。
第１５０図は、上位２２０社の出願人の各暦年毎の特許・実用新案の出願件数に占める実用新案の出願件数の比率と上位２２０社を除くその他多数の出願人の各暦年毎の特許・実用新案の出願件数に占める実用新案の出願件数の比率を図示したものである。具体的には、上位２２０社の出願人の各暦年毎の特許・実用新案の出願件数に占める実用新案の出願件数の比率は第５０図の右から４列目及び３列目の各暦年毎の数値の総和のうち右から３列目の各暦年毎の数値の占める比率であり、上位２２０社を除く他の出願人の各暦年毎の特許・実用新案の出願件数に占める実用新案の出願件数の比率は第５０図の右から２列目及び１列目の各暦年毎の数値の総和のうち右から１列目の各暦年毎の数値の占める比率である。
第１５１図は、上位２３０社の出願人の各暦年毎の特許・実用新案の出願件数に占める実用新案の出願件数の比率と上位２３０社を除くその他多数の出願人の各暦年毎の特許・実用新案の出願件数に占める実用新案の出願件数の比率を図示したものである。具体的には、上位２３０社の出願人の各暦年毎の特許・実用新案の出願件数に占める実用新案の出願件数の比率は第５２図の右から４列目及び３列目の各暦年毎の数値の総和のうち右から３列目の各暦年毎の数値の占める比率であり、上位２３０社を除く他の出願人の各暦年毎の特許・実用新案の出願件数に占める実用新案の出願件数の比率は第５２図の右から２列目及び１列目の各暦年毎の数値の総和のうち右から１列目の各暦年毎の数値の占める比率である。
第１５２図は、上位２４０社の出願人の各暦年毎の特許・実用新案の出願件数に占める実用新案の出願件数の比率と上位２４０社を除くその他多数の出願人の各暦年毎の特許・実用新案の出願件数に占める実用新案の出願件数の比率を図示したものである。具体的には、上位２４０社の出願人の各暦年毎の特許・実用新案の出願件数に占める実用新案の出願件数の比率は第５４図の右から４列目及び３列目の各暦年毎の数値の総和のうち右から３列目の各暦年毎の数値の占める比率であり、上位２４０社を除く他の出願人の各暦年毎の特許・実用新案の出願件数に占める実用新案の出願件数の比率は第５４図の右から２列目及び１列目の各暦年毎の数値の総和のうち右から１列目の各暦年毎の数値の占める比率である。
第１５３図は、上位２５０社の出願人の各暦年毎の特許・実用新案の出願件数に占める実用新案の出願件数の比率と上位２５０社を除くその他多数の出願人の各暦年毎の特許・実用新案の出願件数に占める実用新案の出願件数の比率を図示したものである。具体的には、上位２５０社の出願人の各暦年毎の特許・実用新案の出願件数に占める実用新案の出願件数の比率は第５６図の右から４列目及び３列目の各暦年毎の数値の総和のうち右から３列目の各暦年毎の数値の占める比率であり、上位２５０社を除く他の出願人の各暦年毎の特許・実用新案の出願件数に占める実用新案の出願件数の比率は第５６図の右から２列目及び１列目の各暦年毎の数値の総和のうち右から１列目の各暦年毎の数値の占める比率である。
第１５４図は、上位２６０社の出願人の各暦年毎の特許・実用新案の出願件数に占める実用新案の出願件数の比率と上位２６０社を除くその他多数の出願人の各暦年毎の特許・実用新案の出願件数に占める実用新案の出願件数の比率を図示したものである。具体的には、上位２６０社の出願人の各暦年毎の特許・実用新案の出願件数に占める実用新案の出願件数の比率は第５８図の右から４列目及び３列目の各暦年毎の数値の総和のうち右から３列目の各暦年毎の数値の占める比率であり、上位２６０社を除く他の出願人の各暦年毎の特許・実用新案の出願件数に占める実用新案の出願件数の比率は第５８図の右から２列目及び１列目の各暦年毎の数値の総和のうち右から１列目の各暦年毎の数値の占める比率である。
第１５５図は、上位２７０社の出願人の各暦年毎の特許・実用新案の出願件数に占める実用新案の出願件数の比率と上位２７０社を除くその他多数の出願人の各暦年毎の特許・実用新案の出願件数に占める実用新案の出願件数の比率を図示したものである。具体的には、上位２７０社の出願人の各暦年毎の特許・実用新案の出願件数に占める実用新案の出願件数の比率は第６０図の右から４列目及び３列目の各暦年毎の数値の総和のうち右から３列目の各暦年毎の数値の占める比率であり、上位２７０社を除く他の出願人の各暦年毎の特許・実用新案の出願件数に占める実用新案の出願件数の比率は第６０図の右から２列目及び１列目の各暦年毎の数値の総和のうち右から１列目の各暦年毎の数値の占める比率である。
第１５６図は、上位２８０社の出願人の各暦年毎の特許・実用新案の出願件数に占める実用新案の出願件数の比率と上位２８０社を除くその他多数の出願人の各暦年毎の特許・実用新案の出願件数に占める実用新案の出願件数の比率を図示したものである。具体的には、上位２８０社の出願人の各暦年毎の特許・実用新案の出願件数に占める実用新案の出願件数の比率は第６２図の右から４列目及び３列目の各暦年毎の数値の総和のうち右から３列目の各暦年毎の数値の占める比率であり、上位２８０社を除く他の出願人の各暦年毎の特許・実用新案の出願件数に占める実用新案の出願件数の比率は第６２図の右から２列目及び１列目の各暦年毎の数値の総和のうち右から１列目の各暦年毎の数値の占める比率である。
第１５７図は、上位２９０社の出願人の各暦年毎の特許・実用新案の出願件数に占める実用新案の出願件数の比率と上位２９０社を除くその他多数の出願人の各暦年毎の特許・実用新案の出願件数に占める実用新案の出願件数の比率を図示したものである。具体的には、上位２９０社の出願人の各暦年毎の特許・実用新案の出願件数に占める実用新案の出願件数の比率は第６４図の右から４列目及び３列目の各暦年毎の数値の総和のうち右から３列目の各暦年毎の数値の占める比率であり、上位２９０社を除く他の出願人の各暦年毎の特許・実用新案の出願件数に占める実用新案の出願件数の比率は第６４図の右から２列目及び１列目の各暦年毎の数値の総和のうち右から１列目の各暦年毎の数値の占める比率である。
第１５８図は、上位３００社の出願人の各暦年毎の特許・実用新案の出願件数に占める実用新案の出願件数の比率と上位３００社を除くその他多数の出願人の各暦年毎の特許・実用新案の出願件数に占める実用新案の出願件数の比率を図示したものである。具体的には、上位３００社の出願人の各暦年毎の特許・実用新案の出願件数に占める実用新案の出願件数の比率は第６６図の右から４列目及び３列目の各暦年毎の数値の総和のうち右から３列目の各暦年毎の数値の占める比率であり、上位３００社を除く他の出願人の各暦年毎の特許・実用新案の出願件数に占める実用新案の出願件数の比率は第６６図の右から２列目及び１列目の各暦年毎の数値の総和のうち右から１列目の各暦年毎の数値の占める比率である。
第１５８図によると、現行の昭和３４年（１９５９年）改正特許法及び実用新案法が施行された昭和３５年（１９６０年）頃から昭和５５年（１９８０年）頃までの約２０年間、上位３００社の出願人と上位３００社を除くその他多数の出願人間の実用新案の比率が略同じで概ね０．６から０．５へと漸減傾向にあることがわかる。ところが、昭和５６年（１９８１年）頃から上位３００社の出願人の実用新案を利用する比率が低下し始め、平成５年（１９９３年）において、上位３００社の出願人と上位３００社を除くその他多数の出願人間の実用新案の比率が約０．１強開き最大になっていることがわかる。そして、平成６年（１９９４年）以降現在に至るまで、上位３００社の出願人の実用新案を利用する比率は略０で、上位３００社を除くその他多数の出願人が主に実用新案を利用していることがわかる。このような実態を出願状況を対応数値出願件数の多い順に所定数の出願人を選択していき、その所定数の出願人の出願件数における実用新案の比率とその所定数の出願人を除く他の出願人の出願件数における実用新案の比率とに二分し、かつ、この所定数を所定数（１０）毎変動していったので、出願状況を安定的に多角的に分析することが可能になり、出願状況を立体的に的確にかつ連続的に把握することができる。
尚、上記分析が真に妥当なものであるかどうかは、上位３００社の企業の暦年毎の入れ替わり等を含めて検討することが必要であるが、上記した一応の推定・分析をすることが可能である。
次に、本発明の第四実施例に係る状況解析表示システムを説明する。この第四実施例は、上記「所定数の対象の各一定期間毎の対応数値の総和に関係する第一関係値」として、各一定期間毎の対応数値の全ての総和に所定数の対象の各一定期間毎の対応数値の総和が占める比率とし、「前記所定数の対象を除くその他多数の対象の各一定期間毎の対応数値の総和に関係する第二関係値」として、各一定期間毎の対応数値の全ての総和に所定数を除くその他多数の対象の各一定期間毎の対応数値の総和が占める比率としたものである。従って、定義上、第一関係値と第二関係値との和は、１（又は１００％）になる。即ち、第一関係値と第二関係値とは、図面上占有率０．５の線に関して上下対称になる。状況解析表示システムの機能ブロック図等その他は第三実施例と同様である。
第１５９図は、全特許出願件数における上位１０社の出願人の特許出願件数の合計件数の占める各暦年毎の比率と全特許出願件数における上位１０社を除くその他多数の出願人の特許出願件数の合計件数の占める各暦年毎の比率を図示したものである。具体的には、全特許出願件数における上位１０社の出願人の特許出願件数の合計件数の占める各暦年毎の比率は第７図の第２列目の各暦年毎の数値のうち第８図の右から４列目の各暦年毎の数値の占める比率であり、全特許出願件数における上位１０社を除くその他多数の出願人の特許出願件数の合計件数の占める各暦年毎の比率は第７図の第２列目の各暦年毎の数値のうち第８図の右から２列目の各暦年毎の数値の占める比率である。図中、「１−１０社特比率」は全特許出願件数における上位１０社の出願人の特許出願件数の合計件数の占める各暦年毎の比率を指し、「１−１０社徐特比率」は全特許出願件数における上位１０社を除くその他多数の出願人の特許出願件数の合計件数の占める各暦年毎の比率を指す。「特比率」及び「徐特比率」の文言は、以下の図においても同じ意味で用いている。
第１６０図は、全特許出願件数における上位２０社の出願人の特許出願件数の合計件数の占める各暦年毎の比率と全特許出願件数における上位２０社を除くその他多数の出願人の特許出願件数の合計件数の占める各暦年毎の比率を図示したものである。具体的には、全特許出願件数における上位２０社の出願人の特許出願件数の合計件数の占める各暦年毎の比率は第７図の第２列目の各暦年毎の数値のうち第１０図の右から４列目の各暦年毎の数値の占める比率であり、全特許出願件数における上位２０社を除くその他多数の出願人の特許出願件数の合計件数の占める各暦年毎の比率は第７図の第２列目の各暦年毎の数値のうち第１０図の右から２列目の各暦年毎の数値の占める比率である。
第１６１図は、全特許出願件数における上位３０社の出願人の特許出願件数の合計件数の占める各暦年毎の比率と全特許出願件数における上位３０社を除くその他多数の出願人の特許出願件数の合計件数の占める各暦年毎の比率を図示したものである。具体的には、全特許出願件数における上位３０社の出願人の特許出願件数の合計件数の占める各暦年毎の比率は第７図の第２列目の各暦年毎の数値のうち第１２図の右から４列目の各暦年毎の数値の占める比率であり、全特許出願件数における上位３０社を除くその他多数の出願人の特許出願件数の合計件数の占める各暦年毎の比率は第７図の第２列目の各暦年毎の数値のうち第１２図の右から２列目の各暦年毎の数値の占める比率である。
第１６２図は、全特許出願件数における上位４０社の出願人の特許出願件数の合計件数の占める各暦年毎の比率と全特許出願件数における上位４０社を除くその他多数の出願人の特許出願件数の合計件数の占める各暦年毎の比率を図示したものである。具体的には、全特許出願件数における上位４０社の出願人の特許出願件数の合計件数の占める各暦年毎の比率は第７図の第２列目の各暦年毎の数値のうち第１４図の右から４列目の各暦年毎の数値の占める比率であり、全特許出願件数における上位４０社を除くその他多数の出願人の特許出願件数の合計件数の占める各暦年毎の比率は第７図の第２列目の各暦年毎の数値のうち第１４図の右から２列目の各暦年毎の数値の占める比率である。
第１６３図は、全特許出願件数における上位５０社の出願人の特許出願件数の合計件数の占める各暦年毎の比率と全特許出願件数における上位５０社を除くその他多数の出願人の特許出願件数の合計件数の占める各暦年毎の比率を図示したものである。具体的には、全特許出願件数における上位５０社の出願人の特許出願件数の合計件数の占める各暦年毎の比率は第７図の第２列目の各暦年毎の数値のうち第１６図の右から４列目の各暦年毎の数値の占める比率であり、全特許出願件数における上位５０社を除くその他多数の出願人の特許出願件数の合計件数の占める各暦年毎の比率は第７図の第２列目の各暦年毎の数値のうち第１６図の右から２列目の各暦年毎の数値の占める比率である。
第１６４図は、全特許出願件数における上位６０社の出願人の特許出願件数の合計件数の占める各暦年毎の比率と全特許出願件数における上位６０社を除くその他多数の出願人の特許出願件数の合計件数の占める各暦年毎の比率を図示したものである。具体的には、全特許出願件数における上位６０社の出願人の特許出願件数の合計件数の占める各暦年毎の比率は第７図の第２列目の各暦年毎の数値のうち第１８図の右から４列目の各暦年毎の数値の占める比率であり、全特許出願件数における上位６０社を除くその他多数の出願人の特許出願件数の合計件数の占める各暦年毎の比率は第７図の第２列目の各暦年毎の数値のうち第１８図の右から２列目の各暦年毎の数値の占める比率である。
第１６５図は、全特許出願件数における上位７０社の出願人の特許出願件数の合計件数の占める各暦年毎の比率と全特許出願件数における上位７０社を除くその他多数の出願人の特許出願件数の合計件数の占める各暦年毎の比率を図示したものである。具体的には、全特許出願件数における上位７０社の出願人の特許出願件数の合計件数の占める各暦年毎の比率は第７図の第２列目の各暦年毎の数値のうち第２０図の右から４列目の各暦年毎の数値の占める比率であり、全特許出願件数における上位７０社を除くその他多数の出願人の特許出願件数の合計件数の占める各暦年毎の比率は第７図の第２列目の各暦年毎の数値のうち第２０図の右から２列目の各暦年毎の数値の占める比率である。
第１６６図は、全特許出願件数における上位８０社の出願人の特許出願件数の合計件数の占める各暦年毎の比率と全特許出願件数における上位８０社を除くその他多数の出願人の特許出願件数の合計件数の占める各暦年毎の比率を図示したものである。具体的には、全特許出願件数における上位８０社の出願人の特許出願件数の合計件数の占める各暦年毎の比率は第７図の第２列目の各暦年毎の数値のうち第２２図の右から４列目の各暦年毎の数値の占める比率であり、全特許出願件数における上位８０社を除くその他多数の出願人の特許出願件数の合計件数の占める各暦年毎の比率は第７図の第２列目の各暦年毎の数値のうち第２２図の右から２列目の各暦年毎の数値の占める比率である。
第１６７図は、全特許出願件数における上位９０社の出願人の特許出願件数の合計件数の占める各暦年毎の比率と全特許出願件数における上位９０社を除くその他多数の出願人の特許出願件数の合計件数の占める各暦年毎の比率を図示したものである。具体的には、全特許出願件数における上位９０社の出願人の特許出願件数の合計件数の占める各暦年毎の比率は第７図の第２列目の各暦年毎の数値のうち第２４図の右から４列目の各暦年毎の数値の占める比率であり、全特許出願件数における上位９０社を除くその他多数の出願人の特許出願件数の合計件数の占める各暦年毎の比率は第７図の第２列目の各暦年毎の数値のうち第２４図の右から２列目の各暦年毎の数値の占める比率である。
第１６８図は、全特許出願件数における上位１００社の出願人の特許出願件数の合計件数の占める各暦年毎の比率と全特許出願件数における上位１００社を除くその他多数の出願人の特許出願件数の合計件数の占める各暦年毎の比率を図示したものである。具体的には、全特許出願件数における上位１００社の出願人の特許出願件数の合計件数の占める各暦年毎の比率は第７図の第２列目の各暦年毎の数値のうち第２６図の右から４列目の各暦年毎の数値の占める比率であり、全特許出願件数における上位１００社を除くその他多数の出願人の特許出願件数の合計件数の占める各暦年毎の比率は第７図の第２列目の各暦年毎の数値のうち第２６図の右から２列目の各暦年毎の数値の占める比率である。
第１６９図は、全特許出願件数における上位１１０社の出願人の特許出願件数の合計件数の占める各暦年毎の比率と全特許出願件数における上位１１０社を除くその他多数の出願人の特許出願件数の合計件数の占める各暦年毎の比率を図示したものである。具体的には、全特許出願件数における上位１１０社の出願人の特許出願件数の合計件数の占める各暦年毎の比率は第７図の第２列目の各暦年毎の数値のうち第２８図の右から４列目の各暦年毎の数値の占める比率であり、全特許出願件数における上位１１０社を除くその他多数の出願人の特許出願件数の合計件数の占める各暦年毎の比率は第７図の第２列目の各暦年毎の数値のうち第２８図の右から２列目の各暦年毎の数値の占める比率である。
第１７０図は、全特許出願件数における上位１２０社の出願人の特許出願件数の合計件数の占める各暦年毎の比率と全特許出願件数における上位１２０社を除くその他多数の出願人の特許出願件数の合計件数の占める各暦年毎の比率を図示したものである。具体的には、全特許出願件数における上位１２０社の出願人の特許出願件数の合計件数の占める各暦年毎の比率は第７図の第２列目の各暦年毎の数値のうち第３０図の右から４列目の各暦年毎の数値の占める比率であり、全特許出願件数における上位１２０社を除くその他多数の出願人の特許出願件数の合計件数の占める各暦年毎の比率は第７図の第２列目の各暦年毎の数値のうち第３０図の右から２列目の各暦年毎の数値の占める比率である。
第１７１図は、全特許出願件数における上位１３０社の出願人の特許出願件数の合計件数の占める各暦年毎の比率と全特許出願件数における上位１３０社を除くその他多数の出願人の特許出願件数の合計件数の占める各暦年毎の比率を図示したものである。具体的には、全特許出願件数における上位１３０社の出願人の特許出願件数の合計件数の占める各暦年毎の比率は第７図の第２列目の各暦年毎の数値のうち第３２図の右から４列目の各暦年毎の数値の占める比率であり、全特許出願件数における上位１３０社を除くその他多数の出願人の特許出願件数の合計件数の占める各暦年毎の比率は第７図の第２列目の各暦年毎の数値のうち第３２図の右から２列目の各暦年毎の数値の占める比率である。
第１７２図は、全特許出願件数における上位１４０社の出願人の特許出願件数の合計件数の占める各暦年毎の比率と全特許出願件数における上位１４０社を除くその他多数の出願人の特許出願件数の合計件数の占める各暦年毎の比率を図示したものである。具体的には、全特許出願件数における上位１４０社の出願人の特許出願件数の合計件数の占める各暦年毎の比率は第７図の第２列目の各暦年毎の数値のうち第３４図の右から４列目の各暦年毎の数値の占める比率であり、全特許出願件数における上位１４０社を除くその他多数の出願人の特許出願件数の合計件数の占める各暦年毎の比率は第７図の第２列目の各暦年毎の数値のうち第３４図の右から２列目の各暦年毎の数値の占める比率である。
第１７３図は、全特許出願件数における上位１５０社の出願人の特許出願件数の合計件数の占める各暦年毎の比率と全特許出願件数における上位１５０社を除くその他多数の出願人の特許出願件数の合計件数の占める各暦年毎の比率を図示したものである。具体的には、全特許出願件数における上位１５０社の出願人の特許出願件数の合計件数の占める各暦年毎の比率は第７図の第２列目の各暦年毎の数値のうち第３６図の右から４列目の各暦年毎の数値の占める比率であり、全特許出願件数における上位１５０社を除くその他多数の出願人の特許出願件数の合計件数の占める各暦年毎の比率は第７図の第２列目の各暦年毎の数値のうち第３６図の右から２列目の各暦年毎の数値の占める比率である。
第１７４図は、全特許出願件数における上位１６０社の出願人の特許出願件数の合計件数の占める各暦年毎の比率と全特許出願件数における上位１６０社を除くその他多数の出願人の特許出願件数の合計件数の占める各暦年毎の比率を図示したものである。具体的には、全特許出願件数における上位１６０社の出願人の特許出願件数の合計件数の占める各暦年毎の比率は第７図の第２列目の各暦年毎の数値のうち第３８図の右から４列目の各暦年毎の数値の占める比率であり、全特許出願件数における上位１６０社を除くその他多数の出願人の特許出願件数の合計件数の占める各暦年毎の比率は第７図の第２列目の各暦年毎の数値のうち第３８図の右から２列目の各暦年毎の数値の占める比率である。
第１７５図は、全特許出願件数における上位１７０社の出願人の特許出願件数の合計件数の占める各暦年毎の比率と全特許出願件数における上位１７０社を除くその他多数の出願人の特許出願件数の合計件数の占める各暦年毎の比率を図示したものである。具体的には、全特許出願件数における上位１７０社の出願人の特許出願件数の合計件数の占める各暦年毎の比率は第７図の第２列目の各暦年毎の数値のうち第４０図の右から４列目の各暦年毎の数値の占める比率であり、全特許出願件数における上位１７０社を除くその他多数の出願人の特許出願件数の合計件数の占める各暦年毎の比率は第７図の第２列目の各暦年毎の数値のうち第４０図の右から２列目の各暦年毎の数値の占める比率である。
第１７６図は、全特許出願件数における上位１８０社の出願人の特許出願件数の合計件数の占める各暦年毎の比率と全特許出願件数における上位１８０社を除くその他多数の出願人の特許出願件数の合計件数の占める各暦年毎の比率を図示したものである。具体的には、全特許出願件数における上位１８０社の出願人の特許出願件数の合計件数の占める各暦年毎の比率は第７図の第２列目の各暦年毎の数値のうち第４２図の右から４列目の各暦年毎の数値の占める比率であり、全特許出願件数における上位１８０社を除くその他多数の出願人の特許出願件数の合計件数の占める各暦年毎の比率は第７図の第２列目の各暦年毎の数値のうち第４２図の右から２列目の各暦年毎の数値の占める比率である。
第１７７図は、全特許出願件数における上位１９０社の出願人の特許出願件数の合計件数の占める各暦年毎の比率と全特許出願件数における上位１９０社を除くその他多数の出願人の特許出願件数の合計件数の占める各暦年毎の比率を図示したものである。具体的には、全特許出願件数における上位１９０社の出願人の特許出願件数の合計件数の占める各暦年毎の比率は第７図の第２列目の各暦年毎の数値のうち第４４図の右から４列目の各暦年毎の数値の占める比率であり、全特許出願件数における上位１９０社を除くその他多数の出願人の特許出願件数の合計件数の占める各暦年毎の比率は第７図の第２列目の各暦年毎の数値のうち第４４図の右から２列目の各暦年毎の数値の占める比率である。
第１７８図は、全特許出願件数における上位２００社の出願人の特許出願件数の合計件数の占める各暦年毎の比率と全特許出願件数における上位２００社を除くその他多数の出願人の特許出願件数の合計件数の占める各暦年毎の比率を図示したものである。具体的には、全特許出願件数における上位２００社の出願人の特許出願件数の合計件数の占める各暦年毎の比率は第７図の第２列目の各暦年毎の数値のうち第４６図の右から４列目の各暦年毎の数値の占める比率であり、全特許出願件数における上位２００社を除くその他多数の出願人の特許出願件数の合計件数の占める各暦年毎の比率は第７図の第２列目の各暦年毎の数値のうち第４６図の右から２列目の各暦年毎の数値の占める比率である。
第１７９図は、全特許出願件数における上位２１０社の出願人の特許出願件数の合計件数の占める各暦年毎の比率と全特許出願件数における上位２１０社を除くその他多数の出願人の特許出願件数の合計件数の占める各暦年毎の比率を図示したものである。具体的には、全特許出願件数における上位２１０社の出願人の特許出願件数の合計件数の占める各暦年毎の比率は第７図の第２列目の各暦年毎の数値のうち第４８図の右から４列目の各暦年毎の数値の占める比率であり、全特許出願件数における上位２１０社を除くその他多数の出願人の特許出願件数の合計件数の占める各暦年毎の比率は第７図の第２列目の各暦年毎の数値のうち第４８図の右から２列目の各暦年毎の数値の占める比率である。
第１８０図は、全特許出願件数における上位２２０社の出願人の特許出願件数の合計件数の占める各暦年毎の比率と全特許出願件数における上位２２０社を除くその他多数の出願人の特許出願件数の合計件数の占める各暦年毎の比率を図示したものである。具体的には、全特許出願件数における上位２２０社の出願人の特許出願件数の合計件数の占める各暦年毎の比率は第７図の第２列目の各暦年毎の数値のうち第５０図の右から４列目の各暦年毎の数値の占める比率であり、全特許出願件数における上位２２０社を除くその他多数の出願人の特許出願件数の合計件数の占める各暦年毎の比率は第７図の第２列目の各暦年毎の数値のうち第５０図の右から２列目の各暦年毎の数値の占める比率である。
第１８１図は、全特許出願件数における上位２３０社の出願人の特許出願件数の合計件数の占める各暦年毎の比率と全特許出願件数における上位２３０社を除くその他多数の出願人の特許出願件数の合計件数の占める各暦年毎の比率を図示したものである。具体的には、全特許出願件数における上位２３０社の出願人の特許出願件数の合計件数の占める各暦年毎の比率は第７図の第２列目の各暦年毎の数値のうち第５２図の右から４列目の各暦年毎の数値の占める比率であり、全特許出願件数における上位２３０社を除くその他多数の出願人の特許出願件数の合計件数の占める各暦年毎の比率は第７図の第２列目の各暦年毎の数値のうち第５２図の右から２列目の各暦年毎の数値の占める比率である。
第１８２図は、全特許出願件数における上位２４０社の出願人の特許出願件数の合計件数の占める各暦年毎の比率と全特許出願件数における上位２４０社を除くその他多数の出願人の特許出願件数の合計件数の占める各暦年毎の比率を図示したものである。具体的には、全特許出願件数における上位２４０社の出願人の特許出願件数の合計件数の占める各暦年毎の比率は第７図の第２列目の各暦年毎の数値のうち第５４図の右から４列目の各暦年毎の数値の占める比率であり、全特許出願件数における上位２４０社を除くその他多数の出願人の特許出願件数の合計件数の占める各暦年毎の比率は第７図の第２列目の各暦年毎の数値のうち第５４図の右から２列目の各暦年毎の数値の占める比率である。
第１８３図は、全特許出願件数における上位２５０社の出願人の特許出願件数の合計件数の占める各暦年毎の比率と全特許出願件数における上位２５０社を除くその他多数の出願人の特許出願件数の合計件数の占める各暦年毎の比率を図示したものである。具体的には、全特許出願件数における上位２５０社の出願人の特許出願件数の合計件数の占める各暦年毎の比率は第７図の第２列目の各暦年毎の数値のうち第５６図の右から４列目の各暦年毎の数値の占める比率であり、全特許出願件数における上位２５０社を除くその他多数の出願人の特許出願件数の合計件数の占める各暦年毎の比率は第７図の第２列目の各暦年毎の数値のうち第５６図の右から２列目の各暦年毎の数値の占める比率である。
第１８４図は、全特許出願件数における上位２６０社の出願人の特許出願件数の合計件数の占める各暦年毎の比率と全特許出願件数における上位２６０社を除くその他多数の出願人の特許出願件数の合計件数の占める各暦年毎の比率を図示したものである。具体的には、全特許出願件数における上位２６０社の出願人の特許出願件数の合計件数の占める各暦年毎の比率は第７図の第２列目の各暦年毎の数値のうち第５８図の右から４列目の各暦年毎の数値の占める比率であり、全特許出願件数における上位２６０社を除くその他多数の出願人の特許出願件数の合計件数の占める各暦年毎の比率は第７図の第２列目の各暦年毎の数値のうち第５８図の右から２列目の各暦年毎の数値の占める比率である。
第１８５図は、全特許出願件数における上位２７０社の出願人の特許出願件数の合計件数の占める各暦年毎の比率と全特許出願件数における上位２７０社を除くその他多数の出願人の特許出願件数の合計件数の占める各暦年毎の比率を図示したものである。具体的には、全特許出願件数における上位２７０社の出願人の特許出願件数の合計件数の占める各暦年毎の比率は第７図の第２列目の各暦年毎の数値のうち第６０図の右から４列目の各暦年毎の数値の占める比率であり、全特許出願件数における上位２７０社を除くその他多数の出願人の特許出願件数の合計件数の占める各暦年毎の比率は第７図の第２列目の各暦年毎の数値のうち第６０図の右から２列目の各暦年毎の数値の占める比率である。
第１８６図は、全特許出願件数における上位２８０社の出願人の特許出願件数の合計件数の占める各暦年毎の比率と全特許出願件数における上位２８０社を除くその他多数の出願人の特許出願件数の合計件数の占める各暦年毎の比率を図示したものである。具体的には、全特許出願件数における上位２８０社の出願人の特許出願件数の合計件数の占める各暦年毎の比率は第７図の第２列目の各暦年毎の数値のうち第６２図の右から４列目の各暦年毎の数値の占める比率であり、全特許出願件数における上位２８０社を除くその他多数の出願人の特許出願件数の合計件数の占める各暦年毎の比率は第７図の第２列目の各暦年毎の数値のうち第６２図の右から２列目の各暦年毎の数値の占める比率である。
第１８７図は、全特許出願件数における上位２９０社の出願人の特許出願件数の合計件数の占める各暦年毎の比率と全特許出願件数における上位２９０社を除くその他多数の出願人の特許出願件数の合計件数の占める各暦年毎の比率を図示したものである。具体的には、全特許出願件数における上位２９０社の出願人の特許出願件数の合計件数の占める各暦年毎の比率は第７図の第２列目の各暦年毎の数値のうち第６４図の右から４列目の各暦年毎の数値の占める比率であり、全特許出願件数における上位２９０社を除くその他多数の出願人の特許出願件数の合計件数の占める各暦年毎の比率は第７図の第２列目の各暦年毎の数値のうち第６４図の右から２列目の各暦年毎の数値の占める比率である。
第１８８図は、全特許出願件数における上位３００社の出願人の特許出願件数の合計件数の占める各暦年毎の比率と全特許出願件数における上位３００社を除くその他多数の出願人の特許出願件数の合計件数の占める各暦年毎の比率を図示したものである。具体的には、全特許出願件数における上位３００社の出願人の特許出願件数の合計件数の占める各暦年毎の比率は第７図の第２列目の各暦年毎の数値のうち第６６図の右から４列目の各暦年毎の数値の占める比率であり、全特許出願件数における上位３００社を除くその他多数の出願人の特許出願件数の合計件数の占める各暦年毎の比率は第７図の第２列目の各暦年毎の数値のうち第６６図の右から２列目の各暦年毎の数値の占める比率である。
第１８８図によると、全特許出願件数における上位３００社の出願人の合計特許出願件数の占める比率は、昭和３０年（１９５５年）頃から漸増し始め、昭和４６年（１９７１年）頃に激増し、その後も引き続き増加し昭和５９年（１９８４年）頃、比率は最高になり、その後やや比率は減少し、平成７年（１９９５年）に反転・増加に転じ、現在に至るまで漸減傾向にある。
一方、逆に、全特許出願件数における上位３００社の出願人を除くその他多数の出願人の合計特許出願件数の占める比率は、昭和３０年（１９５５年）頃から漸減し始め、昭和４６年（１９７１年）頃に激減し、その後も引き続き減少し昭和５９年（１９８４年）頃、比率は最低になり、その後やや比率は増加し、平成７年（１９９５年）に反転・減少に転じ、現在に至るまで漸増傾向にある。
上記した実態を出願状況を対応数値出願件数の多い順に所定数の出願人を選択していき、全特許出願件数における所定数の出願人の合計特許出願件数の比率とその所定数の出願人を除く他の出願人の合計特許出願件数の比率とに二分し、かつ、この所定数を所定数（１０）毎変動していったので、出願状況を安定的に多角的に分析することが可能になり、出願状況を立体的に的確にかつ連続的に把握することができる。
尚、上記分析が真に妥当なものであるかどうかは、上位３００社の企業の暦年毎の入れ替わり等を含めて検討することが必要であるが、上記した一応の推定・分析をすることが可能である。
次に、本発明の第五実施例に係る状況解析表示システムを説明する。上記第四実施例は特許出願件数を対応数値としたが、この第五実施例は、実用新案の出願件数を対応数値としたものである。状況解析表示システムの機能ブロック図等その他は第四実施例と同様である。
第１８９図は、全実用新案登録出願件数における上位１０社の出願人の実用新案登録出願件数の合計件数の占める各暦年毎の比率と全実用新案登録出願件数における上位１０社を除くその他多数の出願人の実用新案登録出願件数の合計件数の占める各暦年毎の比率を図示したものである。具体的には、全実用新案登録出願件数における上位１０社の出願人の実用新案登録出願件数の合計件数の占める各暦年毎の比率は第７図の第３列目の各暦年毎の数値のうち第８図の右から３列目の各暦年毎の数値の占める比率であり、全実用新案登録出願件数における上位１０社を除くその他多数の出願人の実用新案登録出願件数の合計件数の占める各暦年毎の比率は第７図の第３列目の各暦年毎の数値のうち第８図の右から１列目の各暦年毎の数値の占める比率である。図中、「１−１０社実比率」は全実用新案登録出願件数における上位１０社の出願人の実用新案登録出願件数の合計件数の占める各暦年毎の比率を指し、「１−１０社徐実比率」は全実用新案登録出願件数における上位１０社を除くその他多数の出願人の実用新案登録出願件数の合計件数の占める各暦年毎の比率を指す。「実比率」及び「徐実比率」の文言は、以下の図においても同じ意味で用いている。
第１９０図は、全実用新案登録出願件数における上位２０社の出願人の実用新案登録出願件数の合計件数の占める各暦年毎の比率と全実用新案登録出願件数における上位２０社を除くその他多数の出願人の実用新案登録出願件数の合計件数の占める各暦年毎の比率を図示したものである。具体的には、全実用新案登録出願件数における上位２０社の出願人の実用新案登録出願件数の合計件数の占める各暦年毎の比率は第７図の第３列目の各暦年毎の数値のうち第１０図の右から３列目の各暦年毎の数値の占める比率であり、全実用新案登録出願件数における上位２０社を除くその他多数の出願人の実用新案登録出願件数の合計件数の占める各暦年毎の比率は第７図の第３列目の各暦年毎の数値のうち第１０図の右から１列目の各暦年毎の数値の占める比率である。
第１９１図は、全実用新案登録出願件数における上位３０社の出願人の実用新案登録出願件数の合計件数の占める各暦年毎の比率と全実用新案登録出願件数における上位３０社を除くその他多数の出願人の実用新案登録出願件数の合計件数の占める各暦年毎の比率を図示したものである。具体的には、全実用新案登録出願件数における上位３０社の出願人の実用新案登録出願件数の合計件数の占める各暦年毎の比率は第７図の第３列目の各暦年毎の数値のうち第１２図の右から３列目の各暦年毎の数値の占める比率であり、全実用新案登録出願件数における上位３０社を除くその他多数の出願人の実用新案登録出願件数の合計件数の占める各暦年毎の比率は第７図の第３列目の各暦年毎の数値のうち第１２図の右から１列目の各暦年毎の数値の占める比率である。
第１９２図は、全実用新案登録出願件数における上位４０社の出願人の実用新案登録出願件数の合計件数の占める各暦年毎の比率と全実用新案登録出願件数における上位４０社を除くその他多数の出願人の実用新案登録出願件数の合計件数の占める各暦年毎の比率を図示したものである。具体的には、全実用新案登録出願件数における上位４０社の出願人の実用新案登録出願件数の合計件数の占める各暦年毎の比率は第７図の第３列目の各暦年毎の数値のうち第１４図の右から３列目の各暦年毎の数値の占める比率であり、全実用新案登録出願件数における上位４０社を除くその他多数の出願人の実用新案登録出願件数の合計件数の占める各暦年毎の比率は第７図の第３列目の各暦年毎の数値のうち第１４図の右から１列目の各暦年毎の数値の占める比率である。
第１９３図は、全実用新案登録出願件数における上位５０社の出願人の実用新案登録出願件数の合計件数の占める各暦年毎の比率と全実用新案登録出願件数における上位５０社を除くその他多数の出願人の実用新案登録出願件数の合計件数の占める各暦年毎の比率を図示したものである。具体的には、全実用新案登録出願件数における上位５０社の出願人の実用新案登録出願件数の合計件数の占める各暦年毎の比率は第７図の第３列目の各暦年毎の数値のうち第１６図の右から３列目の各暦年毎の数値の占める比率であり、全実用新案登録出願件数における上位５０社を除くその他多数の出願人の実用新案登録出願件数の合計件数の占める各暦年毎の比率は第７図の第３列目の各暦年毎の数値のうち第１６図の右から１列目の各暦年毎の数値の占める比率である。
第１９４図は、全実用新案登録出願件数における上位６０社の出願人の実用新案登録出願件数の合計件数の占める各暦年毎の比率と全実用新案登録出願件数における上位６０社を除くその他多数の出願人の実用新案登録出願件数の合計件数の占める各暦年毎の比率を図示したものである。具体的には、全実用新案登録出願件数における上位６０社の出願人の実用新案登録出願件数の合計件数の占める各暦年毎の比率は第７図の第３列目の各暦年毎の数値のうち第１８図の右から３列目の各暦年毎の数値の占める比率であり、全実用新案登録出願件数における上位６０社を除くその他多数の出願人の実用新案登録出願件数の合計件数の占める各暦年毎の比率は第７図の第３列目の各暦年毎の数値のうち第１８図の右から１列目の各暦年毎の数値の占める比率である。
第１９５図は、全実用新案登録出願件数における上位７０社の出願人の実用新案登録出願件数の合計件数の占める各暦年毎の比率と全実用新案登録出願件数における上位７０社を除くその他多数の出願人の実用新案登録出願件数の合計件数の占める各暦年毎の比率を図示したものである。具体的には、全実用新案登録出願件数における上位７０社の出願人の実用新案登録出願件数の合計件数の占める各暦年毎の比率は第７図の第３列目の各暦年毎の数値のうち第２０図の右から３列目の各暦年毎の数値の占める比率であり、全実用新案登録出願件数における上位７０社を除くその他多数の出願人の実用新案登録出願件数の合計件数の占める各暦年毎の比率は第７図の第３列目の各暦年毎の数値のうち第２０図の右から１列目の各暦年毎の数値の占める比率である。
第１９６図は、全実用新案登録出願件数における上位８０社の出願人の実用新案登録出願件数の合計件数の占める各暦年毎の比率と全実用新案登録出願件数における上位８０社を除くその他多数の出願人の実用新案登録出願件数の合計件数の占める各暦年毎の比率を図示したものである。具体的には、全実用新案登録出願件数における上位８０社の出願人の実用新案登録出願件数の合計件数の占める各暦年毎の比率は第７図の第３列目の各暦年毎の数値のうち第２２図の右から３列目の各暦年毎の数値の占める比率であり、全実用新案登録出願件数における上位８０社を除くその他多数の出願人の実用新案登録出願件数の合計件数の占める各暦年毎の比率は第７図の第３列目の各暦年毎の数値のうち第２２図の右から１列目の各暦年毎の数値の占める比率である。
第１９７図は、全実用新案登録出願件数における上位９０社の出願人の実用新案登録出願件数の合計件数の占める各暦年毎の比率と全実用新案登録出願件数における上位９０社を除くその他多数の出願人の実用新案登録出願件数の合計件数の占める各暦年毎の比率を図示したものである。具体的には、全実用新案登録出願件数における上位９０社の出願人の実用新案登録出願件数の合計件数の占める各暦年毎の比率は第７図の第３列目の各暦年毎の数値のうち第２４図の右から３列目の各暦年毎の数値の占める比率であり、全実用新案登録出願件数における上位９０社を除くその他多数の出願人の実用新案登録出願件数の合計件数の占める各暦年毎の比率は第７図の第３列目の各暦年毎の数値のうち第２４図の右から１列目の各暦年毎の数値の占める比率である。
第１９８図は、全実用新案登録出願件数における上位１００社の出願人の実用新案登録出願件数の合計件数の占める各暦年毎の比率と全実用新案登録出願件数における上位１００社を除くその他多数の出願人の実用新案登録出願件数の合計件数の占める各暦年毎の比率を図示したものである。具体的には、全実用新案登録出願件数における上位１００社の出願人の実用新案登録出願件数の合計件数の占める各暦年毎の比率は第７図の第３列目の各暦年毎の数値のうち第２６図の右から３列目の各暦年毎の数値の占める比率であり、全実用新案登録出願件数における上位１００社を除くその他多数の出願人の実用新案登録出願件数の合計件数の占める各暦年毎の比率は第７図の第３列目の各暦年毎の数値のうち第２６図の右から１列目の各暦年毎の数値の占める比率である。
第１９９図は、全実用新案登録出願件数における上位１１０社の出願人の実用新案登録出願件数の合計件数の占める各暦年毎の比率と全実用新案登録出願件数における上位１１０社を除くその他多数の出願人の実用新案登録出願件数の合計件数の占める各暦年毎の比率を図示したものである。具体的には、全実用新案登録出願件数における上位１１０社の出願人の実用新案登録出願件数の合計件数の占める各暦年毎の比率は第７図の第３列目の各暦年毎の数値のうち第２８図の右から３列目の各暦年毎の数値の占める比率であり、全実用新案登録出願件数における上位１１０社を除くその他多数の出願人の実用新案登録出願件数の合計件数の占める各暦年毎の比率は第７図の第３列目の各暦年毎の数値のうち第２８図の右から１列目の各暦年毎の数値の占める比率である。
第２００図は、全実用新案登録出願件数における上位１２０社の出願人の実用新案登録出願件数の合計件数の占める各暦年毎の比率と全実用新案登録出願件数における上位１２０社を除くその他多数の出願人の実用新案登録出願件数の合計件数の占める各暦年毎の比率を図示したものである。具体的には、全実用新案登録出願件数における上位１２０社の出願人の実用新案登録出願件数の合計件数の占める各暦年毎の比率は第７図の第３列目の各暦年毎の数値のうち第３０図の右から３列目の各暦年毎の数値の占める比率であり、全実用新案登録出願件数における上位１２０社を除くその他多数の出願人の実用新案登録出願件数の合計件数の占める各暦年毎の比率は第７図の第３列目の各暦年毎の数値のうち第３０図の右から１列目の各暦年毎の数値の占める比率である。
第２０１図は、全実用新案登録出願件数における上位１３０社の出願人の実用新案登録出願件数の合計件数の占める各暦年毎の比率と全実用新案登録出願件数における上位１３０社を除くその他多数の出願人の実用新案登録出願件数の合計件数の占める各暦年毎の比率を図示したものである。具体的には、全実用新案登録出願件数における上位１３０社の出願人の実用新案登録出願件数の合計件数の占める各暦年毎の比率は第７図の第３列目の各暦年毎の数値のうち第３２図の右から３列目の各暦年毎の数値の占める比率であり、全実用新案登録出願件数における上位１３０社を除くその他多数の出願人の実用新案登録出願件数の合計件数の占める各暦年毎の比率は第７図の第３列目の各暦年毎の数値のうち第３２図の右から１列目の各暦年毎の数値の占める比率である。
第２０２図は、全実用新案登録出願件数における上位１４０社の出願人の実用新案登録出願件数の合計件数の占める各暦年毎の比率と全実用新案登録出願件数における上位１４０社を除くその他多数の出願人の実用新案登録出願件数の合計件数の占める各暦年毎の比率を図示したものである。具体的には、全実用新案登録出願件数における上位１４０社の出願人の実用新案登録出願件数の合計件数の占める各暦年毎の比率は第７図の第３列目の各暦年毎の数値のうち第３４図の右から３列目の各暦年毎の数値の占める比率であり、全実用新案登録出願件数における上位１４０社を除くその他多数の出願人の実用新案登録出願件数の合計件数の占める各暦年毎の比率は第７図の第３列目の各暦年毎の数値のうち第３４図の右から１列目の各暦年毎の数値の占める比率である。
第２０３図は、全実用新案登録出願件数における上位１５０社の出願人の実用新案登録出願件数の合計件数の占める各暦年毎の比率と全実用新案登録出願件数における上位１５０社を除くその他多数の出願人の実用新案登録出願件数の合計件数の占める各暦年毎の比率を図示したものである。具体的には、全実用新案登録出願件数における上位１５０社の出願人の実用新案登録出願件数の合計件数の占める各暦年毎の比率は第７図の第３列目の各暦年毎の数値のうち第３６図の右から３列目の各暦年毎の数値の占める比率であり、全実用新案登録出願件数における上位１５０社を除くその他多数の出願人の実用新案登録出願件数の合計件数の占める各暦年毎の比率は第７図の第３列目の各暦年毎の数値のうち第３６図の右から１列目の各暦年毎の数値の占める比率である。
第２０４図は、全実用新案登録出願件数における上位１６０社の出願人の実用新案登録出願件数の合計件数の占める各暦年毎の比率と全実用新案登録出願件数における上位１６０社を除くその他多数の出願人の実用新案登録出願件数の合計件数の占める各暦年毎の比率を図示したものである。具体的には、全実用新案登録出願件数における上位１６０社の出願人の実用新案登録出願件数の合計件数の占める各暦年毎の比率は第７図の第３列目の各暦年毎の数値のうち第３８図の右から３列目の各暦年毎の数値の占める比率であり、全実用新案登録出願件数における上位１６０社を除くその他多数の出願人の実用新案登録出願件数の合計件数の占める各暦年毎の比率は第７図の第３列目の各暦年毎の数値のうち第３８図の右から１列目の各暦年毎の数値の占める比率である。
第２０５図は、全実用新案登録出願件数における上位１７０社の出願人の実用新案登録出願件数の合計件数の占める各暦年毎の比率と全実用新案登録出願件数における上位１７０社を除くその他多数の出願人の実用新案登録出願件数の合計件数の占める各暦年毎の比率を図示したものである。具体的には、全実用新案登録出願件数における上位１７０社の出願人の実用新案登録出願件数の合計件数の占める各暦年毎の比率は第７図の第３列目の各暦年毎の数値のうち第４０図の右から３列目の各暦年毎の数値の占める比率であり、全実用新案登録出願件数における上位１７０社を除くその他多数の出願人の実用新案登録出願件数の合計件数の占める各暦年毎の比率は第７図の第３列目の各暦年毎の数値のうち第４０図の右から１列目の各暦年毎の数値の占める比率である。
第２０６図は、全実用新案登録出願件数における上位１８０社の出願人の実用新案登録出願件数の合計件数の占める各暦年毎の比率と全実用新案登録出願件数における上位１８０社を除くその他多数の出願人の実用新案登録出願件数の合計件数の占める各暦年毎の比率を図示したものである。具体的には、全実用新案登録出願件数における上位１８０社の出願人の実用新案登録出願件数の合計件数の占める各暦年毎の比率は第７図の第３列目の各暦年毎の数値のうち第４２図の右から３列目の各暦年毎の数値の占める比率であり、全実用新案登録出願件数における上位１８０社を除くその他多数の出願人の実用新案登録出願件数の合計件数の占める各暦年毎の比率は第７図の第３列目の各暦年毎の数値のうち第４２図の右から１列目の各暦年毎の数値の占める比率である。
第２０７図は、全実用新案登録出願件数における上位１９０社の出願人の実用新案登録出願件数の合計件数の占める各暦年毎の比率と全実用新案登録出願件数における上位１９０社を除くその他多数の出願人の実用新案登録出願件数の合計件数の占める各暦年毎の比率を図示したものである。具体的には、全実用新案登録出願件数における上位１９０社の出願人の実用新案登録出願件数の合計件数の占める各暦年毎の比率は第７図の第３列目の各暦年毎の数値のうち第４４図の右から３列目の各暦年毎の数値の占める比率であり、全実用新案登録出願件数における上位１９０社を除くその他多数の出願人の実用新案登録出願件数の合計件数の占める各暦年毎の比率は第７図の第３列目の各暦年毎の数値のうち第４４図の右から１列目の各暦年毎の数値の占める比率である。
第２０８図は、全実用新案登録出願件数における上位２００社の出願人の実用新案登録出願件数の合計件数の占める各暦年毎の比率と全実用新案登録出願件数における上位２００社を除くその他多数の出願人の実用新案登録出願件数の合計件数の占める各暦年毎の比率を図示したものである。具体的には、全実用新案登録出願件数における上位２００社の出願人の実用新案登録出願件数の合計件数の占める各暦年毎の比率は第７図の第３列目の各暦年毎の数値のうち第４６図の右から３列目の各暦年毎の数値の占める比率であり、全実用新案登録出願件数における上位２００社を除くその他多数の出願人の実用新案登録出願件数の合計件数の占める各暦年毎の比率は第７図の第３列目の各暦年毎の数値のうち第４６図の右から１列目の各暦年毎の数値の占める比率である。
第２０９図は、全実用新案登録出願件数における上位２１０社の出願人の実用新案登録出願件数の合計件数の占める各暦年毎の比率と全実用新案登録出願件数における上位２１０社を除くその他多数の出願人の実用新案登録出願件数の合計件数の占める各暦年毎の比率を図示したものである。具体的には、全実用新案登録出願件数における上位２１０社の出願人の実用新案登録出願件数の合計件数の占める各暦年毎の比率は第７図の第３列目の各暦年毎の数値のうち第４８図の右から３列目の各暦年毎の数値の占める比率であり、全実用新案登録出願件数における上位２１０社を除くその他多数の出願人の実用新案登録出願件数の合計件数の占める各暦年毎の比率は第７図の第３列目の各暦年毎の数値のうち第４８図の右から１列目の各暦年毎の数値の占める比率である。
第２１０図は、全実用新案登録出願件数における上位２２０社の出願人の実用新案登録出願件数の合計件数の占める各暦年毎の比率と全実用新案登録出願件数における上位２２０社を除くその他多数の出願人の実用新案登録出願件数の合計件数の占める各暦年毎の比率を図示したものである。具体的には、全実用新案登録出願件数における上位２２０社の出願人の実用新案登録出願件数の合計件数の占める各暦年毎の比率は第７図の第３列目の各暦年毎の数値のうち第５０図の右から３列目の各暦年毎の数値の占める比率であり、全実用新案登録出願件数における上位２２０社を除くその他多数の出願人の実用新案登録出願件数の合計件数の占める各暦年毎の比率は第７図の第３列目の各暦年毎の数値のうち第５０図の右から１列目の各暦年毎の数値の占める比率である。
第２１１図は、全実用新案登録出願件数における上位２３０社の出願人の実用新案登録出願件数の合計件数の占める各暦年毎の比率と全実用新案登録出願件数における上位２３０社を除くその他多数の出願人の実用新案登録出願件数の合計件数の占める各暦年毎の比率を図示したものである。具体的には、全実用新案登録出願件数における上位２３０社の出願人の実用新案登録出願件数の合計件数の占める各暦年毎の比率は第７図の第３列目の各暦年毎の数値のうち第５２図の右から３列目の各暦年毎の数値の占める比率であり、全実用新案登録出願件数における上位２３０社を除くその他多数の出願人の実用新案登録出願件数の合計件数の占める各暦年毎の比率は第７図の第３列目の各暦年毎の数値のうち第５２図の右から１列目の各暦年毎の数値の占める比率である。
第２１２図は、全実用新案登録出願件数における上位２４０社の出願人の実用新案登録出願件数の合計件数の占める各暦年毎の比率と全実用新案登録出願件数における上位２４０社を除くその他多数の出願人の実用新案登録出願件数の合計件数の占める各暦年毎の比率を図示したものである。具体的には、全実用新案登録出願件数における上位２４０社の出願人の実用新案登録出願件数の合計件数の占める各暦年毎の比率は第７図の第３列目の各暦年毎の数値のうち第５４図の右から３列目の各暦年毎の数値の占める比率であり、全実用新案登録出願件数における上位２４０社を除くその他多数の出願人の実用新案登録出願件数の合計件数の占める各暦年毎の比率は第７図の第３列目の各暦年毎の数値のうち第５４図の右から１列目の各暦年毎の数値の占める比率である。
第２１３図は、全実用新案登録出願件数における上位２５０社の出願人の実用新案登録出願件数の合計件数の占める各暦年毎の比率と全実用新案登録出願件数における上位２５０社を除くその他多数の出願人の実用新案登録出願件数の合計件数の占める各暦年毎の比率を図示したものである。具体的には、全実用新案登録出願件数における上位２５０社の出願人の実用新案登録出願件数の合計件数の占める各暦年毎の比率は第７図の第３列目の各暦年毎の数値のうち第５６図の右から３列目の各暦年毎の数値の占める比率であり、全実用新案登録出願件数における上位２５０社を除くその他多数の出願人の実用新案登録出願件数の合計件数の占める各暦年毎の比率は第７図の第３列目の各暦年毎の数値のうち第５６図の右から１列目の各暦年毎の数値の占める比率である。
第２１４図は、全実用新案登録出願件数における上位２６０社の出願人の実用新案登録出願件数の合計件数の占める各暦年毎の比率と全実用新案登録出願件数における上位２６０社を除くその他多数の出願人の実用新案登録出願件数の合計件数の占める各暦年毎の比率を図示したものである。具体的には、全実用新案登録出願件数における上位２６０社の出願人の実用新案登録出願件数の合計件数の占める各暦年毎の比率は第７図の第３列目の各暦年毎の数値のうち第５８図の右から３列目の各暦年毎の数値の占める比率であり、全実用新案登録出願件数における上位２６０社を除くその他多数の出願人の実用新案登録出願件数の合計件数の占める各暦年毎の比率は第７図の第３列目の各暦年毎の数値のうち第５８図の右から１列目の各暦年毎の数値の占める比率である。
第２１５図は、全実用新案登録出願件数における上位２７０社の出願人の実用新案登録出願件数の合計件数の占める各暦年毎の比率と全実用新案登録出願件数における上位２７０社を除くその他多数の出願人の実用新案登録出願件数の合計件数の占める各暦年毎の比率を図示したものである。具体的には、全実用新案登録出願件数における上位２７０社の出願人の実用新案登録出願件数の合計件数の占める各暦年毎の比率は第７図の第３列目の各暦年毎の数値のうち第６０図の右から３列目の各暦年毎の数値の占める比率であり、全実用新案登録出願件数における上位２７０社を除くその他多数の出願人の実用新案登録出願件数の合計件数の占める各暦年毎の比率は第７図の第３列目の各暦年毎の数値のうち第６０図の右から１列目の各暦年毎の数値の占める比率である。
第２１６図は、全実用新案登録出願件数における上位２８０社の出願人の実用新案登録出願件数の合計件数の占める各暦年毎の比率と全実用新案登録出願件数における上位２８０社を除くその他多数の出願人の実用新案登録出願件数の合計件数の占める各暦年毎の比率を図示したものである。具体的には、全実用新案登録出願件数における上位２８０社の出願人の実用新案登録出願件数の合計件数の占める各暦年毎の比率は第７図の第３列目の各暦年毎の数値のうち第６２図の右から３列目の各暦年毎の数値の占める比率であり、全実用新案登録出願件数における上位２８０社を除くその他多数の出願人の実用新案登録出願件数の合計件数の占める各暦年毎の比率は第７図の第３列目の各暦年毎の数値のうち第６２図の右から１列目の各暦年毎の数値の占める比率である。
第２１７図は、全実用新案登録出願件数における上位２９０社の出願人の実用新案登録出願件数の合計件数の占める各暦年毎の比率と全実用新案登録出願件数における上位２９０社を除くその他多数の出願人の実用新案登録出願件数の合計件数の占める各暦年毎の比率を図示したものである。具体的には、全実用新案登録出願件数における上位２９０社の出願人の実用新案登録出願件数の合計件数の占める各暦年毎の比率は第７図の第３列目の各暦年毎の数値のうち第６４図の右から３列目の各暦年毎の数値の占める比率であり、全実用新案登録出願件数における上位２９０社を除くその他多数の出願人の実用新案登録出願件数の合計件数の占める各暦年毎の比率は第７図の第３列目の各暦年毎の数値のうち第６４図の右から１列目の各暦年毎の数値の占める比率である。
第２１８図は、全実用新案登録出願件数における上位３００社の出願人の実用新案登録出願件数の合計件数の占める各暦年毎の比率と全実用新案登録出願件数における上位３００社を除くその他多数の出願人の実用新案登録出願件数の合計件数の占める各暦年毎の比率を図示したものである。具体的には、全実用新案登録出願件数における上位３００社の出願人の実用新案登録出願件数の合計件数の占める各暦年毎の比率は第７図の第３列目の各暦年毎の数値のうち第６６図の右から３列目の各暦年毎の数値の占める比率であり、全実用新案登録出願件数における上位３００社を除くその他多数の出願人の実用新案登録出願件数の合計件数の占める各暦年毎の比率は第７図の第３列目の各暦年毎の数値のうち第６６図の右から１列目の各暦年毎の数値の占める比率である。
上記第２１８図によると、昭和３０年（１９５５年）頃、全実用新案登録出願における上位３００社の出願人の占有率は略０で、その後、増加し始め、昭和４６年（１９７１年）に激増し、その後も占有率は増加し続け、昭和６０年（１９８５年）頃、上位３００社の出願人の占有率は約０．６２で最高になる。その後、占有率は減少し始め、平成３年（１９９１年）から平成６年（１９９４年）にかけ約０．１に急減し、その後今日に至るまで約０．１を維持している。
一方、逆に、昭和３０年（１９５５年）頃、全実用新案登録出願における上位３００社を除くその他多数の出願人の占有率は略１で、その後、減少し始め、昭和４６年（１９７１年）に激減し、その後も占有率は減少し続け、昭和６０年（１９８５年）頃、上位３００社の出願人を除くその他多数の出願人の占有率は約０．３８で最低になる。その後、占有率は増加し始め、平成３年（１９９１年）から平成６年（１９９４年）にかけ約０．９に急増し、その後今日に至るまで約０．９を維持している。
上記した実態を出願状況を出願件数の多い順に所定数の出願人を選択していき、全実用新案登録出願件数における所定数の出願人の合計実用新案登録出願件数の比率とその所定数の出願人を除く他の出願人の合計実用新案登録出願件数の比率とに二分し、かつ、この所定数を所定数（１０）毎変動していったので、出願状況を安定的に多角的に分析することが可能になり、出願状況を立体的に的確にかつ連続的に把握することができる。
尚、上記分析が真に妥当なものであるかどうかは、上位３００社の企業の暦年毎の入れ替わり等を含めて検討することが必要であるが、上記した一応の推定・分析をすることが可能である。
第２１９図は、本発明の第六実施例に係る状況解析表示システムの機能ブロック図である。上述してきた実施例と異なり、特定期間変動手段を設けている点がポイントである。例えば、所定数を上位３００社に限定（固定）して、特定期間を暦毎に変動していくことにより、その特定期間に対応する時期の上位３００社とこの上位３００社を除くその他多数の出願人の動向を立体的に的確にかつ連続的に把握することができる。
第２２０図は、本発明の第七実施例に係る状況解析表示システムの機能ブロック図である。上述してきた実施例と異なり、一定期間変動手段を設けている点がポイントである。例えば、所定数を上位３００社に限定（固定）して、一定期間を一年単位、半年単位、季節単位、一月単位、一週間単位、一日単位という具合に変動していくことにより、その一定期間に対応する時期の上位３００社とこの上位３００社を除くその他多数の出願人の動向を立体的に的確にかつ連続的に把握することができる。
第２２１図は、本発明の第八実施例に係る状況解析表示システムの機能ブロック図である。この実施例に係る発明のポイントは、上述した所定数変動手段及び特定期間変動手段を有している点である。このため、これらの所定数変動手段及び特定期間変動手段による所定数及び特定期間の変動により、より詳細かつ多彩に状況を解析表示することができる。
尚、さらなる実施例として、上述した所定数変動手段及び一定期間変動手段を有した状況解析表示システムが考えられる。これにより、さらなる別の観点から状況を解析表示することができる。
さらに、上述した特定期間変動手段及び一定期間変動手段を有した状況解析表示システムが考えられる。これにより、異なる観点から状況を解析表示することができる。
さらに、上述した所定数変動手段、特定期間変動手段及び一定期間変動手段を有した状況解析表示システムが考えられる。これにより、異なる観点から緻密に状況を解析表示することができる。
尚、上述してきた実施例においては、一定期間として暦年を使用したが、暦年以外に２年毎にしたり、又は１月毎にしてもより適切な分析が可能である。また、上述してきた実施例においては、一定期間を暦年と固定したが、一定期間を連続的に変動させる手段を用いることも可能である。
また、本実施例においては、所定数を所定数毎変動させたが、連続的に変動させることも可能である。
また、上述してきた実施例においては、対象（出願人）の出願人の実用新案登録出願件数（第一種対応数値）及び特許出願件数（第二種対応数値）であるという出願状況を取扱ったが、出願人の実用新案登録出願件数（第一種対応数値）や特許出願件数（第二種対応数値）のどちらか一方だけを取り扱うことも可能である。
また、上述してきた実施例においては、その他多数総和計算手段として、各一定期間毎の対応数値の全ての総和から前記所定数総和計算手段により計算された前記所定数の対象の各一定期間毎の対応数値の総和を差し引く差引手段を用いたが、他に、所定数の対象を除くその他多数の対象の対応数値の総和を計算するために、その他多数の対象の対応数値の総和を直接行って計算することも可能である。
また、上述してきた実施例においては、第一表示手段と第二表示手段を使用したが、一個の表示手段により、所定数総和計算手段により計算された前記所定数の対象の各一定期間毎の対応数値の総和及びその他多数総和計算手段により計算された前記所定数の対象を除くその他多数の対象の各一定期間毎の対応数値の総和を表示するものであっても当然に本発明の技術的範囲に含まれるものである。
また、上述してきた実施例においては、対象（出願人）の対応数値として、特許出願件数と実用新案登録出願件数を取り扱ったが、意匠の出願件数や商標の出願件数を取り扱うことも可能である。
また、上述してきた実施例においては、所定範囲の出願として、日本国の出願を取り扱ったが、他にドイツやアメリカの出願を取り扱ってもよい。さらに、日本の出願のなかをさらに細分化して、特定の特許分類を所定範囲として扱うことも可能である。
また、上述してきた実施例においては、対象として（工業所有権）出願人、対応数値としてその出願件数を取り扱ったが、複数の対象とその複数の対象に各々対応した対応数値を有する状況であれば、他の分野においても、実施可能である。
また、上述してきた実施例においては、状況解析表示システムとして説明してきたが、状況解析表示装置として具体化することも可能である。また、状況解析表示プログラムやこのプログラムを記録した記録媒体として具体化することも可能である。さらに、状況解析表示プログラムとして具体化することも可能である。また、上述したきた実施例における第６７図乃至第９６図、第９７図乃至第１２６図、第１２９図乃至第１５８図、第１５９図乃至第１８８図又は第１８９図乃至第２１８図を各頁に印刷した状況解析表示書籍として具体化することも可能である。
産業上の利用可能性
以上のように、本発明に係る状況解析表示システムは、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段、前記その他多数総和計算手段により計算された前記所定数の対象を除くその他多数の対象の各一定期間毎の対応数値の総和を表示する第二表示手段並びに前記所定数の値を変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段等を設けたので、状況解析を行うにあたり有用である。
【図面の簡単な説明】
第１図は、本発明の第一実施例に係る状況解析表示システムの機能ブロック図を示す模式図である。
第２図は、本発明の第一実施例に係る状況解析表示システムにおけるフローチャートを示す図である。
第３図は、本発明の第一実施例に係る状況解析表示システムにおける選択手段により選択された上位１位社から上位９０位社までの出願人の社名と出願件数を示す図である。
第４図は、本発明の第一実施例に係る状況解析表示システムにおける選択手段により選択された上位９１位社から上位１８０位社までの出願人の社名と出願件数を示す図である。
第５図は、本発明の第一実施例に係る状況解析表示システムにおける選択手段により選択された上位１８１位社から上位２７０位社までの出願人の社名と出願件数を示す図である。
第６図は、本発明の第一実施例に係る状況解析表示システムにおける選択手段により選択された上位２７１位社から上位３００位社までの出願人の社名と出願件数を示す図である。
第７図は、本発明の第一実施例に係る状況解析表示システムにおける所定数総和計算手段による計算の具体的内容の一部（各暦年毎の特許・実用新案の全出願件数及び１社から８社までの各社の各暦年毎の特許・実用新案の各出願件数）を示す図である。
第８図は、本発明の第一実施例に係る状況解析表示システムにおける所定数総和計算手段及びその他多数総和計算手段による計算の具体的内容の一部（９社及び１０社の各社の各暦年毎の特許・実用新案の各出願件数並びに上位１０社の特許・実用新案の各暦年毎の各合計件数及び上位１０社を除くその他多数の出願人の特許・実用新案の各暦年毎の各合計出願件数）を示す図である。
第９図は、本発明の第一実施例に係る状況解析表示システムにおける所定数総和計算手段による計算の具体的内容の一部（１１社から１９社までの各社の各暦年毎の特許・実用新案の各出願件数）を示す図である。
第１０図は、本発明の第一実施例に係る状況解析表示システムにおける所定数総和計算手段及びその他多数総和計算手段による計算の具体的内容の一部（２０社の各暦年毎の特許・実用新案の各出願件数及び上位１１社から２０社までの各暦年毎の特許・実用新案の各合計出願件数並びに上位２０社の特許・実用新案の各暦年毎の各合計出願件数及び上位２０社を除くその他多数の出願人の特許・実用新案の各暦年毎の各合計出願件数）を示す図である。
第１１図は、本発明の第一実施例に係る状況解析表示システムにおける所定数総和計算手段による計算の具体的内容の一部（２１社から２９社までの各社の各暦年毎の特許・実用新案の各出願件数）を示す図である。
第１２図は、本発明の第一実施例に係る状況解析表示システムにおける所定数総和計算手段及びその他多数総和計算手段による計算の具体的内容の一部（３０社の各暦年毎の特許・実用新案の各出願件数及び上位２１社から３０社までの各暦年毎の特許・実用新案の各合計出願件数並びに上位３０社の特許・実用新案の各暦年毎の各合計出願件数及び上位３０社を除くその他多数の出願人の特許・実用新案の各暦年毎の各合計出願件数）を示す図である。
第１３図は、本発明の第一実施例に係る状況解析表示システムにおける所定数総和計算手段による計算の具体的内容の一部（３１社から３９社までの各社の各暦年毎の特許・実用新案の各出願件数）を示す図である。
第１４図は、本発明の第一実施例に係る状況解析表示システムにおける所定数総和計算手段及びその他多数総和計算手段による計算の具体的内容の一部（４０社の各暦年毎の特許・実用新案の各出願件数及び上位３１社から４０社までの各暦年毎の特許・実用新案の各合計出願件数並びに上位４０社の特許・実用新案の各暦年毎の各合計出願件数及び上位４０社を除くその他多数の出願人の特許・実用新案の各暦年毎の各合計出願件数）を示す図である。
第１５図は、本発明の第一実施例に係る状況解析表示システムにおける所定数総和計算手段による計算の具体的内容の一部（４１社から４９社までの各社の各暦年毎の特許・実用新案の各出願件数）を示す図である。
第１６図は、本発明の第一実施例に係る状況解析表示システムにおける所定数総和計算手段及びその他多数総和計算手段による計算の具体的内容の一部（５０社の各暦年毎の特許・実用新案の各出願件数及び上位４１社から５０社までの各暦年毎の特許・実用新案の各合計出願件数並びに上位５０社の特許・実用新案の各暦年毎の各合計出願件数及び上位５０社を除くその他多数の出願人の特許・実用新案の各暦年毎の各合計出願件数）を示す図である。
第１７図は、本発明の第一実施例に係る状況解析表示システムにおける所定数総和計算手段による計算の具体的内容の一部（５１社から５９社までの各社の各暦年毎の特許・実用新案の各出願件数）を示す図である。
第１８図は、本発明の第一実施例に係る状況解析表示システムにおける所定数総和計算手段及びその他多数総和計算手段による計算の具体的内容の一部（６０社の各暦年毎の特許・実用新案の各出願件数及び上位５１社から６０社までの各暦年毎の特許・実用新案の各合計出願件数並びに上位６０社の特許・実用新案の各暦年毎の各合計出願件数及び上位６０社を除くその他多数の出願人の特許・実用新案の各暦年毎の各合計出願件数）を示す図である。
第１９図は、本発明の第一実施例に係る状況解析表示システムにおける所定数総和計算手段による計算の具体的内容の一部（６１社から６９社までの各社の各暦年毎の特許・実用新案の各出願件数）を示す図である。
第２０図は、本発明の第一実施例に係る状況解析表示システムにおける所定数総和計算手段及びその他多数総和計算手段による計算の具体的内容の一部（７０社の各暦年毎の特許・実用新案の各出願件数及び上位６１社から７０社までの各暦年毎の特許・実用新案の各合計出願件数並びに上位７０社の特許・実用新案の各暦年毎の各合計出願件数及び上位７０社を除くその他多数の出願人の特許・実用新案の各暦年毎の各合計出願件数）を示す図である。
第２１図は、本発明の第一実施例に係る状況解析表示システムにおける所定数総和計算手段による計算の具体的内容の一部（７１社から７９社までの各社の各暦年毎の特許・実用新案の各出願件数）を示す図である。
第２２図は、本発明の第一実施例に係る状況解析表示システムにおける所定数総和計算手段及びその他多数総和計算手段による計算の具体的内容の一部（８０社の各暦年毎の特許・実用新案の各出願件数及び上位７１社から８０社までの各暦年毎の特許・実用新案の各合計出願件数並びに上位８０社の特許・実用新案の各暦年毎の各合計出願件数及び上位８０社を除くその他多数の出願人の特許・実用新案の各暦年毎の各合計出願件数）を示す図である。
第２３図は、本発明の第一実施例に係る状況解析表示システムにおける所定数総和計算手段による計算の具体的内容の一部（８１社から８９社までの各社の各暦年毎の特許・実用新案の各出願件数）を示す図である。
第２４図は、本発明の第一実施例に係る状況解析表示システムにおける所定数総和計算手段及びその他多数総和計算手段による計算の具体的内容の一部（９０社の各暦年毎の特許・実用新案の各出願件数及び上位８１社から９０社までの各暦年毎の特許・実用新案の各合計出願件数並びに上位９０社の特許・実用新案の各暦年毎の各合計出願件数及び上位９０社を除くその他多数の出願人の特許・実用新案の各暦年毎の各合計出願件数）を示す図である。
第２５図は、本発明の第一実施例に係る状況解析表示システムにおける所定数総和計算手段による計算の具体的内容の一部（９１社から９９社までの各社の各暦年毎の特許・実用新案の各出願件数）を示す図である。
第２６図は、本発明の第一実施例に係る状況解析表示システムにおける所定数総和計算手段及びその他多数総和計算手段による計算の具体的内容の一部（１００社の各暦年毎の特許・実用新案の各出願件数及び上位９１社から１００社までの各暦年毎の特許・実用新案の各合計出願件数並びに上位１００社の特許・実用新案の各暦年毎の各合計出願件数及び上位１００社を除くその他多数の出願人の特許・実用新案の各暦年毎の各合計出願件数）を示す図である。
第２７図は、本発明の第一実施例に係る状況解析表示システムにおける所定数総和計算手段による計算の具体的内容の一部（１０１社から１０９社までの各社の各暦年毎の特許・実用新案の各出願件数）を示す図である。
第２８図は、本発明の第一実施例に係る状況解析表示システムにおける所定数総和計算手段及びその他多数総和計算手段による計算の具体的内容の一部（１１０社の各暦年毎の特許・実用新案の各出願件数及び上位１０１社から１１０社までの各暦年毎の特許・実用新案の各合計出願件数並びに上位１１０社の特許・実用新案の各暦年毎の各合計出願件数及び上位１１０社を除くその他多数の出願人の特許・実用新案の各暦年毎の各合計出願件数）を示す図である。
第２９図は、本発明の第一実施例に係る状況解析表示システムにおける所定数総和計算手段による計算の具体的内容の一部（１１１社から１１９社までの各社の各暦年毎の特許・実用新案の各出願件数）を示す図である。
第３０図は、本発明の第一実施例に係る状況解析表示システムにおける所定数総和計算手段及びその他多数総和計算手段による計算の具体的内容の一部（１２０社の各暦年毎の特許・実用新案の各出願件数及び上位１１１社から１２０社までの各暦年毎の特許・実用新案の各合計出願件数並びに上位１２０社の特許・実用新案の各暦年毎の各合計出願件数及び上位１２０社を除くその他多数の出願人の特許・実用新案の各暦年毎の各合計出願件数）を示す図である。
第３１図は、本発明の第一実施例に係る状況解析表示システムにおける所定数総和計算手段による計算の具体的内容の一部（１２１社から１２９社までの各社の各暦年毎の特許・実用新案の各出願件数）を示す図である。
第３２図は、本発明の第一実施例に係る状況解析表示システムにおける所定数総和計算手段及びその他多数総和計算手段による計算の具体的内容の一部（１３０社の各暦年毎の特許・実用新案の各出願件数及び上位１２１社から１３０社までの各暦年毎の特許・実用新案の各合計出願件数並びに上位１３０社の特許・実用新案の各暦年毎の各合計出願件数及び上位１３０社を除くその他多数の出願人の特許・実用新案の各暦年毎の各合計出願件数）を示す図である。
第３３図は、本発明の第一実施例に係る状況解析表示システムにおける所定数総和計算手段による計算の具体的内容の一部（１３１社から１３９社までの各社の各暦年毎の特許・実用新案の各出願件数）を示す図である。
第３４図は、本発明の第一実施例に係る状況解析表示システムにおける所定数総和計算手段及びその他多数総和計算手段による計算の具体的内容の一部（１４０社の各暦年毎の特許・実用新案の各出願件数及び上位１３１社から１４０社までの各暦年毎の特許・実用新案の各合計出願件数並びに上位１４０社の特許・実用新案の各暦年毎の各合計出願件数及び上位１４０社を除くその他多数の出願人の特許・実用新案の各暦年毎の各合計出願件数）を示す図である。
第３５図は、本発明の第一実施例に係る状況解析表示システムにおける所定数総和計算手段による計算の具体的内容の一部（１４１社から１４９社までの各社の各暦年毎の特許・実用新案の各出願件数）を示す図である。
第３６図は、本発明の第一実施例に係る状況解析表示システムにおける所定数総和計算手段及びその他多数総和計算手段による計算の具体的内容の一部（１５０社の各暦年毎の特許・実用新案の各出願件数及び上位１４１社から１５０社までの各暦年毎の特許・実用新案の各合計出願件数並びに上位１５０社の特許・実用新案の各暦年毎の各合計出願件数及び上位１５０社を除くその他多数の出願人の特許・実用新案の各暦年毎の各合計出願件数）を示す図である。
第３７図は、本発明の第一実施例に係る状況解析表示システムにおける所定数総和計算手段による計算の具体的内容の一部（１５１社から１５９社までの各社の各暦年毎の特許・実用新案の各出願件数）を示す図である。
第３８図は、本発明の第一実施例に係る状況解析表示システムにおける所定数総和計算手段及びその他多数総和計算手段による計算の具体的内容の一部（１６０社の各暦年毎の特許・実用新案の各出願件数及び上位１５１社から１６０社までの各暦年毎の特許・実用新案の各合計出願件数並びに上位１６０社の特許・実用新案の各暦年毎の各合計出願件数及び上位１６０社を除くその他多数の出願人の特許・実用新案の各暦年毎の各合計出願件数）を示す図である。
第３９図は、本発明の第一実施例に係る状況解析表示システムにおける所定数総和計算手段による計算の具体的内容の一部（１６１社から１６９社までの各社の各暦年毎の特許・実用新案の各出願件数）を示す図である。
第４０図は、本発明の第一実施例に係る状況解析表示システムにおける所定数総和計算手段及びその他多数総和計算手段による計算の具体的内容の一部（１７０社の各暦年毎の特許・実用新案の各出願件数及び上位１６１社から１７０社までの各暦年毎の特許・実用新案の各合計出願件数並びに上位１７０社の特許・実用新案の各暦年毎の各合計出願件数及び上位１７０社を除くその他多数の出願人の特許・実用新案の各暦年毎の各合計出願件数）を示す図である。
第４１図は、本発明の第一実施例に係る状況解析表示システムにおける所定数総和計算手段による計算の具体的内容の一部（１７１社から１７９社までの各社の各暦年毎の特許・実用新案の各出願件数）を示す図である。
第４２図は、本発明の第一実施例に係る状況解析表示システムにおける所定数総和計算手段及びその他多数総和計算手段による計算の具体的内容の一部（１８０社の各暦年毎の特許・実用新案の各出願件数及び上位１７１社から１８０社までの各暦年毎の特許・実用新案の各合計出願件数並びに上位１８０社の特許・実用新案の各暦年毎の各合計出願件数及び上位１８０社を除くその他多数の出願人の特許・実用新案の各暦年毎の各合計出願件数）を示す図である。
第４３図は、本発明の第一実施例に係る状況解析表示システムにおける所定数総和計算手段による計算の具体的内容の一部（１８１社から１８９社までの各社の各暦年毎の特許・実用新案の各出願件数）を示す図である。
第４４図は、本発明の第一実施例に係る状況解析表示システムにおける所定数総和計算手段及びその他多数総和計算手段による計算の具体的内容の一部（１９０社の各暦年毎の特許・実用新案の各出願件数及び上位１８１社から１９０社までの各暦年毎の特許・実用新案の各合計出願件数並びに上位１９０社の特許・実用新案の各暦年毎の各合計出願件数及び上位１９０社を除くその他多数の出願人の特許・実用新案の各暦年毎の各合計出願件数）を示す図である。
第４５図は、本発明の第一実施例に係る状況解析表示システムにおける所定数総和計算手段による計算の具体的内容の一部（１９１社から１９９社までの各社の各暦年毎の特許・実用新案の各出願件数）を示す図である。
第４６図は、本発明の第一実施例に係る状況解析表示システムにおける所定数総和計算手段及びその他多数総和計算手段による計算の具体的内容の一部（２００社の各暦年毎の特許・実用新案の各出願件数及び上位１９１社から２００社までの各暦年毎の特許・実用新案の各合計出願件数並びに上位２００社の特許・実用新案の各暦年毎の各合計出願件数及び上位２００社を除くその他多数の出願人の特許・実用新案の各暦年毎の各合計出願件数）を示す図である。
第４７図は、本発明の第一実施例に係る状況解析表示システムにおける所定数総和計算手段による計算の具体的内容の一部（２０１社から２０９社までの各社の各暦年毎の特許・実用新案の各出願件数）を示す図である。
第４８図は、本発明の第一実施例に係る状況解析表示システムにおける所定数総和計算手段及びその他多数総和計算手段による計算の具体的内容の一部（２１０社の各暦年毎の特許・実用新案の各出願件数及び上位２０１社から２１０社までの各暦年毎の特許・実用新案の各合計出願件数並びに上位２１０社の特許・実用新案の各暦年毎の各合計出願件数及び上位２１０社を除くその他多数の出願人の特許・実用新案の各暦年毎の各合計出願件数）を示す図である。
第４９図は、本発明の第一実施例に係る状況解析表示システムにおける所定数総和計算手段による計算の具体的内容の一部（２１１社から２１９社までの各社の各暦年毎の特許・実用新案の各出願件数）を示す図である。
第５０図は、本発明の第一実施例に係る状況解析表示システムにおける所定数総和計算手段及びその他多数総和計算手段による計算の具体的内容の一部（２２０社の各暦年毎の特許・実用新案の各出願件数及び上位２１１社から２２０社までの各暦年毎の特許・実用新案の各合計出願件数並びに上位２２０社の特許・実用新案の各暦年毎の各合計出願件数及び上位２２０社を除くその他多数の出願人の特許・実用新案の各暦年毎の各合計出願件数）を示す図である。
第５１図は、本発明の第一実施例に係る状況解析表示システムにおける所定数総和計算手段による計算の具体的内容の一部（２２１社から２２９社までの各社の各暦年毎の特許・実用新案の各出願件数）を示す図である。
第５２図は、本発明の第一実施例に係る状況解析表示システムにおける所定数総和計算手段及びその他多数総和計算手段による計算の具体的内容の一部（２３０社の各暦年毎の特許・実用新案の各出願件数及び上位２２１社から２３０社までの各暦年毎の特許・実用新案の各合計出願件数並びに上位２３０社の特許・実用新案の各暦年毎の各合計出願件数及び上位２３０社を除くその他多数の出願人の特許・実用新案の各暦年毎の各合計出願件数）を示す図である。
第５３図は、本発明の第一実施例に係る状況解析表示システムにおける所定数総和計算手段による計算の具体的内容の一部（２３１社から２３９社までの各社の各暦年毎の特許・実用新案の各出願件数）を示す図である。
第５４図は、本発明の第一実施例に係る状況解析表示システムにおける所定数総和計算手段及びその他多数総和計算手段による計算の具体的内容の一部（２４０社の各暦年毎の特許・実用新案の各出願件数及び上位２３１社から２４０社までの各暦年毎の特許・実用新案の各合計出願件数並びに上位２４０社の特許・実用新案の各暦年毎の各合計出願件数及び上位２４０社を除くその他多数の出願人の特許・実用新案の各暦年毎の各合計出願件数）を示す図である。
第５５図は、本発明の第一実施例に係る状況解析表示システムにおける所定数総和計算手段による計算の具体的内容の一部（２４１社から２４９社までの各社の各暦年毎の特許・実用新案の各出願件数）を示す図である。
第５６図は、本発明の第一実施例に係る状況解析表示システムにおける所定数総和計算手段及びその他多数総和計算手段による計算の具体的内容の一部（２５０社の各暦年毎の特許・実用新案の各出願件数及び上位２４１社から２５０社までの各暦年毎の特許・実用新案の各合計出願件数並びに上位２５０社の特許・実用新案の各暦年毎の各合計出願件数及び上位２５０社を除くその他多数の出願人の特許・実用新案の各暦年毎の各合計出願件数）を示す図である。
第５７図は、本発明の第一実施例に係る状況解析表示システムにおける所定数総和計算手段による計算の具体的内容の一部（２５１社から２５９社までの各社の各暦年毎の特許・実用新案の各出願件数）を示す図である。
第５８図は、本発明の第一実施例に係る状況解析表示システムにおける所定数総和計算手段及びその他多数総和計算手段による計算の具体的内容の一部（２６０社の各暦年毎の特許・実用新案の各出願件数及び上位２５１社から２６０社までの各暦年毎の特許・実用新案の各合計出願件数並びに上位２６０社の特許・実用新案の各暦年毎の各合計出願件数及び上位２６０社を除くその他多数の出願人の特許・実用新案の各暦年毎の各合計出願件数）を示す図である。
第５９図は、本発明の第一実施例に係る状況解析表示システムにおける所定数総和計算手段による計算の具体的内容の一部（２６１社から２６９社までの各社の各暦年毎の特許・実用新案の各出願件数）を示す図である。
第６０図は、本発明の第一実施例に係る状況解析表示システムにおける所定数総和計算手段及びその他多数総和計算手段による計算の具体的内容の一部（２７０社の各暦年毎の特許・実用新案の各出願件数及び上位２６１社から２７０社までの各暦年毎の特許・実用新案の各合計出願件数並びに上位２７０社の特許・実用新案の各暦年毎の各合計出願件数及び上位２７０社を除くその他多数の出願人の特許・実用新案の各暦年毎の各合計出願件数）を示す図である。
第６１図は、本発明の第一実施例に係る状況解析表示システムにおける所定数総和計算手段による計算の具体的内容の一部（２７１社から２７９社までの各社の各暦年毎の特許・実用新案の各出願件数）を示す図である。
第６２図は、本発明の第一実施例に係る状況解析表示システムにおける所定数総和計算手段及びその他多数総和計算手段による計算の具体的内容の一部（２８０社の各暦年毎の特許・実用新案の各出願件数及び上位２７１社から２８０社までの各暦年毎の特許・実用新案の各合計出願件数並びに上位２８０社の特許・実用新案の各暦年毎の各合計出願件数及び上位２８０社を除くその他多数の出願人の特許・実用新案の各暦年毎の各合計出願件数）を示す図である。
第６３図は、本発明の第一実施例に係る状況解析表示システムにおける所定数総和計算手段による計算の具体的内容の一部（２８１社から２８９社までの各社の各暦年毎の特許・実用新案の各出願件数）を示す図である。
第６４図は、本発明の第一実施例に係る状況解析表示システムにおける所定数総和計算手段及びその他多数総和計算手段による計算の具体的内容の一部（２９０社の各暦年毎の特許・実用新案の各出願件数及び上位２８１社から２９０社までの各暦年毎の特許・実用新案の各合計出願件数並びに上位２９０社の特許・実用新案の各暦年毎の各合計出願件数及び上位２９０社を除くその他多数の出願人の特許・実用新案の各暦年毎の各合計出願件数）を示す図である。
第６５図は、本発明の第一実施例に係る状況解析表示システムにおける所定数総和計算手段による計算の具体的内容の一部（２９１社から２９９社までの各社の各暦年毎の特許・実用新案の各出願件数）を示す図である。
第６６図は、本発明の第一実施例に係る状況解析表示システムにおける所定数総和計算手段及びその他多数総和計算手段による計算の具体的内容の一部（３００社の各暦年毎の特許・実用新案の各出願件数及び上位２９１社から３００社までの各暦年毎の特許・実用新案の各合計出願件数並びに上位３００社の特許・実用新案の各暦年毎の各合計出願件数及び上位３００社を除くその他多数の出願人の特許・実用新案の各暦年毎の各合計出願件数）を示す図である。
第６７図は、本発明の第一実施例に係る状況解析表示システムにおける第一及び第二表示手段により表示された図で、第８図における上位１０社の特許・実用新案の各暦年毎の各合計出願件数及び上位１０社を除くその他多数の出願人の特許・実用新案の各暦年毎の各合計出願件数を示す図である。
第６８図は、本発明の第一実施例に係る状況解析表示システムにおける第一及び第二表示手段により表示された図で、第１０図における上位２０社の特許・実用新案の各暦年毎の各合計出願件数及び上位２０社を除くその他多数の出願人の特許・実用新案の各暦年毎の各合計出願件数を示す図である。
第６９図は、本発明の第一実施例に係る状況解析表示システムにおける第一及び第二表示手段により表示された図で、第１２図における上位３０社の特許・実用新案の各暦年毎の各合計出願件数及び上位３０社を除くその他多数の出願人の特許・実用新案の各暦年毎の各合計出願件数を示す図である。
第７０図は、本発明の第一実施例に係る状況解析表示システムにおける第一及び第二表示手段により表示された図で、第１４図における上位４０社の特許・実用新案の各暦年毎の各合計出願件数及び上位４０社を除くその他多数の出願人の特許・実用新案の各暦年毎の各合計出願件数を示す図である。
第７１図は、本発明の第一実施例に係る状況解析表示システムにおける第一及び第二表示手段により表示された図で、第１６図における上位５０社の特許・実用新案の各暦年毎の各合計出願件数及び上位５０社を除くその他多数の出願人の特許・実用新案の各暦年毎の各合計出願件数を示す図である。
第７２図は、本発明の第一実施例に係る状況解析表示システムにおける第一及び第二表示手段により表示された図で、第１８図における上位６０社の特許・実用新案の各暦年毎の各合計出願件数及び上位６０社を除くその他多数の出願人の特許・実用新案の各暦年毎の各合計出願件数を示す図である。
第７３図は、本発明の第一実施例に係る状況解析表示システムにおける第一及び第二表示手段により表示された図で、第２０図における上位７０社の特許・実用新案の各暦年毎の各合計出願件数及び上位７０社を除くその他多数の出願人の特許・実用新案の各暦年毎の各合計出願件数を示す図である。
第７４図は、本発明の第一実施例に係る状況解析表示システムにおける第一及び第二表示手段により表示された図で、第２２図における上位８０社の特許・実用新案の各暦年毎の各合計出願件数及び上位８０社を除くその他多数の出願人の特許・実用新案の各暦年毎の各合計出願件数を示す図である。
第７５図は、本発明の第一実施例に係る状況解析表示システムにおける第一及び第二表示手段により表示された図で、第２４図における上位９０社の特許・実用新案の各暦年毎の各合計出願件数及び上位９０社を除くその他多数の出願人の特許・実用新案の各暦年毎の各合計出願件数を示す図である。
第７６図は、本発明の第一実施例に係る状況解析表示システムにおける第一及び第二表示手段により表示された図で、第２６図における上位１００社の特許・実用新案の各暦年毎の各合計出願件数及び上位１００社を除くその他多数の出願人の特許・実用新案の各暦年毎の各合計出願件数を示す図である。
第７７図は、本発明の第一実施例に係る状況解析表示システムにおける第一及び第二表示手段により表示された図で、第２８図における上位１１０社の特許・実用新案の各暦年毎の各合計出願件数及び上位１１０社を除くその他多数の出願人の特許・実用新案の各暦年毎の各合計出願件数を示す図である。
第７８図は、本発明の第一実施例に係る状況解析表示システムにおける第一及び第二表示手段により表示された図で、第３０図における上位１２０社の特許・実用新案の各暦年毎の各合計出願件数及び上位１２０社を除くその他多数の出願人の特許・実用新案の各暦年毎の各合計出願件数を示す図である。
第７９図は、本発明の第一実施例に係る状況解析表示システムにおける第一及び第二表示手段により表示された図で、第３２図における上位１３０社の特許・実用新案の各暦年毎の各合計出願件数及び上位１３０社を除くその他多数の出願人の特許・実用新案の各暦年毎の各合計出願件数を示す図である。
第８０図は、本発明の第一実施例に係る状況解析表示システムにおける第一及び第二表示手段により表示された図で、第３４図における上位１４０社の特許・実用新案の各暦年毎の各合計出願件数及び上位１４０社を除くその他多数の出願人の特許・実用新案の各暦年毎の各合計出願件数を示す図である。
第８１図は、本発明の第一実施例に係る状況解析表示システムにおける第一及び第二表示手段により表示された図で、第３６図における上位１５０社の特許・実用新案の各暦年毎の各合計出願件数及び上位１５０社を除くその他多数の出願人の特許・実用新案の各暦年毎の各合計出願件数を示す図である。
第８２図は、本発明の第一実施例に係る状況解析表示システムにおける第一及び第二表示手段により表示された図で、第３８図における上位１６０社の特許・実用新案の各暦年毎の各合計出願件数及び上位１６０社を除くその他多数の出願人の特許・実用新案の各暦年毎の各合計出願件数を示す図である。
第８３図は、本発明の第一実施例に係る状況解析表示システムにおける第一及び第二表示手段により表示された図で、第４０図における上位１７０社の特許・実用新案の各暦年毎の各合計出願件数及び上位１７０社を除くその他多数の出願人の特許・実用新案の各暦年毎の各合計出願件数を示す図である。
第８４図は、本発明の第一実施例に係る状況解析表示システムにおける第一及び第二表示手段により表示された図で、第４２図における上位１８０社の特許・実用新案の各暦年毎の各合計出願件数及び上位１８０社を除くその他多数の出願人の特許・実用新案の各暦年毎の各合計出願件数を示す図である。
第８５図は、本発明の第一実施例に係る状況解析表示システムにおける第一及び第二表示手段により表示された図で、第４４図における上位１９０社の特許・実用新案の各暦年毎の各合計出願件数及び上位１９０社を除くその他多数の出願人の特許・実用新案の各暦年毎の各合計出願件数を示す図である。
第８６図は、本発明の第一実施例に係る状況解析表示システムにおける第一及び第二表示手段により表示された図で、第４６図における上位２００社の特許・実用新案の各暦年毎の各合計出願件数及び上位２００社を除くその他多数の出願人の特許・実用新案の各暦年毎の各合計出願件数を示す図である。
第８７図は、本発明の第一実施例に係る状況解析表示システムにおける第一及び第二表示手段により表示された図で、第４８図における上位２１０社の特許・実用新案の各暦年毎の各合計出願件数及び上位２１０社を除くその他多数の出願人の特許・実用新案の各暦年毎の各合計出願件数を示す図である。
第８８図は、本発明の第一実施例に係る状況解析表示システムにおける第一及び第二表示手段により表示された図で、第５０図における上位２２０社の特許・実用新案の各暦年毎の各合計出願件数及び上位２２０社を除くその他多数の出願人の特許・実用新案の各暦年毎の各合計出願件数を示す図である。
第８９図は、本発明の第一実施例に係る状況解析表示システムにおける第一及び第二表示手段により表示された図で、第５２図における上位２３０社の特許・実用新案の各暦年毎の各合計出願件数及び上位２３０社を除くその他多数の出願人の特許・実用新案の各暦年毎の各合計出願件数を示す図である。
第９０図は、本発明の第一実施例に係る状況解析表示システムにおける第一及び第二表示手段により表示された図で、第５４図における上位２４０社の特許・実用新案の各暦年毎の各合計出願件数及び上位２４０社を除くその他多数の出願人の特許・実用新案の各暦年毎の各合計出願件数を示す図である。
第９１図は、本発明の第一実施例に係る状況解析表示システムにおける第一及び第二表示手段により表示された図で、第５６図における上位２５０社の特許・実用新案の各暦年毎の各合計出願件数及び上位２５０社を除くその他多数の出願人の特許・実用新案の各暦年毎の各合計出願件数を示す図である。
第９２図は、本発明の第一実施例に係る状況解析表示システムにおける第一及び第二表示手段により表示された図で、第５８図における上位２６０社の特許・実用新案の各暦年毎の各合計出願件数及び上位２６０社を除くその他多数の出願人の特許・実用新案の各暦年毎の各合計出願件数を示す図である。
第９３図は、本発明の第一実施例に係る状況解析表示システムにおける第一及び第二表示手段により表示された図で、第６０図における上位２７０社の特許・実用新案の各暦年毎の各合計出願件数及び上位２７０社を除くその他多数の出願人の特許・実用新案の各暦年毎の各合計出願件数を示す図である。
第９４図は、本発明の第一実施例に係る状況解析表示システムにおける第一及び第二表示手段により表示された図で、第６２図における上位２８０社の特許・実用新案の各暦年毎の各合計出願件数及び上位２８０社を除くその他多数の出願人の特許・実用新案の各暦年毎の各合計出願件数を示す図である。
第９５図は、本発明の第一実施例に係る状況解析表示システムにおける第一及び第二表示手段により表示された図で、第６４図における上位２９０社の特許・実用新案の各暦年毎の各合計出願件数及び上位２９０社を除くその他多数の出願人の特許・実用新案の各暦年毎の各合計出願件数を示す図である。
第９６図は、本発明の第一実施例に係る状況解析表示システムにおける第一及び第二表示手段により表示された図で、第６６図における上位３００社の特許・実用新案の各暦年毎の各合計出願件数及び上位３００社を除くその他多数の出願人の特許・実用新案の各暦年毎の各合計出願件数を示す図である。
第９７図は、本発明の第二実施例に係る状況解析表示システムにおける第一及び第二表示手段により表示された図で、上位１０社の出願人の各暦年毎の特許・実用新案の出願件数の合計件数と上位１０社を除く他の出願人の各暦年毎の特許・実用新案の出願件数の合計件数を図示したものである。
第９８図は、本発明の第二実施例に係る状況解析表示システムにおける第一及び第二表示手段により表示された図で、上位２０社の出願人の各暦年毎の特許・実用新案の出願件数の合計件数と上位２０社を除く他の出願人の各暦年毎の特許・実用新案の出願件数の合計件数を図示したものである。
第９９図は、本発明の第二実施例に係る状況解析表示システムにおける第一及び第二表示手段により表示された図で、上位３０社の出願人の各暦年毎の特許・実用新案の出願件数の合計件数と上位３０社を除く他の出願人の各暦年毎の特許・実用新案の出願件数の合計件数を図示したものである。
第１００図は、本発明の第二実施例に係る状況解析表示システムにおける第一及び第二表示手段により表示された図で、上位４０社の出願人の各暦年毎の特許・実用新案の出願件数の合計件数と上位４０社を除く他の出願人の各暦年毎の特許・実用新案の出願件数の合計件数を図示したものである。
第１０１図は、本発明の第二実施例に係る状況解析表示システムにおける第一及び第二表示手段により表示された図で、上位５０社の出願人の各暦年毎の特許・実用新案の出願件数の合計件数と上位５０社を除く他の出願人の各暦年毎の特許・実用新案の出願件数の合計件数を図示したものである。
第１０２図は、本発明の第二実施例に係る状況解析表示システムにおける第一及び第二表示手段により表示された図で、上位６０社の出願人の各暦年毎の特許・実用新案の出願件数の合計件数と上位６０社を除く他の出願人の各暦年毎の特許・実用新案の出願件数の合計件数を図示したものである。
第１０３図は、本発明の第二実施例に係る状況解析表示システムにおける第一及び第二表示手段により表示された図で、上位７０社の出願人の各暦年毎の特許・実用新案の出願件数の合計件数と上位７０社を除く他の出願人の各暦年毎の特許・実用新案の出願件数の合計件数を図示したものである。
第１０４図は、本発明の第二実施例に係る状況解析表示システムにおける第一及び第二表示手段により表示された図で、上位８０社の出願人の各暦年毎の特許・実用新案の出願件数の合計件数と上位８０社を除く他の出願人の各暦年毎の特許・実用新案の出願件数の合計件数を図示したものである。
第１０５図は、本発明の第二実施例に係る状況解析表示システムにおける第一及び第二表示手段により表示された図で、上位９０社の出願人の各暦年毎の特許・実用新案の出願件数の合計件数と上位９０社を除く他の出願人の各暦年毎の特許・実用新案の出願件数の合計件数を図示したものである。
第１０６図は、本発明の第二実施例に係る状況解析表示システムにおける第一及び第二表示手段により表示された図で、上位１００社の出願人の各暦年毎の特許・実用新案の出願件数の合計件数と上位１００社を除く他の出願人の各暦年毎の特許・実用新案の出願件数の合計件数を図示したものである。
第１０７図は、本発明の第二実施例に係る状況解析表示システムにおける第一及び第二表示手段により表示された図で、上位１１０社の出願人の各暦年毎の特許・実用新案の出願件数の合計件数と上位１１０社を除く他の出願人の各暦年毎の特許・実用新案の出願件数の合計件数を図示したものである。
第１０８図は、本発明の第二実施例に係る状況解析表示システムにおける第一及び第二表示手段により表示された図で、上位１２０社の出願人の各暦年毎の特許・実用新案の出願件数の合計件数と上位１２０社を除く他の出願人の各暦年毎の特許・実用新案の出願件数の合計件数を図示したものである。
第１０９図は、本発明の第二実施例に係る状況解析表示システムにおける第一及び第二表示手段により表示された図で、上位１３０社の出願人の各暦年毎の特許・実用新案の出願件数の合計件数と上位１３０社を除く他の出願人の各暦年毎の特許・実用新案の出願件数の合計件数を図示したものである。
第１１０図は、本発明の第二実施例に係る状況解析表示システムにおける第一及び第二表示手段により表示された図で、上位１４０社の出願人の各暦年毎の特許・実用新案の出願件数の合計件数と上位１４０社を除く他の出願人の各暦年毎の特許・実用新案の出願件数の合計件数を図示したものである。
第１１１図は、本発明の第二実施例に係る状況解析表示システムにおける第一及び第二表示手段により表示された図で、上位１５０社の出願人の各暦年毎の特許・実用新案の出願件数の合計件数と上位１５０社を除く他の出願人の各暦年毎の特許・実用新案の出願件数の合計件数を図示したものである。
第１１２図は、本発明の第二実施例に係る状況解析表示システムにおける第一及び第二表示手段により表示された図で、上位１６０社の出願人の各暦年毎の特許・実用新案の出願件数の合計件数と上位１６０社を除く他の出願人の各暦年毎の特許・実用新案の出願件数の合計件数を図示したものである。
第１１３図は、本発明の第二実施例に係る状況解析表示システムにおける第一及び第二表示手段により表示された図で、上位１７０社の出願人の各暦年毎の特許・実用新案の出願件数の合計件数と上位１７０社を除く他の出願人の各暦年毎の特許・実用新案の出願件数の合計件数を図示したものである。
第１１４図は、本発明の第二実施例に係る状況解析表示システムにおける第一及び第二表示手段により表示された図で、上位１８０社の出願人の各暦年毎の特許・実用新案の出願件数の合計件数と上位１８０社を除く他の出願人の各暦年毎の特許・実用新案の出願件数の合計件数を図示したものである。
第１１５図は、本発明の第二実施例に係る状況解析表示システムにおける第一及び第二表示手段により表示された図で、上位１９０社の出願人の各暦年毎の特許・実用新案の出願件数の合計件数と上位１９０社を除く他の出願人の各暦年毎の特許・実用新案の出願件数の合計件数を図示したものである。
第１１６図は、本発明の第二実施例に係る状況解析表示システムにおける第一及び第二表示手段により表示された図で、上位２００社の出願人の各暦年毎の特許・実用新案の出願件数の合計件数と上位２００社を除く他の出願人の各暦年毎の特許・実用新案の出願件数の合計件数を図示したものである。
第１１７図は、本発明の第二実施例に係る状況解析表示システムにおける第一及び第二表示手段により表示された図で、上位２１０社の出願人の各暦年毎の特許・実用新案の出願件数の合計件数と上位２１０社を除く他の出願人の各暦年毎の特許・実用新案の出願件数の合計件数を図示したものである。
第１１８図は、本発明の第二実施例に係る状況解析表示システムにおける第一及び第二表示手段により表示された図で、上位２２０社の出願人の各暦年毎の特許・実用新案の出願件数の合計件数と上位２２０社を除く他の出願人の各暦年毎の特許・実用新案の出願件数の合計件数を図示したものである。
第１１９図は、本発明の第二実施例に係る状況解析表示システムにおける第一及び第二表示手段により表示された図で、上位２３０社の出願人の各暦年毎の特許・実用新案の出願件数の合計件数と上位２３０社を除く他の出願人の各暦年毎の特許・実用新案の出願件数の合計件数を図示したものである。
第１２０図は、本発明の第二実施例に係る状況解析表示システムにおける第一及び第二表示手段により表示された図で、上位２４０社の出願人の各暦年毎の特許・実用新案の出願件数の合計件数と上位２４０社を除く他の出願人の各暦年毎の特許・実用新案の出願件数の合計件数を図示したものである。
第１２１図は、本発明の第二実施例に係る状況解析表示システムにおける第一及び第二表示手段により表示された図で、上位２５０社の出願人の各暦年毎の特許・実用新案の出願件数の合計件数と上位２５０社を除く他の出願人の各暦年毎の特許・実用新案の出願件数の合計件数を図示したものである。
第１２２図は、本発明の第二実施例に係る状況解析表示システムにおける第一及び第二表示手段により表示された図で、上位２６０社の出願人の各暦年毎の特許・実用新案の出願件数の合計件数と上位２６０社を除く他の出願人の各暦年毎の特許・実用新案の出願件数の合計件数を図示したものである。
第１２３図は、本発明の第二実施例に係る状況解析表示システムにおける第一及び第二表示手段により表示された図で、上位２７０社の出願人の各暦年毎の特許・実用新案の出願件数の合計件数と上位２７０社を除く他の出願人の各暦年毎の特許・実用新案の出願件数の合計件数を図示したものである。
第１２４図は、本発明の第二実施例に係る状況解析表示システムにおける第一及び第二表示手段により表示された図で、上位２８０社の出願人の各暦年毎の特許・実用新案の出願件数の合計件数と上位２８０社を除く他の出願人の各暦年毎の特許・実用新案の出願件数の合計件数を図示したものである。
第１２５図は、本発明の第二実施例に係る状況解析表示システムにおける第一及び第二表示手段により表示された図で、上位２９０社の出願人の各暦年毎の特許・実用新案の出願件数の合計件数と上位２９０社を除く他の出願人の各暦年毎の特許・実用新案の出願件数の合計件数を図示したものである。
第１２６図は、本発明の第二実施例に係る状況解析表示システムにおける第一及び第二表示手段により表示された図で、上位３００社の出願人の各暦年毎の特許・実用新案の出願件数の合計件数と上位３００社を除く他の出願人の各暦年毎の特許・実用新案の出願件数の合計件数を図示したものである。
第１２７図は、本発明の第三実施例に係る状況解析表示システムの機能ブロック図を示す模式図である。
第１２８図は、本発明の第三実施例に係る状況解析表示システムにおけるフローチャートを示す図である。
第１２９図は、本発明の第三実施例に係る状況解析表示システムにおける関係値表示手段により表示された図で、上位１０社の出願人の各暦年毎の特許・実用新案の出願件数に占める実用新案の出願件数の比率と上位１０社を除くその他多数の出願人の各暦年毎の特許・実用新案の出願件数に占める実用新案の出願件数の比率を図示したものである。
第１３０図は、本発明の第三実施例に係る状況解析表示システムにおける関係値表示手段により表示された図で、上位２０社の出願人の各暦年毎の特許・実用新案の出願件数に占める実用新案の出願件数の比率と上位２０社を除くその他多数の出願人の各暦年毎の特許・実用新案の出願件数に占める実用新案の出願件数の比率を図示したものである。
第１３１図は、本発明の第三実施例に係る状況解析表示システムにおける関係値表示手段により表示された図で、上位３０社の出願人の各暦年毎の特許・実用新案の出願件数に占める実用新案の出願件数の比率と上位３０社を除くその他多数の出願人の各暦年毎の特許・実用新案の出願件数に占める実用新案の出願件数の比率を図示したものである。
第１３２図は、本発明の第三実施例に係る状況解析表示システムにおける関係値表示手段により表示された図で、上位４０社の出願人の各暦年毎の特許・実用新案の出願件数に占める実用新案の出願件数の比率と上位４０社を除くその他多数の出願人の各暦年毎の特許・実用新案の出願件数に占める実用新案の出願件数の比率を図示したものである。
第１３３図は、本発明の第三実施例に係る状況解析表示システムにおける関係値表示手段により表示された図で、上位５０社の出願人の各暦年毎の特許・実用新案の出願件数に占める実用新案の出願件数の比率と上位５０社を除くその他多数の出願人の各暦年毎の特許・実用新案の出願件数に占める実用新案の出願件数の比率を図示したものである。
第１３４図は、本発明の第三実施例に係る状況解析表示システムにおける関係値表示手段により表示された図で、上位６０社の出願人の各暦年毎の特許・実用新案の出願件数に占める実用新案の出願件数の比率と上位６０社を除くその他多数の出願人の各暦年毎の特許・実用新案の出願件数に占める実用新案の出願件数の比率を図示したものである。
第１３５図は、本発明の第三実施例に係る状況解析表示システムにおける関係値表示手段により表示された図で、上位７０社の出願人の各暦年毎の特許・実用新案の出願件数に占める実用新案の出願件数の比率と上位７０社を除くその他多数の出願人の各暦年毎の特許・実用新案の出願件数に占める実用新案の出願件数の比率を図示したものである。
第１３６図は、本発明の第三実施例に係る状況解析表示システムにおける関係値表示手段により表示された図で、上位８０社の出願人の各暦年毎の特許・実用新案の出願件数に占める実用新案の出願件数の比率と上位８０社を除くその他多数の出願人の各暦年毎の特許・実用新案の出願件数に占める実用新案の出願件数の比率を図示したものである。
第１３７図は、本発明の第三実施例に係る状況解析表示システムにおける関係値表示手段により表示された図で、上位９０社の出願人の各暦年毎の特許・実用新案の出願件数に占める実用新案の出願件数の比率と上位９０社を除くその他多数の出願人の各暦年毎の特許・実用新案の出願件数に占める実用新案の出願件数の比率を図示したものである。
第１３８図は、本発明の第三実施例に係る状況解析表示システムにおける関係値表示手段により表示された図で、上位１００社の出願人の各暦年毎の特許・実用新案の出願件数に占める実用新案の出願件数の比率と上位１００社を除くその他多数の出願人の各暦年毎の特許・実用新案の出願件数に占める実用新案の出願件数の比率を図示したものである。
第１３９図は、本発明の第三実施例に係る状況解析表示システムにおける関係値表示手段により表示された図で、上位１１０社の出願人の各暦年毎の特許・実用新案の出願件数に占める実用新案の出願件数の比率と上位１１０社を除くその他多数の出願人の各暦年毎の特許・実用新案の出願件数に占める実用新案の出願件数の比率を図示したものである。
第１４０図は、本発明の第三実施例に係る状況解析表示システムにおける関係値表示手段により表示された図で、上位１２０社の出願人の各暦年毎の特許・実用新案の出願件数に占める実用新案の出願件数の比率と上位１２０社を除くその他多数の出願人の各暦年毎の特許・実用新案の出願件数に占める実用新案の出願件数の比率を図示したものである。
第１４１図は、本発明の第三実施例に係る状況解析表示システムにおける関係値表示手段により表示された図で、上位１３０社の出願人の各暦年毎の特許・実用新案の出願件数に占める実用新案の出願件数の比率と上位１３０社を除くその他多数の出願人の各暦年毎の特許・実用新案の出願件数に占める実用新案の出願件数の比率を図示したものである。
第１４２図は、本発明の第三実施例に係る状況解析表示システムにおける関係値表示手段により表示された図で、上位１４０社の出願人の各暦年毎の特許・実用新案の出願件数に占める実用新案の出願件数の比率と上位１４０社を除くその他多数の出願人の各暦年毎の特許・実用新案の出願件数に占める実用新案の出願件数の比率を図示したものである。
第１４３図は、本発明の第三実施例に係る状況解析表示システムにおける関係値表示手段により表示された図で、上位１５０社の出願人の各暦年毎の特許・実用新案の出願件数に占める実用新案の出願件数の比率と上位１５０社を除くその他多数の出願人の各暦年毎の特許・実用新案の出願件数に占める実用新案の出願件数の比率を図示したものである。
第１４４図は、本発明の第三実施例に係る状況解析表示システムにおける関係値表示手段により表示された図で、上位１６０社の出願人の各暦年毎の特許・実用新案の出願件数に占める実用新案の出願件数の比率と上位１６０社を除くその他多数の出願人の各暦年毎の特許・実用新案の出願件数に占める実用新案の出願件数の比率を図示したものである。
第１４５図は、本発明の第三実施例に係る状況解析表示システムにおける関係値表示手段により表示された図で、上位１７０社の出願人の各暦年毎の特許・実用新案の出願件数に占める実用新案の出願件数の比率と上位１７０社を除くその他多数の出願人の各暦年毎の特許・実用新案の出願件数に占める実用新案の出願件数の比率を図示したものである。
第１４６図は、本発明の第三実施例に係る状況解析表示システムにおける関係値表示手段により表示された図で、上位１８０社の出願人の各暦年毎の特許・実用新案の出願件数に占める実用新案の出願件数の比率と上位１８０社を除くその他多数の出願人の各暦年毎の特許・実用新案の出願件数に占める実用新案の出願件数の比率を図示したものである。
第１４７図は、本発明の第三実施例に係る状況解析表示システムにおける関係値表示手段により表示された図で、上位１９０社の出願人の各暦年毎の特許・実用新案の出願件数に占める実用新案の出願件数の比率と上位１９０社を除くその他多数の出願人の各暦年毎の特許・実用新案の出願件数に占める実用新案の出願件数の比率を図示したものである。
第１４８図は、本発明の第三実施例に係る状況解析表示システムにおける関係値表示手段により表示された図で、上位２００社の出願人の各暦年毎の特許・実用新案の出願件数に占める実用新案の出願件数の比率と上位２００社を除くその他多数の出願人の各暦年毎の特許・実用新案の出願件数に占める実用新案の出願件数の比率を図示したものである。
第１４９図は、本発明の第三実施例に係る状況解析表示システムにおける関係値表示手段により表示された図で、上位２１０社の出願人の各暦年毎の特許・実用新案の出願件数に占める実用新案の出願件数の比率と上位２１０社を除くその他多数の出願人の各暦年毎の特許・実用新案の出願件数に占める実用新案の出願件数の比率を図示したものである。
第１５０図は、本発明の第三実施例に係る状況解析表示システムにおける関係値表示手段により表示された図で、上位２２０社の出願人の各暦年毎の特許・実用新案の出願件数に占める実用新案の出願件数の比率と上位２２０社を除くその他多数の出願人の各暦年毎の特許・実用新案の出願件数に占める実用新案の出願件数の比率を図示したものである。
第１５１図は、本発明の第三実施例に係る状況解析表示システムにおける関係値表示手段により表示された図で、上位２３０社の出願人の各暦年毎の特許・実用新案の出願件数に占める実用新案の出願件数の比率と上位２３０社を除くその他多数の出願人の各暦年毎の特許・実用新案の出願件数に占める実用新案の出願件数の比率を図示したものである。
第１５２図は、本発明の第三実施例に係る状況解析表示システムにおける関係値表示手段により表示された図で、上位２４０社の出願人の各暦年毎の特許・実用新案の出願件数に占める実用新案の出願件数の比率と上位２４０社を除くその他多数の出願人の各暦年毎の特許・実用新案の出願件数に占める実用新案の出願件数の比率を図示したものである。
第１５３図は、本発明の第三実施例に係る状況解析表示システムにおける関係値表示手段により表示された図で、上位２５０社の出願人の各暦年毎の特許・実用新案の出願件数に占める実用新案の出願件数の比率と上位２５０社を除くその他多数の出願人の各暦年毎の特許・実用新案の出願件数に占める実用新案の出願件数の比率を図示したものである。
第１５４図は、本発明の第三実施例に係る状況解析表示システムにおける関係値表示手段により表示された図で、上位２６０社の出願人の各暦年毎の特許・実用新案の出願件数に占める実用新案の出願件数の比率と上位２６０社を除くその他多数の出願人の各暦年毎の特許・実用新案の出願件数に占める実用新案の出願件数の比率を図示したものである。
第１５５図は、本発明の第三実施例に係る状況解析表示システムにおける関係値表示手段により表示された図で、上位２７０社の出願人の各暦年毎の特許・実用新案の出願件数に占める実用新案の出願件数の比率と上位２７０社を除くその他多数の出願人の各暦年毎の特許・実用新案の出願件数に占める実用新案の出願件数の比率を図示したものである。
第１５６図は、本発明の第三実施例に係る状況解析表示システムにおける関係値表示手段により表示された図で、上位２８０社の出願人の各暦年毎の特許・実用新案の出願件数に占める実用新案の出願件数の比率と上位２８０社を除くその他多数の出願人の各暦年毎の特許・実用新案の出願件数に占める実用新案の出願件数の比率を図示したものである。
第１５７図は、本発明の第三実施例に係る状況解析表示システムにおける関係値表示手段により表示された図で、上位２９０社の出願人の各暦年毎の特許・実用新案の出願件数に占める実用新案の出願件数の比率と上位２９０社を除くその他多数の出願人の各暦年毎の特許・実用新案の出願件数に占める実用新案の出願件数の比率を図示したものである。
第１５８図は、本発明の第三実施例に係る状況解析表示システムにおける関係値表示手段により表示された図で、上位３００社の出願人の各暦年毎の特許・実用新案の出願件数に占める実用新案の出願件数の比率と上位３００社を除くその他多数の出願人の各暦年毎の特許・実用新案の出願件数に占める実用新案の出願件数の比率を図示したものである。
第１５９図は、本発明の第四実施例に係る状況解析表示システムにおける関係値表示手段により表示された図で、全特許出願件数における上位１０社の出願人の特許出願件数の合計件数の占める各暦年毎の比率と全特許出願件数における上位１０社を除くその他多数の出願人の特許出願件数の合計件数の占める各暦年毎の比率を図示したものである。
第１６０図は、本発明の第四実施例に係る状況解析表示システムにおける関係値表示手段により表示された図で、全特許出願件数における上位２０社の出願人の特許出願件数の合計件数の占める各暦年毎の比率と全特許出願件数における上位２０社を除くその他多数の出願人の特許出願件数の合計件数の占める各暦年毎の比率を図示したものである。
第１６１図は、本発明の第四実施例に係る状況解析表示システムにおける関係値表示手段により表示された図で、全特許出願件数における上位３０社の出願人の特許出願件数の合計件数の占める各暦年毎の比率と全特許出願件数における上位３０社を除くその他多数の出願人の特許出願件数の合計件数の占める各暦年毎の比率を図示したものである。
第１６２図は、本発明の第四実施例に係る状況解析表示システムにおける関係値表示手段により表示された図で、全特許出願件数における上位４０社の出願人の特許出願件数の合計件数の占める各暦年毎の比率と全特許出願件数における上位４０社を除くその他多数の出願人の特許出願件数の合計件数の占める各暦年毎の比率を図示したものである。
第１６３図は、本発明の第四実施例に係る状況解析表示システムにおける関係値表示手段により表示された図で、全特許出願件数における上位５０社の出願人の特許出願件数の合計件数の占める各暦年毎の比率と全特許出願件数における上位５０社を除くその他多数の出願人の特許出願件数の合計件数の占める各暦年毎の比率を図示したものである。
第１６４図は、本発明の第四実施例に係る状況解析表示システムにおける関係値表示手段により表示された図で、全特許出願件数における上位６０社の出願人の特許出願件数の合計件数の占める各暦年毎の比率と全特許出願件数における上位６０社を除くその他多数の出願人の特許出願件数の合計件数の占める各暦年毎の比率を図示したものである。
第１６５図は、本発明の第四実施例に係る状況解析表示システムにおける関係値表示手段により表示された図で、全特許出願件数における上位７０社の出願人の特許出願件数の合計件数の占める各暦年毎の比率と全特許出願件数における上位７０社を除くその他多数の出願人の特許出願件数の合計件数の占める各暦年毎の比率を図示したものである。
第１６６図は、本発明の第四実施例に係る状況解析表示システムにおける関係値表示手段により表示された図で、全特許出願件数における上位８０社の出願人の特許出願件数の合計件数の占める各暦年毎の比率と全特許出願件数における上位８０社を除くその他多数の出願人の特許出願件数の合計件数の占める各暦年毎の比率を図示したものである。
第１６７図は、本発明の第四実施例に係る状況解析表示システムにおける関係値表示手段により表示された図で、全特許出願件数における上位９０社の出願人の特許出願件数の合計件数の占める各暦年毎の比率と全特許出願件数における上位９０社を除くその他多数の出願人の特許出願件数の合計件数の占める各暦年毎の比率を図示したものである。
第１６８図は、本発明の第四実施例に係る状況解析表示システムにおける関係値表示手段により表示された図で、全特許出願件数における上位１００社の出願人の特許出願件数の合計件数の占める各暦年毎の比率と全特許出願件数における上位１００社を除くその他多数の出願人の特許出願件数の合計件数の占める各暦年毎の比率を図示したものである。
第１６９図は、本発明の第四実施例に係る状況解析表示システムにおける関係値表示手段により表示された図で、全特許出願件数における上位１１０社の出願人の特許出願件数の合計件数の占める各暦年毎の比率と全特許出願件数における上位１１０社を除くその他多数の出願人の特許出願件数の合計件数の占める各暦年毎の比率を図示したものである。
第１７０図は、本発明の第四実施例に係る状況解析表示システムにおける関係値表示手段により表示された図で、全特許出願件数における上位１２０社の出願人の特許出願件数の合計件数の占める各暦年毎の比率と全特許出願件数における上位１２０社を除くその他多数の出願人の特許出願件数の合計件数の占める各暦年毎の比率を図示したものである。
第１７１図は、本発明の第四実施例に係る状況解析表示システムにおける関係値表示手段により表示された図で、全特許出願件数における上位１３０社の出願人の特許出願件数の合計件数の占める各暦年毎の比率と全特許出願件数における上位１３０社を除くその他多数の出願人の特許出願件数の合計件数の占める各暦年毎の比率を図示したものである。
第１７２図は、本発明の第四実施例に係る状況解析表示システムにおける関係値表示手段により表示された図で、全特許出願件数における上位１４０社の出願人の特許出願件数の合計件数の占める各暦年毎の比率と全特許出願件数における上位１４０社を除くその他多数の出願人の特許出願件数の合計件数の占める各暦年毎の比率を図示したものである。
第１７３図は、本発明の第四実施例に係る状況解析表示システムにおける関係値表示手段により表示された図で、全特許出願件数における上位１５０社の出願人の特許出願件数の合計件数の占める各暦年毎の比率と全特許出願件数における上位１５０社を除くその他多数の出願人の特許出願件数の合計件数の占める各暦年毎の比率を図示したものである。
第１７４図は、本発明の第四実施例に係る状況解析表示システムにおける関係値表示手段により表示された図で、全特許出願件数における上位１６０社の出願人の特許出願件数の合計件数の占める各暦年毎の比率と全特許出願件数における上位１６０社を除くその他多数の出願人の特許出願件数の合計件数の占める各暦年毎の比率を図示したものである。
第１７５図は、本発明の第四実施例に係る状況解析表示システムにおける関係値表示手段により表示された図で、全特許出願件数における上位１７０社の出願人の特許出願件数の合計件数の占める各暦年毎の比率と全特許出願件数における上位１７０社を除くその他多数の出願人の特許出願件数の合計件数の占める各暦年毎の比率を図示したものである。
第１７６図は、本発明の第四実施例に係る状況解析表示システムにおける関係値表示手段により表示された図で、全特許出願件数における上位１８０社の出願人の特許出願件数の合計件数の占める各暦年毎の比率と全特許出願件数における上位１８０社を除くその他多数の出願人の特許出願件数の合計件数の占める各暦年毎の比率を図示したものである。
第１７７図は、本発明の第四実施例に係る状況解析表示システムにおける関係値表示手段により表示された図で、全特許出願件数における上位１９０社の出願人の特許出願件数の合計件数の占める各暦年毎の比率と全特許出願件数における上位１９０社を除くその他多数の出願人の特許出願件数の合計件数の占める各暦年毎の比率を図示したものである。
第１７８図は、本発明の第四実施例に係る状況解析表示システムにおける関係値表示手段により表示された図で、全特許出願件数における上位２００社の出願人の特許出願件数の合計件数の占める各暦年毎の比率と全特許出願件数における上位２００社を除くその他多数の出願人の特許出願件数の合計件数の占める各暦年毎の比率を図示したものである。
第１７９図は、本発明の第四実施例に係る状況解析表示システムにおける関係値表示手段により表示された図で、全特許出願件数における上位２１０社の出願人の特許出願件数の合計件数の占める各暦年毎の比率と全特許出願件数における上位２１０社を除くその他多数の出願人の特許出願件数の合計件数の占める各暦年毎の比率を図示したものである。
第１８０図は、本発明の第四実施例に係る状況解析表示システムにおける関係値表示手段により表示された図で、全特許出願件数における上位２２０社の出願人の特許出願件数の合計件数の占める各暦年毎の比率と全特許出願件数における上位２２０社を除くその他多数の出願人の特許出願件数の合計件数の占める各暦年毎の比率を図示したものである。
第１８１図は、本発明の第四実施例に係る状況解析表示システムにおける関係値表示手段により表示された図で、全特許出願件数における上位２３０社の出願人の特許出願件数の合計件数の占める各暦年毎の比率と全特許出願件数における上位２３０社を除くその他多数の出願人の特許出願件数の合計件数の占める各暦年毎の比率を図示したものである。
第１８２図は、本発明の第四実施例に係る状況解析表示システムにおける関係値表示手段により表示された図で、全特許出願件数における上位２４０社の出願人の特許出願件数の合計件数の占める各暦年毎の比率と全特許出願件数における上位２４０社を除くその他多数の出願人の特許出願件数の合計件数の占める各暦年毎の比率を図示したものである。
第１８３図は、本発明の第四実施例に係る状況解析表示システムにおける関係値表示手段により表示された図で、全特許出願件数における上位２５０社の出願人の特許出願件数の合計件数の占める各暦年毎の比率と全特許出願件数における上位２５０社を除くその他多数の出願人の特許出願件数の合計件数の占める各暦年毎の比率を図示したものである。
第１８４図は、本発明の第四実施例に係る状況解析表示システムにおける関係値表示手段により表示された図で、全特許出願件数における上位２６０社の出願人の特許出願件数の合計件数の占める各暦年毎の比率と全特許出願件数における上位２６０社を除くその他多数の出願人の特許出願件数の合計件数の占める各暦年毎の比率を図示したものである。
第１８５図は、本発明の第四実施例に係る状況解析表示システムにおける関係値表示手段により表示された図で、全特許出願件数における上位２７０社の出願人の特許出願件数の合計件数の占める各暦年毎の比率と全特許出願件数における上位２７０社を除くその他多数の出願人の特許出願件数の合計件数の占める各暦年毎の比率を図示したものである。
第１８６図は、本発明の第四実施例に係る状況解析表示システムにおける関係値表示手段により表示された図で、全特許出願件数における上位２８０社の出願人の特許出願件数の合計件数の占める各暦年毎の比率と全特許出願件数における上位２８０社を除くその他多数の出願人の特許出願件数の合計件数の占める各暦年毎の比率を図示したものである。
第１８７図は、本発明の第四実施例に係る状況解析表示システムにおける関係値表示手段により表示された図で、全特許出願件数における上位２９０社の出願人の特許出願件数の合計件数の占める各暦年毎の比率と全特許出願件数における上位２９０社を除くその他多数の出願人の特許出願件数の合計件数の占める各暦年毎の比率を図示したものである。
第１８８図は、本発明の第四実施例に係る状況解析表示システムにおける関係値表示手段により表示された図で、全特許出願件数における上位３００社の出願人の特許出願件数の合計件数の占める各暦年毎の比率と全特許出願件数における上位３００社を除くその他多数の出願人の特許出願件数の合計件数の占める各暦年毎の比率を図示したものである。
第１８９図は、本発明の第五実施例に係る状況解析表示システムにおける関係値表示手段により表示された図で、全実用新案登録出願件数における上位１０社の出願人の実用新案登録出願件数の合計件数の占める各暦年毎の比率と全実用新案登録出願件数における上位１０社を除くその他多数の出願人の実用新案登録出願件数の合計件数の占める各暦年毎の比率を図示したものである。
第１９０図は、本発明の第五実施例に係る状況解析表示システムにおける関係値表示手段により表示された図で、全実用新案登録出願件数における上位２０社の出願人の実用新案登録出願件数の合計件数の占める各暦年毎の比率と全実用新案登録出願件数における上位２０社を除くその他多数の出願人の実用新案登録出願件数の合計件数の占める各暦年毎の比率を図示したものである。
第１９１図は、本発明の第五実施例に係る状況解析表示システムにおける関係値表示手段により表示された図で、全実用新案登録出願件数における上位３０社の出願人の実用新案登録出願件数の合計件数の占める各暦年毎の比率と全実用新案登録出願件数における上位３０社を除くその他多数の出願人の実用新案登録出願件数の合計件数の占める各暦年毎の比率を図示したものである。
第１９２図は、本発明の第五実施例に係る状況解析表示システムにおける関係値表示手段により表示された図で、全実用新案登録出願件数における上位４０社の出願人の実用新案登録出願件数の合計件数の占める各暦年毎の比率と全実用新案登録出願件数における上位４０社を除くその他多数の出願人の実用新案登録出願件数の合計件数の占める各暦年毎の比率を図示したものである。
第１９３図は、本発明の第五実施例に係る状況解析表示システムにおける関係値表示手段により表示された図で、全実用新案登録出願件数における上位５０社の出願人の実用新案登録出願件数の合計件数の占める各暦年毎の比率と全実用新案登録出願件数における上位５０社を除くその他多数の出願人の実用新案登録出願件数の合計件数の占める各暦年毎の比率を図示したものである。
第１９４図は、本発明の第五実施例に係る状況解析表示システムにおける関係値表示手段により表示された図で、全実用新案登録出願件数における上位６０社の出願人の実用新案登録出願件数の合計件数の占める各暦年毎の比率と全実用新案登録出願件数における上位６０社を除くその他多数の出願人の実用新案登録出願件数の合計件数の占める各暦年毎の比率を図示したものである。
第１９５図は、本発明の第五実施例に係る状況解析表示システムにおける関係値表示手段により表示された図で、全実用新案登録出願件数における上位７０社の出願人の実用新案登録出願件数の合計件数の占める各暦年毎の比率と全実用新案登録出願件数における上位７０社を除くその他多数の出願人の実用新案登録出願件数の合計件数の占める各暦年毎の比率を図示したものである。
第１９６図は、本発明の第五実施例に係る状況解析表示システムにおける関係値表示手段により表示された図で、全実用新案登録出願件数における上位８０社の出願人の実用新案登録出願件数の合計件数の占める各暦年毎の比率と全実用新案登録出願件数における上位８０社を除くその他多数の出願人の実用新案登録出願件数の合計件数の占める各暦年毎の比率を図示したものである。
第１９７図は、本発明の第五実施例に係る状況解析表示システムにおける関係値表示手段により表示された図で、全実用新案登録出願件数における上位９０社の出願人の実用新案登録出願件数の合計件数の占める各暦年毎の比率と全実用新案登録出願件数における上位９０社を除くその他多数の出願人の実用新案登録出願件数の合計件数の占める各暦年毎の比率を図示したものである。
第１９８図は、本発明の第五実施例に係る状況解析表示システムにおける関係値表示手段により表示された図で、全実用新案登録出願件数における上位１００社の出願人の実用新案登録出願件数の合計件数の占める各暦年毎の比率と全実用新案登録出願件数における上位１００社を除くその他多数の出願人の実用新案登録出願件数の合計件数の占める各暦年毎の比率を図示したものである。
第１９９図は、本発明の第五実施例に係る状況解析表示システムにおける関係値表示手段により表示された図で、全実用新案登録出願件数における上位１１０社の出願人の実用新案登録出願件数の合計件数の占める各暦年毎の比率と全実用新案登録出願件数における上位１１０社を除くその他多数の出願人の実用新案登録出願件数の合計件数の占める各暦年毎の比率を図示したものである。
第２００図は、本発明の第五実施例に係る状況解析表示システムにおける関係値表示手段により表示された図で、全実用新案登録出願件数における上位１２０社の出願人の実用新案登録出願件数の合計件数の占める各暦年毎の比率と全実用新案登録出願件数における上位１２０社を除くその他多数の出願人の実用新案登録出願件数の合計件数の占める各暦年毎の比率を図示したものである。
第２０１図は、本発明の第五実施例に係る状況解析表示システムにおける関係値表示手段により表示された図で、全実用新案登録出願件数における上位１３０社の出願人の実用新案登録出願件数の合計件数の占める各暦年毎の比率と全実用新案登録出願件数における上位１３０社を除くその他多数の出願人の実用新案登録出願件数の合計件数の占める各暦年毎の比率を図示したものである。
第２０２図は、本発明の第五実施例に係る状況解析表示システムにおける関係値表示手段により表示された図で、全実用新案登録出願件数における上位１４０社の出願人の実用新案登録出願件数の合計件数の占める各暦年毎の比率と全実用新案登録出願件数における上位１４０社を除くその他多数の出願人の実用新案登録出願件数の合計件数の占める各暦年毎の比率を図示したものである。
第２０３図は、本発明の第五実施例に係る状況解析表示システムにおける関係値表示手段により表示された図で、全実用新案登録出願件数における上位１５０社の出願人の実用新案登録出願件数の合計件数の占める各暦年毎の比率と全実用新案登録出願件数における上位１５０社を除くその他多数の出願人の実用新案登録出願件数の合計件数の占める各暦年毎の比率を図示したものである。
第２０４図は、本発明の第五実施例に係る状況解析表示システムにおける関係値表示手段により表示された図で、全実用新案登録出願件数における上位１６０社の出願人の実用新案登録出願件数の合計件数の占める各暦年毎の比率と全実用新案登録出願件数における上位１６０社を除くその他多数の出願人の実用新案登録出願件数の合計件数の占める各暦年毎の比率を図示したものである。
第２０５図は、本発明の第五実施例に係る状況解析表示システムにおける関係値表示手段により表示された図で、全実用新案登録出願件数における上位１７０社の出願人の実用新案登録出願件数の合計件数の占める各暦年毎の比率と全実用新案登録出願件数における上位１７０社を除くその他多数の出願人の実用新案登録出願件数の合計件数の占める各暦年毎の比率を図示したものである。
第２０６図は、本発明の第五実施例に係る状況解析表示システムにおける関係値表示手段により表示された図で、全実用新案登録出願件数における上位１８０社の出願人の実用新案登録出願件数の合計件数の占める各暦年毎の比率と全実用新案登録出願件数における上位１８０社を除くその他多数の出願人の実用新案登録出願件数の合計件数の占める各暦年毎の比率を図示したものである。
第２０７図は、本発明の第五実施例に係る状況解析表示システムにおける関係値表示手段により表示された図で、全実用新案登録出願件数における上位１９０社の出願人の実用新案登録出願件数の合計件数の占める各暦年毎の比率と全実用新案登録出願件数における上位１９０社を除くその他多数の出願人の実用新案登録出願件数の合計件数の占める各暦年毎の比率を図示したものである。
第２０８図は、本発明の第五実施例に係る状況解析表示システムにおける関係値表示手段により表示された図で、全実用新案登録出願件数における上位２００社の出願人の実用新案登録出願件数の合計件数の占める各暦年毎の比率と全実用新案登録出願件数における上位２００社を除くその他多数の出願人の実用新案登録出願件数の合計件数の占める各暦年毎の比率を図示したものである。
第２０９図は、本発明の第五実施例に係る状況解析表示システムにおける関係値表示手段により表示された図で、全実用新案登録出願件数における上位２１０社の出願人の実用新案登録出願件数の合計件数の占める各暦年毎の比率と全実用新案登録出願件数における上位２１０社を除くその他多数の出願人の実用新案登録出願件数の合計件数の占める各暦年毎の比率を図示したものである。
第２１０図は、本発明の第五実施例に係る状況解析表示システムにおける関係値表示手段により表示された図で、全実用新案登録出願件数における上位２２０社の出願人の実用新案登録出願件数の合計件数の占める各暦年毎の比率と全実用新案登録出願件数における上位２２０社を除くその他多数の出願人の実用新案登録出願件数の合計件数の占める各暦年毎の比率を図示したものである。
第２１１図は、本発明の第五実施例に係る状況解析表示システムにおける関係値表示手段により表示された図で、全実用新案登録出願件数における上位２３０社の出願人の実用新案登録出願件数の合計件数の占める各暦年毎の比率と全実用新案登録出願件数における上位２３０社を除くその他多数の出願人の実用新案登録出願件数の合計件数の占める各暦年毎の比率を図示したものである。
第２１２図は、本発明の第五実施例に係る状況解析表示システムにおける関係値表示手段により表示された図で、全実用新案登録出願件数における上位２４０社の出願人の実用新案登録出願件数の合計件数の占める各暦年毎の比率と全実用新案登録出願件数における上位２４０社を除くその他多数の出願人の実用新案登録出願件数の合計件数の占める各暦年毎の比率を図示したものである。
第２１３図は、本発明の第五実施例に係る状況解析表示システムにおける関係値表示手段により表示された図で、全実用新案登録出願件数における上位２５０社の出願人の実用新案登録出願件数の合計件数の占める各暦年毎の比率と全実用新案登録出願件数における上位２５０社を除くその他多数の出願人の実用新案登録出願件数の合計件数の占める各暦年毎の比率を図示したものである。
第２１４図は、本発明の第五実施例に係る状況解析表示システムにおける関係値表示手段により表示された図で、全実用新案登録出願件数における上位２６０社の出願人の実用新案登録出願件数の合計件数の占める各暦年毎の比率と全実用新案登録出願件数における上位２６０社を除くその他多数の出願人の実用新案登録出願件数の合計件数の占める各暦年毎の比率を図示したものである。
第２１５図は、本発明の第五実施例に係る状況解析表示システムにおける関係値表示手段により表示された図で、全実用新案登録出願件数における上位２７０社の出願人の実用新案登録出願件数の合計件数の占める各暦年毎の比率と全実用新案登録出願件数における上位２７０社を除くその他多数の出願人の実用新案登録出願件数の合計件数の占める各暦年毎の比率を図示したものである。
第２１６図は、本発明の第五実施例に係る状況解析表示システムにおける関係値表示手段により表示された図で、全実用新案登録出願件数における上位２８０社の出願人の実用新案登録出願件数の合計件数の占める各暦年毎の比率と全実用新案登録出願件数における上位２８０社を除くその他多数の出願人の実用新案登録出願件数の合計件数の占める各暦年毎の比率を図示したものである。
第２１７図は、本発明の第五実施例に係る状況解析表示システムにおける関係値表示手段により表示された図で、全実用新案登録出願件数における上位２９０社の出願人の実用新案登録出願件数の合計件数の占める各暦年毎の比率と全実用新案登録出願件数における上位２９０社を除くその他多数の出願人の実用新案登録出願件数の合計件数の占める各暦年毎の比率を図示したものである。
第２１８図は、本発明の第五実施例に係る状況解析表示システムにおける関係値表示手段により表示された図で、全実用新案登録出願件数における上位３００社の出願人の実用新案登録出願件数の合計件数の占める各暦年毎の比率と全実用新案登録出願件数における上位３００社を除くその他多数の出願人の実用新案登録出願件数の合計件数の占める各暦年毎の比率を図示したものである。
第２１９図は、本発明の第六実施例に係る状況解析表示システムの機能ブロック図を示す模式図である。
第２２０図は、本発明の第七実施例に係る状況解析表示システムの機能ブロック図を示す模式図である。
第２２１図は、本発明の第八実施例に係る状況解析表示システムの機能ブロック図を示す模式図である。
第２２２図は、従来技術に係る図で、特許・実用新案の出願件数を、内国法人、内国個人、官庁及び外国人の各グループに分けて、その経時的変化を示した図である。
第２２３図は、従来技術に係る図で、法人出願上位企業の出願件数の推移を示す図である。
第２２４図は、従来技術に係る図で、法人出願上位別出願の伸びを開示した図である。
【図１】
2003030076.tif 000003
【図２】
2003030076.tif 000004
【図３】
2003030076.tif 000005
【図４】
2003030076.tif 000006
【図５】
2003030076.tif 000007
【図６】
2003030076.tif 000008
【図７】
2003030076.tif 000009
【図８】
2003030076.tif 000010
【図９】
2003030076.tif 000011
【図１０】
2003030076.tif 000012
【図１１】
2003030076.tif 000013
【図１２】
2003030076.tif 000014
【図１３】
2003030076.tif 000015
【図１４】
2003030076.tif 000016
【図１５】
2003030076.tif 000017
【図１６】
2003030076.tif 000018
【図１７】
2003030076.tif 000019
【図１８】
2003030076.tif 000020
【図１９】
2003030076.tif 000021
【図２０】
2003030076.tif 000022
【図２１】
2003030076.tif 000023
【図２２】
2003030076.tif 000024
【図２３】
2003030076.tif 000025
【図２４】
2003030076.tif 000026
【図２５】
2003030076.tif 000027
【図２６】
2003030076.tif 000028
【図２７】
2003030076.tif 000029
【図２８】
2003030076.tif 000030
【図２９】
2003030076.tif 000031
【図３０】
2003030076.tif 000032
【図３１】
2003030076.tif 000033
【図３２】
2003030076.tif 000034
【図３３】
2003030076.tif 000035
【図３４】
2003030076.tif 000036
【図３５】
2003030076.tif 000037
【図３６】
2003030076.tif 000038
【図３７】
2003030076.tif 000039
【図３８】
2003030076.tif 000040
【図３９】
2003030076.tif 000041
【図４０】
2003030076.tif 000042
【図４１】
2003030076.tif 000043
【図４２】
2003030076.tif 000044
【図４３】
2003030076.tif 000045
【図４４】
2003030076.tif 000046
【図４５】
2003030076.tif 000047
【図４６】
2003030076.tif 000048
【図４７】
2003030076.tif 000049
【図４８】
2003030076.tif 000050
【図４９】
2003030076.tif 000051
【図５０】
2003030076.tif 000052
【図５１】
2003030076.tif 000053
【図５２】
2003030076.tif 000054
【図５３】
2003030076.tif 000055
【図５４】
2003030076.tif 000056
【図５５】
2003030076.tif 000057
【図５６】
2003030076.tif 000058
【図５７】
2003030076.tif 000059
【図５８】
2003030076.tif 000060
【図５９】
2003030076.tif 000061
【図６０】
2003030076.tif 000062
【図６１】
2003030076.tif 000063
【図６２】
2003030076.tif 000064
【図６３】
2003030076.tif 000065
【図６４】
2003030076.tif 000066
【図６５】
2003030076.tif 000067
【図６６】
2003030076.tif 000068
【図６７】
2003030076.tif 000069
【図６８】
2003030076.tif 000070
【図６９】
2003030076.tif 000071
【図７０】
2003030076.tif 000072
【図７１】
2003030076.tif 000073
【図７２】
2003030076.tif 000074
【図７３】
2003030076.tif 000075
【図７４】
2003030076.tif 000076
【図７５】
2003030076.tif 000077
【図７６】
2003030076.tif 000078
【図７７】
2003030076.tif 000079
【図７８】
2003030076.tif 000080
【図７９】
2003030076.tif 000081
【図８０】
2003030076.tif 000082
【図８１】
2003030076.tif 000083
【図８２】
2003030076.tif 000084
【図８３】
2003030076.tif 000085
【図８４】
2003030076.tif 000086
【図８５】
2003030076.tif 000087
【図８６】
2003030076.tif 000088
【図８７】
2003030076.tif 000089
【図８８】
2003030076.tif 000090
【図８９】
2003030076.tif 000091
【図９０】
2003030076.tif 000092
【図９１】
2003030076.tif 000093
【図９２】
2003030076.tif 000094
【図９３】
2003030076.tif 000095
【図９４】
2003030076.tif 000096
【図９５】
2003030076.tif 000097
【図９６】
2003030076.tif 000098
【図９７】
2003030076.tif 000099
【図９８】
2003030076.tif 000100
【図９９】
2003030076.tif 000101
【図１００】
2003030076.tif 000102
【図１０１】
2003030076.tif 000103
【図１０２】
2003030076.tif 000104
【図１０３】
2003030076.tif 000105
【図１０４】
2003030076.tif 000106
【図１０５】
2003030076.tif 000107
【図１０６】
2003030076.tif 000108
【図１０７】
2003030076.tif 000109
【図１０８】
2003030076.tif 000110
【図１０９】
2003030076.tif 000111
【図１１０】
2003030076.tif 000112
【図１１１】
2003030076.tif 000113
【図１１２】
2003030076.tif 000114
【図１１３】
2003030076.tif 000115
【図１１４】
2003030076.tif 000116
【図１１５】
2003030076.tif 000117
【図１１６】
2003030076.tif 000118
【図１１７】
2003030076.tif 000119
【図１１８】
2003030076.tif 000120
【図１１９】
2003030076.tif 000121
【図１２０】
2003030076.tif 000122
【図１２１】
2003030076.tif 000123
【図１２２】
2003030076.tif 000124
【図１２３】
2003030076.tif 000125
【図１２４】
2003030076.tif 000126
【図１２５】
2003030076.tif 000127
【図１２６】
2003030076.tif 000128
【図１２７】
2003030076.tif 000129
【図１２８】
2003030076.tif 000130
【図１２９】
2003030076.tif 000131
【図１３０】
2003030076.tif 000132
【図１３１】
2003030076.tif 000133
【図１３２】
2003030076.tif 000134
【図１３３】
2003030076.tif 000135
【図１３４】
2003030076.tif 000136
【図１３５】
2003030076.tif 000137
【図１３６】
2003030076.tif 000138
【図１３７】
2003030076.tif 000139
【図１３８】
2003030076.tif 000140
【図１３９】
2003030076.tif 000141
【図１４０】
2003030076.tif 000142
【図１４１】
2003030076.tif 000143
【図１４２】
2003030076.tif 000144
【図１４３】
2003030076.tif 000145
【図１４４】
2003030076.tif 000146
【図１４５】
2003030076.tif 000147
【図１４６】
2003030076.tif 000148
【図１４７】
2003030076.tif 000149
【図１４８】
2003030076.tif 000150
【図１４９】
2003030076.tif 000151
【図１５０】
2003030076.tif 000152
【図１５１】
2003030076.tif 000153
【図１５２】
2003030076.tif 000154
【図１５３】
2003030076.tif 000155
【図１５４】
2003030076.tif 000156
【図１５５】
2003030076.tif 000157
【図１５６】
2003030076.tif 000158
【図１５７】
2003030076.tif 000159
【図１５８】
2003030076.tif 000160
【図１５９】
2003030076.tif 000161
【図１６０】
2003030076.tif 000162
【図１６１】
2003030076.tif 000163
【図１６２】
2003030076.tif 000164
【図１６３】
2003030076.tif 000165
【図１６４】
2003030076.tif 000166
【図１６５】
2003030076.tif 000167
【図１６６】
2003030076.tif 000168
【図１６７】
2003030076.tif 000169
【図１６８】
2003030076.tif 000170
【図１６９】
2003030076.tif 000171
【図１７０】
2003030076.tif 000172
【図１７１】
2003030076.tif 000173
【図１７２】
2003030076.tif 000174
【図１７３】
2003030076.tif 000175
【図１７４】
2003030076.tif 000176
【図１７５】
2003030076.tif 000177
【図１７６】
2003030076.tif 000178
【図１７７】
2003030076.tif 000179
【図１７８】
2003030076.tif 000180
【図１７９】
2003030076.tif 000181
【図１８０】
2003030076.tif 000182
【図１８１】
2003030076.tif 000183
【図１８２】
2003030076.tif 000184
【図１８３】
2003030076.tif 000185
【図１８４】
2003030076.tif 000186
【図１８５】
2003030076.tif 000187
【図１８６】
2003030076.tif 000188
【図１８７】
2003030076.tif 000189
【図１８８】
2003030076.tif 000190
【図１８９】
2003030076.tif 000191
【図１９０】
2003030076.tif 000192
【図１９１】
2003030076.tif 000193
【図１９２】
2003030076.tif 000194
【図１９３】
2003030076.tif 000195
【図１９４】
2003030076.tif 000196
【図１９５】
2003030076.tif 000197
【図１９６】
2003030076.tif 000198
【図１９７】
2003030076.tif 000199
【図１９８】
2003030076.tif 000200
【図１９９】
2003030076.tif 000201
【図２００】
2003030076.tif 000202
【図２０１】
2003030076.tif 000203
【図２０２】
2003030076.tif 000204
【図２０３】
2003030076.tif 000205
【図２０４】
2003030076.tif 000206
【図２０５】
2003030076.tif 000207
【図２０６】
2003030076.tif 000208
【図２０７】
2003030076.tif 000209
【図２０８】
2003030076.tif 000210
【図２０９】
2003030076.tif 000211
【図２１０】
2003030076.tif 000212
【図２１１】
2003030076.tif 000213
【図２１２】
2003030076.tif 000214
【図２１３】
2003030076.tif 000215
【図２１４】
2003030076.tif 000216
【図２１５】
2003030076.tif 000217
【図２１６】
2003030076.tif 000218
【図２１７】
2003030076.tif 000219
【図２１８】
2003030076.tif 000220
【図２１９】
2003030076.tif 000221
【図２２０】
2003030076.tif 000222
【図２２１】
2003030076.tif 000223
【図２２２】
2003030076.tif 000224
【図２２３】
2003030076.tif 000225
【図２２４】
2003030076.tif 000226
【手続補正書】
【提出日】平成15年8月20日(2003.8.20)
【手続補正１】
【補正対象書類名】明細書
【補正対象項目名】請求項１
【補正方法】変更
【補正の内容】
【請求項１】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を連続的に変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示システム。
【手続補正２】
【補正対象書類名】明細書
【補正対象項目名】請求項２
【補正方法】変更
【補正の内容】
【請求項２】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を連続的に変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示装置。
【手続補正３】
【補正対象書類名】明細書
【補正対象項目名】請求項３
【補正方法】変更
【補正の内容】
【請求項３】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を連続的に変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有することを特徴とする状況解析表示プログラム。
【手続補正４】
【補正対象書類名】明細書
【補正対象項目名】請求項４
【補正方法】変更
【補正の内容】
【請求項４】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を連続的に変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有する状況解析表示プログラムを記録した記録媒体。
【手続補正５】
【補正対象書類名】明細書
【補正対象項目名】請求項５
【補正方法】変更
【補正の内容】
【請求項５】
各一定期間毎の複数の対象及び当該複数の対象に各々対応した複数の対応数値を有する状況を解析表示する複数の頁からなる状況解析表示書籍において各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し各頁における前記所定数の値を特別定数毎に変動させていることを特徴とする状況解析表示書籍。
【手続補正６】
【補正対象書類名】明細書
【補正対象項目名】請求項６
【補正方法】変更
【補正の内容】
【請求項６】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を連続的に変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程を有することを特徴とする状況解析表示方法。
【手続補正７】
【補正対象書類名】明細書
【補正対象項目名】請求項１７１
【補正方法】変更
【補正の内容】
【請求項１７１】
前記所定数変動手段は前記所定数を当該所定数毎に変動させる所定数毎変動手段であることを特徴とする請求の範囲第７項、第１３項、第１９項、第７３項、第７８項、第８３項、第８８項、第９３項、第９８項、第１０３項、第１０８項、第１３３項、第１３８項、第１４３項又は第１４８項記載の状況解析表示システム。
【手続補正８】
【補正対象書類名】明細書
【補正対象項目名】請求項１７２
【補正方法】変更
【補正の内容】
【請求項１７２】
前記所定数変動手段は前記所定数を当該所定数毎に変動させる所定数毎変動手段であることを特徴とする請求の範囲第８項、第１４項、第２０項、第７４項、第７９項、第８４項、第８９項、第９４項、第９９項、第１０４項、第１０９項、第１３４項、第１３９項、第１４４項又は第１４９項記載の状況解析表示装置。
【手続補正９】
【補正対象書類名】明細書
【補正対象項目名】請求項１７３
【補正方法】変更
【補正の内容】
【請求項１７３】
前記所定数変動プログラムは前記所定数を当該所定数毎に変動させる所定数毎変動プログラムであることを特徴とする請求の範囲第９項、第１５項、第２１項、第７５項、第８０項、第８５項、第９０項、第９５項、第１００項、第１０５項、第１１０項、第１３５項、第１４０項、第１４５項又は第１５０項記載の状況解析表示プログラム。
【手続補正１０】
【補正対象書類名】明細書
【補正対象項目名】請求項１７４
【補正方法】変更
【補正の内容】
【請求項１７４】
前記所定数変動プログラムは前記所定数を当該所定数毎に変動させる所定数毎変動プログラムであることを特徴とする請求の範囲第１０項、第１６項、第２２項、第７６項、第８１項、第８６項、第９１項、第９６項、第１０１項、第１０６項、第１１１項、第１３６項、第１４１項、第１４６項又は第１５１項記載の状況解析表示プログラムを記録した記録媒体。
【手続補正１１】
【補正対象書類名】明細書
【補正対象項目名】請求項１７５
【補正方法】変更
【補正の内容】
【請求項１７５】
前記所定数を当該所定数毎に変動させていることを特徴とする請求の範囲第１１項、第１７項又は第２３項記載の状況解析表示書籍。
【手続補正１２】
【補正対象書類名】明細書
【補正対象項目名】請求項１７６
【補正方法】変更
【補正の内容】
【請求項１７６】
前記所定数変動過程は前記所定数を当該所定数毎に変動させる所定数毎変動過程であることを特徴とする請求の範囲第１２項、第１８項、第２４項、第７７項、第８２項、第８７項、第９２項、第９７項、第１０２項、第１０７項、第１１２項、第１３７項、第１４２項、第１４７項又は第１５２項記載の状況解析表示方法。
【手続補正１３】
【補正対象書類名】明細書
【補正対象項目名】請求項１７７
【補正方法】変更
【補正の内容】
【請求項１７７】
各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を当該所定数毎に変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示システム。
【手続補正１４】
【補正対象書類名】明細書
【補正対象項目名】請求項１７８
【補正方法】変更
【補正の内容】
【請求項１７８】
各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を当該所定数毎に変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示装置。
【手続補正１５】
【補正対象書類名】明細書
【補正対象項目名】請求項１７９
【補正方法】変更
【補正の内容】
【請求項１７９】
各一定期間毎の複数の対象及び当該複数の対象に各々対応した複数の対応数値を有する状況を解析表示する状況解析表示プログラムにおいて、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を当該所定数毎に変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有することを特徴とする状況解析表示プログラム。
【手続補正１６】
【補正対象書類名】明細書
【補正対象項目名】請求項１８０
【補正方法】変更
【補正の内容】
【請求項１８０】
各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を当該所定数毎に変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有する状況解析表示プログラムを記録した記録媒体。
【手続補正１７】
【補正対象書類名】明細書
【補正対象項目名】請求項１８１
【補正方法】変更
【補正の内容】
【請求項１８１】
各一定期間毎の複数の対象及び当該複数の対象に各々対応した複数の対応数値を有する状況を解析表示する複数の頁からなる状況解析表示書籍において各頁は前記所定数総和計算手段により計算された前記所定数の対象の各一定期間毎の対応数値の総和及び前記その他多数総和計算手段により計算された前記所定数の対象を除くその他多数の対象の各一定期間毎の対応数値の総和を示す図表を有し各頁における前記所定数の値を当該所定数毎に変動させていることを特徴とする状況解析表示書籍。
【手続補正１８】
【補正対象書類名】明細書
【補正対象項目名】請求項１８２
【補正方法】変更
【補正の内容】
【請求項１８２】
各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を当該所定数毎に変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程を有することを特徴とする状況解析表示方法。
【手続補正１９】
【補正対象書類名】明細書
【補正対象項目名】０００３
【補正方法】変更
【補正の内容】
【０００３】
今ひとつ把握しにくいという問題点があった。
そこで、本発明は、上記問題点を解決するためになされたもので、状況の全体構造を明確に把握することのできる状況解析表示するたものシステム、装置、プログラム、記録媒体及び書籍並びに状況解析表示方法を提供することを目的とする。
発明の開示
本発明は、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を連続的に変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示システムを提供する。上記した「その他多数の対象」や「その他多数総和計算手段」における「多数」の意は、単に「その他」であることを強調するためのもので、対象の数が「絶対的に多数」であることを意味するものではない。即ち、場合によっては、対象の所定数よりも少数になることもありうる。


【手続補正２０】
【補正対象書類名】明細書
【補正対象項目名】０００４
【補正方法】変更
【補正の内容】
【０００４】
単に「その他」であることを強調するためのものである。
また、各一定期間毎の複数の対象及び当該複数の対象に各々対応した複数の対応数値を有する状況を解析表示する状況解析表示装置において、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその他多数総和計算手段、前記所定数総和計算手段により計算された前記所定数の対象の各一定期間毎の対応数値の総和を表示する第一表示手段及び前記その他多数総和計算手段により計算された前記所定数の対象を除くその他多数の対象の各一定期間毎の対応数値の総和を表示する第二表示手段並びに前記所定数の値を連続的に変動させることにより前記第一表示手段により表示された前記所定数の対象の各一定期間毎の対応数値の総和及び前記第二表示手段により表示された前記所定数の対象を除くその他多数の対象の各一定期間毎の対応数値の総和を変動させる所定数変動手段を有することを特徴とする状況解析表示装置を提供する。
また各一定期間毎の複数の対象及び当該複数の対象に各々対応した複数の対応数値を有する状況を解析表示する状況解析表示プログラムにおいて特定期間における対応数値の大きい順に所定数の対象を選択する選択プログラム、当該選択プログラムにより選択された所定数の対象の各一定期間毎の対応数値の総和を計算する所定数総和計算プログラム前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定


【手続補正２１】
【補正対象書類名】明細書
【補正対象項目名】０００５
【補正方法】変更
【補正の内容】
【０００５】
期間毎の対応数値の総和を表示する第二表示プログラム並びに前記所定数の値を連続的に変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有することを特徴とする状況解析表示プログラムを提供する。
また、各一定期間毎の複数の対象及び当該複数の対象に各々対応した複数の対応数値を有する状況を解析表示する状況解析表示プログラムを記録した記録媒体において、特定期間における対応数値の大きい順に所定数の対象を選択する選択プログラム、当該選択プログラムにより選択された所定数の対象の各一定期間毎の対応数値の総和を計算する所定数総和計算プログラム、前記所定数の対象を除くその他多数の対象の各一定期間毎の対応数値の総和を計算するその他多数総和計算プログラム、前記所定数総和計算プログラムにより計算された前記所定数の対象の各一定期間毎の対応数値の総和を表示する第一表示プログラム及び前記その他多数総和計算プログラムにより計算された前記所定数の対象を除くその他多数の対象の各一定期間毎の対応数値の総和を表示する第二表示プログラム並びに前記所定数の値を連続的に変動させることにより前記第一表示プログラムにより表示された前記所定数の対象の各一定期間毎の対応数値の総和及び前記第二表示プログラムにより表示された前記所定数の対象を除くその他多数の対象の各一定期間毎の対応数値の総和を変動させる所定数変動プログラムを有する状況解析表示プログラムを記録した記録媒体を提供する。
また、各一定期間毎の複数の対象及び当該複数の対象に各々対応した複数の対応数値を有する状況を解析表示する複数の頁からなる状況解析表示書籍において、各頁は前記所定数総和計算手段により計算された前


【手続補正２２】
【補正対象書類名】明細書
【補正対象項目名】０００６
【補正方法】変更
【補正の内容】
【０００６】
記所定数の対象の各一定期間毎の対応数値の総和及び前記その他多数総和計算手段により計算された前記所定数の対象を除くその他多数の対象の各一定期間毎の対応数値の総和を示す図表を有し、各頁における前記所定数の値を特別定数毎に変動させていることを特徴とする状況解析表示書籍を提供する。
また、各一定期間毎の複数の対象及び当該複数の対象に各々対応した複数の対応数値を有する状況を解析表示する状況解析表示方法において、特定期間における対応数値の大きい順に所定数の対象を選択する選択過程、当該選択過程により選択された所定数の対象の各一定期間毎の対応数値の総和を計算する所定数総和計算過程、前記所定数の対象を除くその他多数の対象の各一定期間毎の対応数値の総和を計算するその他多数総和計算過程、前記所定数総和計算過程により計算された前記所定数の対象の各一定期間毎の対応数値の総和を表示する第一表示過程及び前記その他多数総和計算過程により計算された前記所定数の対象を除くその他多数の対象の各一定期間毎の対応数値の総和を表示する第二表示過程並びに前記所定数の値を連続的に変動させることにより前記第一表示過程により表示された前記所定数の対象の各一定期間毎の対応数値の総和及び前記第二表示過程により表示された前記所定数の対象を除くその他多数の対象の各一定期間毎の対応数値の総和を変動させる所定数変動過程を有することを特徴とする状況解析表示方法を提供する。
また、各一定期間毎の複数の対象及び当該複数の対象に各々対応した複数の対応数値を有する状況を解析表示する状況解析表示システムにおいて、特定期間における対応数値の大きい順に所定数の対象を選択する選択手段、当該選択手段により選択された所定数の対象の各一定期間毎の対応数値の総和を計算する所定数総和計算手段、前記所定数の対象を除くその他多数の対象の各一定期間毎の対応数値の総和を計算するその




【国際調査報告】
2003030076.tif 000227
2003030076.tif 000228
2003030076.tif 000229